(57)【要約】【課題】固定子巻線の相配置に起因する騒音および振動を低減可能な分数スロット構成の回転電機を提供する。【解決手段】固定子巻線２２は、混成一相帯４２を構成する複数のコイルサイドによって発生する起磁力の大きさが複数の可動子磁極３２の毎極において均等になるように、複数の基本コイル５０が混成されている。複数の基本コイル５０が混成されている固定子巻線２２は、少なくとも一つの極対コイル６０を具備する複数の相コイル２２ｃを含み、各極対コイル６０は、同心状に巻装されている複数の単位コイル２２ｄを備えている。各極対コイル６０を構成する複数の単位コイル２２ｄは、一対のスロットに収容されている一対のコイルサイド間のコイルピッチがそれぞれ異なり、一対のコイルサイド間のコイルピッチが、いずれも毎極スロット数より短く設定されている。【選択図】図４Ｃ
2019037046.tif 000002
【特許請求の範囲】
【請求項１】
複数のスロットが形成されている固定子鉄心と、前記複数のスロットに収容されている複数のコイルサイドと前記複数のコイルサイドの同一側端部をそれぞれ接続している複数のコイルエンドとを有する固定子巻線と、を備える固定子と、
前記固定子に対して移動可能に支持され、可動子鉄心と、前記可動子鉄心に設けられている複数の可動子磁極と、を備える可動子と、
を具備する毎極毎相スロット数が整数でない分数スロット構成の回転電機であって、
前記固定子に対する前記可動子の移動方向を第一方向とし、前記第一方向に連続して隣り合う前記複数のスロットに収容されている同相の電流方向が同じ前記複数のコイルサイドの集合を一相帯とするとき、
前記固定子巻線は、前記一相帯を構成する前記複数のコイルサイドによって発生する起磁力の大きさが、前記複数の可動子磁極の毎極において均等である基本コイルを複数備え、
前記複数の基本コイルは、
前記第一方向における毎極の前記一相帯の配置に関して基準になる第一基本コイルと、
前記第一基本コイルに対して、前記第一方向における毎極の前記一相帯の配置が異なる少なくとも一つの第二基本コイルと、
を備え、
前記第一基本コイルの一の前記一相帯を構成する前記複数のコイルサイドと、前記少なくとも一つの第二基本コイルの各々の一の前記一相帯を構成する前記複数のコイルサイドと、が混成されて新しく形成される前記一相帯を混成一相帯とするとき、
前記固定子巻線は、前記混成一相帯を構成する前記複数のコイルサイドによって発生する起磁力の大きさが前記複数の可動子磁極の毎極において均等になるように、前記複数の基本コイルが混成されており、
前記複数の基本コイルが混成されている前記固定子巻線は、少なくとも一つの極対コイルを具備する複数の相コイルを含み、各前記極対コイルは、同心状に巻装されている複数の単位コイルを備え、
各前記極対コイルを構成する前記複数の単位コイルは、一対のスロットに収容されている一対のコイルサイド間のコイルピッチがそれぞれ異なり、前記一対のコイルサイド間の前記コイルピッチが、いずれも毎極スロット数より短く設定されている回転電機。
【請求項２】
各前記極対コイルは、
一つの前記単位コイルまたは前記一対のコイルサイド間の前記コイルピッチが異なる複数の前記単位コイルを備え少なくとも一つの前記単位コイルが同心状に巻装され電気的に直列接続されている第一極コイルと、
一つの前記単位コイルまたは前記一対のコイルサイド間の前記コイルピッチが異なる複数の前記単位コイルを備え少なくとも一つの前記単位コイルが同心状に巻装され電気的に直列接続されており、前記第一極コイルが前記複数の可動子磁極のうちの一の可動子磁極と対向するときに当該可動子磁極に隣接する一の可動子磁極と対向する第二極コイルと、
を備え、前記第一極コイルおよび前記第二極コイルが電気的に直列接続されている請求項１に記載の回転電機。
【請求項３】
各前記極対コイルを構成する前記複数の単位コイルのうちの一の前記単位コイルであって前記一対のスロットに収容されている同相の前記一対のコイルサイドのスロット占有率が、当該複数の単位コイルの中で最小の前記単位コイルをスロット占有率最小コイルとするとき、
前記複数の相コイルは、中性点を備え、
各前記極対コイルは、前記スロット占有率最小コイルが前記中性点と接続されている請求項１または請求項２に記載の回転電機。
【請求項４】
各前記極対コイルを構成する前記複数の単位コイルのうちの一の前記単位コイルであって前記一対のスロットに収容されている同相の前記一対のコイルサイドのスロット占有率が、当該複数の単位コイルの中で最大の前記単位コイルをスロット占有率最大コイルとするとき、
各前記極対コイルは、前記第一極コイルに前記スロット占有率最大コイルを備え、前記第二極コイルに前記スロット占有率最小コイルを備え、前記スロット占有率最大コイルが相端子と接続されている請求項２に従属する請求項３に記載の回転電機。
【請求項５】
前記少なくとも一つの第二基本コイルは、前記第一基本コイルに対して、前記第一方向に所定スロットピッチ分、移動した位置に配置されている請求項１〜請求項４のいずれか一項に記載の回転電機。
【請求項６】
ＮＩスロットピッチ（但し、ＮＩは、前記毎極スロット数の直近の整数または１）を移動単位量とするとき、
前記所定スロットピッチは、前記移動単位量のｎ倍（但し、ｎは１以上の自然数）で表される請求項５に記載の回転電機。
【請求項７】
前記複数の相コイルの各々は、前記複数の基本コイルの各々において、前記複数の可動子磁極の磁極対数分の前記極対コイルを備える請求項１〜請求項６のいずれか一項に記載の回転電機。
【請求項８】
前記固定子巻線は、４つの前記基本コイルを備え、
前記４つの基本コイルは、同一のスロットに収容されている同相のコイルサイドの当該スロット内の配置が相毎に集約されており、
前記複数の相コイルの各々は、前記４つの基本コイルのうちの２つの前記基本コイルの全体において、前記複数の可動子磁極の磁極対数分の前記極対コイルを備え、前記４つの基本コイルのうちの残りの２つの前記基本コイルの全体において、前記複数の可動子磁極の磁極対数分の前記極対コイルを備える請求項１〜請求項６のいずれか一項に記載の回転電機。
【請求項９】
前記複数の基本コイルは、同一のスロットに収容されている同相のコイルサイドの当該スロット内の配置が相毎に集約されており、
前記複数の相コイルの各々は、前記複数の基本コイルの全体において、前記複数の可動子磁極の磁極対数分の前記極対コイルを備える請求項１〜請求項６のいずれか一項に記載の回転電機。
【請求項１０】
各前記極対コイルは、巻始め側の前記第一極コイルから巻終り側の前記第二極コイルへ引き回す極コイル間接続部を介して連続して巻進められて前記第一極コイルを構成する少なくとも一つの前記単位コイルおよび前記第二極コイルを構成する少なくとも一つの前記単位コイルが直列接続されており、
前記固定子と前記可動子の対向方向を第二方向とし、前記第二方向のうちの前記可動子側から前記固定子側に向かう方向を第二方向固定子側とするとき、
各前記極対コイルを構成する前記複数の単位コイルの巻進行方向は、いずれも前記第二方向固定子側である少なくとも請求項２に従属する請求項９に記載の回転電機。
【請求項１１】
請求項１０に記載の回転電機を製造する回転電機の製造方法であって、
前記第一方向のうちの前記第一極コイル側から前記第二極コイル側に向かう方向を第一方向第二極コイル側とし、前記複数の相コイルを前記第一方向第二極コイル側に順に位相が遅れるように相順に配設するときに、
前記複数の相コイルのうちの一の前記相コイルを前記複数のスロットに装着する第一装着工程と、
前記複数の相コイルのうちの残りの一の前記相コイルであって前記第一装着工程で装着された前記相コイルと比べて、電気角３６０°を相数で除した相間最小位相差分、位相が遅れる前記相コイルを、前記第一装着工程で装着された前記相コイルに対して、前記相間最小位相差分、前記第一方向第二極コイル側にずらして、前記複数のスロットに装着する第二遅相装着工程と、
前記複数の相コイルがすべて前記複数のスロットに装着されるまで、直近で装着した前記相コイルと比べて前記相間最小位相差分、位相が遅れる前記相コイルを、直近で装着した前記相コイルに対して、前記相間最小位相差分、前記第一方向第二極コイル側にずらして、前記複数のスロットに装着する第三遅相装着工程と、
を備える回転電機の製造方法。
【発明の詳細な説明】
【技術分野】
【０００１】
本明細書は、回転電機およびその製造方法に関する技術を開示する。
【背景技術】
【０００２】
特許文献１に記載の回転電機は、毎極毎相スロット数が整数になる整数スロット構成の回転電機である。また、特許文献１に記載の回転電機は、同一相の複数のスロット導体で構成される一群のスロット導体群を複数有する固定子巻線を備えている。さらに、スロット導体群の複数のスロット導体は、固定子コア周方向に連続して並んだ所定数Ｎｓのスロット内にスロットおよびレイヤが隣接するように挿通されている。また、所定数Ｎｓは、毎極毎相スロット数をＮＳＰＰ、レイヤ数を２×ＮＬとするとき、Ｎｓ＝ＮＳＰＰ＋ＮＬに設定されている。これらにより、特許文献１に記載の発明は、回転電機の低騒音化を図ろうとしている。
【０００３】
特許文献２に記載の３相交流電動機は、毎極毎相スロット数が整数でない分数スロット構成の３相交流電動機である。また、特許文献２に記載の３相交流電動機は、巻線が１スロットにつき３層に重ねて配置されている。さらに、１層目の巻線は、Ｕ相、Ｖ相及びＷ相の３相の各巻線の配置が、互いに機械角で±１２０度の回転対称性を持つように配置されている。２層目の巻線は、１層目の巻線の配置に対してＬスロット分だけずらして配置されている。３層目の巻線は、２層目の巻線のずらし方向とは逆方向に、１層目の巻線の配置に対してＬスロット分だけずらして配置されている。これらにより、特許文献２に記載の発明は、３相交流電動機のトルクリップルを低減しようとしている。
【０００４】
非特許文献１に記載の三相同期機は、毎極毎相スロット数が整数でない分数スロット構成（より詳細には、毎極毎相スロット数の小数点以下が０．５になる分数スロット構成）の三相同期機である。また、非特許文献１には、当該三相同期機の二層重巻の結線例が開示されている。
【先行技術文献】
【特許文献】
【０００５】
【特許文献１】特許第５９４８０６１号公報
【特許文献２】特開２０１６−１４０２０２号公報
【非特許文献】
【０００６】
【非特許文献１】竹内寿太郎  原著、「大学課程  電機設計学（改訂２版）」株式会社オーム社、平成５年２月２５日（改訂２版第１刷）発行、４３頁〜４４頁
【発明の概要】
【発明が解決しようとする課題】
【０００７】
しかしながら、特許文献１に記載の発明は、毎極毎相スロット数が整数でない分数スロット構成の回転電機に適用することができない。具体的には、分数スロット構成の回転電機では、所定数Ｎｓが整数にならないので、複数のスロット導体の配置を規定することができない。
【０００８】
また、特許文献２に記載の発明は、トルクリップルの低減を目的とした発明であり、３相交流電動機の騒音および振動を低減することは困難である。具体的には、特許文献２に記載の３相交流電動機は、回転子の回転方向に連続して隣り合う２つのスロットに収容されている同相の電流方向が同じ巻線によって発生する起磁力の大きさが、回転子の回転方向に４：３：３：４の比で変化し、これが繰り返される。そのため、３層の巻線が回転子の回転方向に所定スロット分、ずらされていても、巻線が通電されたときに発生する起磁力は、回転子磁極の毎極において不均等になる。その結果、回転子の磁極数と比べて低次の空間変形モードの起振力が発生し易くなる。固定子には、空間変形モードに対応する固有振動数があり、低次の空間変形モードほど、３相交流電動機は、より低回転数において、固定子の空間変形モードに対応する固有振動数と、当該低次の起振力の周波数とが合致する騒音および振動の共振点をもち、その対策が必要となる。
【０００９】
さらに、非特許文献１は、分数スロット構成の三相同期機における二層重巻の結線例を開示するのみであり、非特許文献１は、固定子巻線の相配置に起因する三相同期機の騒音および振動を低減する技術を開示するものではない。二層重巻構成の固定子巻線は、組み付け作業が煩雑であり、組み付け作業の簡素化および機械化が困難である。
【００１０】
このような事情に鑑みて、本明細書は、固定子巻線の相配置に起因する騒音および振動を低減可能な分数スロット構成の回転電機を開示する。
【課題を解決するための手段】
【００１１】
本明細書は、複数のスロットが形成されている固定子鉄心と、前記複数のスロットに収容されている複数のコイルサイドと前記複数のコイルサイドの同一側端部をそれぞれ接続している複数のコイルエンドとを有する固定子巻線と、を備える固定子と、前記固定子に対して移動可能に支持され、可動子鉄心と、前記可動子鉄心に設けられている複数の可動子磁極と、を備える可動子と、を具備する毎極毎相スロット数が整数でない分数スロット構成の回転電機を開示する。前記固定子に対する前記可動子の移動方向を第一方向とし、前記第一方向に連続して隣り合う前記複数のスロットに収容されている同相の電流方向が同じ前記複数のコイルサイドの集合を一相帯とする。このとき、前記固定子巻線は、前記一相帯を構成する前記複数のコイルサイドによって発生する起磁力の大きさが、前記複数の可動子磁極の毎極において均等である基本コイルを複数備える。前記複数の基本コイルは、前記第一方向における毎極の前記一相帯の配置に関して基準になる第一基本コイルと、前記第一基本コイルに対して、前記第一方向における毎極の前記一相帯の配置が異なる少なくとも一つの第二基本コイルと、を備える。前記第一基本コイルの一の前記一相帯を構成する前記複数のコイルサイドと、前記少なくとも一つの第二基本コイルの各々の一の前記一相帯を構成する前記複数のコイルサイドと、が混成されて新しく形成される前記一相帯を混成一相帯とする。このとき、前記固定子巻線は、前記混成一相帯を構成する前記複数のコイルサイドによって発生する起磁力の大きさが前記複数の可動子磁極の毎極において均等になるように、前記複数の基本コイルが混成されている。前記複数の基本コイルが混成されている前記固定子巻線は、少なくとも一つの極対コイルを具備する複数の相コイルを含み、各前記極対コイルは、同心状に巻装されている複数の単位コイルを備える。各前記極対コイルを構成する前記複数の単位コイルは、一対のスロットに収容されている一対のコイルサイド間のコイルピッチがそれぞれ異なり、前記一対のコイルサイド間の前記コイルピッチが、いずれも毎極スロット数より短く設定されている。
【発明の効果】
【００１２】
上記の回転電機によれば、固定子巻線は、混成一相帯を構成する複数のコイルサイドによって発生する起磁力の大きさが複数の可動子磁極の毎極において均等になるように、複数の基本コイルが混成されている。これにより、固定子巻線が通電されたときに発生する起磁力の大きさ及び起磁力分布の毎極の均等性が増す。その結果、可動子の磁極数と比べて低次の空間変形モードの起振力が低減され、上記の回転電機は、可動子の磁極数と比べて低次の空間変形モードの騒音および振動を抑制することができる。また、複数の基本コイルが混成されている固定子巻線は、少なくとも一つの極対コイルを具備する複数の相コイルを含み、各極対コイルは、同心状に巻装されている複数の単位コイルを備えている。よって、上記の回転電機は、固定子巻線の相配置に起因する騒音および振動を低減することができる。さらに、上記の回転電機は、固定子巻線の同心巻化によって、固定子巻線の組み付け作業の簡素化および機械化を図ることができる。
【００１３】
また、上記の回転電機によれば、各極対コイルを構成する複数の単位コイルは、一対のスロットに収容されている一対のコイルサイド間のコイルピッチがそれぞれ異なり、一対のコイルサイド間のコイルピッチが、いずれも毎極スロット数より短く設定されている。よって、上記の回転電機は、二層重巻構成の固定子巻線と比べて、固定子巻線の導体長を短くすることができ、固定子巻線に使用する導体量を少なくすることができる。
【図面の簡単な説明】
【００１４】
【図１】第一実施形態に係り、第三方向（矢印Ｚ方向）に垂直な平面で回転電機１０を切断した端面の一部を示す切断部端面図である。
【図２】固定子巻線２２に含まれる単位コイル２２ｄの構成例を示す模式図である。
【図３】参考形態に係り、固定子巻線２２の相配置の一例を示す模式図である。
【図４Ａ】第一実施形態に係り、固定子巻線２２の相配置の一例を示す模式図である。
【図４Ｂ】図４Ａにおいて、複数のコイルサイド２２ａの通電方向が修正されている固定子巻線２２の相配置の一例を示す模式図である。
【図４Ｃ】図４Ｂにおいて、同一のスロット２１ｃに収容されている同相のコイルサイド２２ａが当該スロット２１ｃ内において集約されている固定子巻線２２の相配置の一例を示す模式図である。
【図４Ｄ】変形形態に係り、図４Ｂにおける極対コイル６０の配置例を示す模式図である。
【図５Ａ】参考形態に係り、コイルサイド分布の一例を示す模式図である。
【図５Ｂ】第一実施形態に係り、コイルサイド分布の一例を示す模式図である。
【図６】第一実施形態に係り、極対コイル６０の構成例を示す模式図である。
【図７Ａ】第一実施形態に係り、Ｕ相コイル２２ｃｕの構成例を示す模式図である。
【図７Ｂ】変形形態に係り、Ｕ相コイル２２ｃｕの他の構成例を示す模式図である。
【図８】第一実施形態に係り、固定子巻線２２の構成例を示す模式図である。
【図９Ａ】第一実施形態に係り、Ｕ相とＶ相の単位コイル２２ｄ間の電位差ΔＵＶ１１，ΔＵＶ１２を模式的に示す図である。
【図９Ｂ】第一実施形態に係り、Ｕ相とＶ相の単位コイル２２ｄ間の電位差ΔＵＶ１３，ΔＵＶ１４，ΔＵＶ１５を模式的に示す図である。
【図９Ｃ】比較形態に係り、Ｕ相とＶ相の単位コイル２２ｄ間の電位差ΔＵＶ２１，ΔＵＶ２２，ΔＵＶ２３，ΔＵＶ２４を模式的に示す図である。
【図９Ｄ】比較形態に係り、Ｕ相とＶ相の単位コイル２２ｄ間の電位差ΔＵＶ２５を模式的に示す図である。
【図９Ｅ】他の比較形態に係り、Ｕ相とＶ相の単位コイル２２ｄ間の電位差ΔＵＶ３１，ΔＵＶ３２を模式的に示す図である。
【図９Ｆ】他の比較形態に係り、Ｕ相とＶ相の単位コイル２２ｄ間の電位差ΔＵＶ３３，ΔＵＶ３４，ΔＵＶ３５を模式的に示す図である。
【図９Ｇ】他の比較形態に係り、Ｕ相とＶ相の単位コイル２２ｄ間の電位差ΔＵＶ４１，ΔＵＶ４２，ΔＵＶ４３，ΔＵＶ４４を模式的に示す図である。
【図９Ｈ】他の比較形態に係り、Ｕ相とＶ相の単位コイル２２ｄ間の電位差ΔＵＶ４５，ΔＵＶ４６，ΔＵＶ４７を模式的に示す図である。
【図１０Ａ】第一実施形態に係り、Ｕ相コイル２２ｃｕの各極対コイル６０の結線の一例を示す結線図である。
【図１０Ｂ】第一実施形態に係り、Ｖ相コイル２２ｃｖの各極対コイル６０の結線の一例を示す結線図である。
【図１０Ｃ】第一実施形態に係り、Ｗ相コイル２２ｃｗの各極対コイル６０の結線の一例を示す結線図である。
【図１０Ｄ】第一実施形態に係り、複数（３つ）の相コイル２２ｃの各極対コイル６０の結線の一例を示す結線図である。
【図１１】第一実施形態に係り、図１０Ａに示す二磁極分（一磁極対分）の極対コイル６０が複数（８つ）のスロット２１ｃに装着されている状態を示す模式図である。
【図１２】比較形態に係り、極対コイル６０の各単位コイル２２ｄの巻進行方向が第二方向可動子側（矢印Ｙ１方向）のときに、極対コイル６０が複数（８つ）のスロット２１ｃに装着されている状態を示す模式図である。
【図１３】変形形態に係り、極対コイル６０の構成例を示す模式図である。
【図１４】変形形態に係り、極対コイル６０が複数（８つ）のスロット２１ｃに装着されている状態を示す模式図である。
【図１５】比較形態に係り、極対コイル６０の各単位コイル２２ｄの巻進行方向が第二方向可動子側（矢印Ｙ１方向）のときに、極対コイル６０が複数（８つ）のスロット２１ｃに装着されている状態を示す模式図である。
【図１６Ａ】第一実施形態に係り、Ｕ相コイル２２ｃｕが複数のスロット２１ｃに装着された状態を示す模式図である。
【図１６Ｂ】第一実施形態に係り、Ｖ相コイル２２ｃｖが複数のスロット２１ｃに装着された状態を示す模式図である。
【図１６Ｃ】第一実施形態に係り、Ｗ相コイル２２ｃｗが複数のスロット２１ｃに装着された状態を示す模式図である。
【図１６Ｄ】第一実施形態に係り、複数（３つ）の相コイル２２ｃ（Ｕ相コイル２２ｃｕ、Ｖ相コイル２２ｃｖおよびＷ相コイル２２ｃｗ）が複数のスロット２１ｃに装着された状態を示す模式図である。
【図１７Ａ】比較形態に係り、Ｕ相コイル２２ｃｕが複数のスロット２１ｃに装着された状態を示す模式図である。
【図１７Ｂ】比較形態に係り、Ｗ相コイル２２ｃｗが複数のスロット２１ｃに装着された状態を示す模式図である。
【図１７Ｃ】比較形態に係り、Ｖ相コイル２２ｃｖが複数のスロット２１ｃに装着された状態を示す模式図である。
【図１７Ｄ】比較形態に係り、複数（３つ）の相コイル２２ｃ（Ｕ相コイル２２ｃｕ、Ｖ相コイル２２ｃｖおよびＷ相コイル２２ｃｗ）が複数のスロット２１ｃに装着された状態を示す模式図である。
【図１８Ａ】第二実施形態に係り、固定子巻線２２の相配置の一例を示す模式図である。
【図１８Ｂ】図１８Ａにおいて、複数のコイルサイド２２ａの通電方向が修正されている固定子巻線２２の相配置の一例を示す模式図である。
【図１８Ｃ】図１８Ｂにおいて、同一のスロット２１ｃに収容されている同相のコイルサイド２２ａが当該スロット２１ｃ内において集約されている固定子巻線２２の相配置の一例を示す模式図である。
【図１８Ｄ】変形形態に係り、図１８Ｂにおける極対コイル６０の配置例を示す模式図である。
【図１９】第二実施形態に係り、コイルサイド分布の一例を示す模式図である。
【図２０】第二実施形態に係り、極対コイル６０の構成例を示す模式図である。
【図２１Ａ】第三実施形態に係り、固定子巻線２２の相配置の一例を示す模式図である。
【図２１Ｂ】変形形態に係り、図２１Ａにおける極対コイル６０の配置例を示す模式図である。
【図２２】第三実施形態に係り、コイルサイド分布の一例を示す模式図である。
【図２３】第三実施形態に係り、極対コイル６０の構成例を示す模式図である。
【図２４Ａ】第四実施形態に係り、固定子巻線２２の相配置の一例を示す模式図である。
【図２４Ｂ】図２４Ａにおいて、複数のコイルサイド２２ａの通電方向が修正されている固定子巻線２２の相配置の一例を示す模式図である。
【図２４Ｃ】図２４Ｂにおいて、同一のスロット２１ｃに収容されている同相のコイルサイド２２ａが当該スロット２１ｃ内において集約されている固定子巻線２２の相配置の一例を示す模式図である。
【図２５】第四実施形態に係り、コイルサイド分布の一例を示す模式図である。
【図２６】第四実施形態に係り、極対コイル６０の構成例を示す模式図である。
【図２７Ａ】第四実施形態に係り、Ｕ相コイル２２ｃｕの各極対コイル６０の結線の一例を示す結線図である。
【図２７Ｂ】変形形態に係り、Ｕ相コイル２２ｃｕの各極対コイル６０の他の結線の一例を示す結線図である。
【図２８Ａ】第五実施形態に係り、固定子巻線２２の相配置の一例を示す模式図である。
【図２８Ｂ】図２８Ａにおいて、複数のコイルサイド２２ａの通電方向が修正されている固定子巻線２２の相配置の一例を示す模式図である。
【図２８Ｃ】図２８Ｂにおいて、同一のスロット２１ｃに収容されている同相のコイルサイド２２ａが当該スロット２１ｃ内において集約されている固定子巻線２２の相配置の一例を示す模式図である。
【図２８Ｄ】変形形態に係り、固定子巻線２２の相配置および極対コイル６０の配置の他の一例を示す模式図である。
【図２９】第五実施形態に係り、コイルサイド分布の一例を示す模式図である。
【図３０Ａ】第五実施形態に係り、極対コイル６０の構成例を示す模式図である。
【図３０Ｂ】変形形態に係り、極対コイル６０の構成例を示す模式図である。
【図３１Ａ】第六実施形態に係り、固定子巻線２２の相配置の一例を示す模式図である。
【図３１Ｂ】図３１Ａにおいて、複数のコイルサイド２２ａの通電方向が修正されている固定子巻線２２の相配置の一例を示す模式図である。
【図３２】第六実施形態に係り、コイルサイド分布の一例を示す模式図である。
【図３３Ａ】比較形態に係り、固定子巻線２２の相配置の一例を示す模式図である。
【図３３Ｂ】図３３Ａにおいて、複数のコイルサイド２２ａの通電方向が修正されている固定子巻線２２の相配置の一例を示す模式図である。
【図３４】比較形態に係り、コイルサイド分布の一例を示す模式図である。
【図３５Ａ】他の比較形態に係り、固定子巻線２２の相配置の一例を示す模式図である。
【図３５Ｂ】図３５Ａにおいて、複数のコイルサイド２２ａの通電方向が修正されている固定子巻線２２の相配置の一例を示す模式図である。
【図３６】他の比較形態に係り、コイルサイド分布の一例を示す模式図である。
【図３７Ａ】第二基本コイル５２の第一方向（矢印Ｘ方向）の移動量の関係の一例を示す模式図である。
【図３７Ｂ】第二基本コイル５２の第一方向（矢印Ｘ方向）の移動量の関係の他の一例を示す模式図である。
【図３８Ａ】第一実施形態に対応する変形形態に係り、極対コイル６０の構成例を示す模式図である。
【図３８Ｂ】第二実施形態に対応する変形形態に係り、極対コイル６０の構成例を示す模式図である。
【図３８Ｃ】第三実施形態に対応する変形形態に係り、極対コイル６０の構成例を示す模式図である。
【図３８Ｄ】第四実施形態に対応する変形形態に係り、極対コイル６０の構成例を示す模式図である。
【図３８Ｅ】第五実施形態に対応する変形形態に係り、極対コイル６０の構成例を示す模式図である。
【図３８Ｆ】第五実施形態の変形形態に対応する変形形態に係り、極対コイル６０の構成例を示す模式図である。
【発明を実施するための形態】
【００１５】
本明細書では、複数の実施形態が図面に基づいて説明されている。なお、図面は、各実施形態について、共通する箇所には共通の符号が付されており、本明細書では、重複する説明が省略されている。また、一の実施形態で記述されていることは、適宜、他の実施形態についても適用することができる。さらに、図面は、概念図であり、細部構造の寸法まで規定するものではない。
【００１６】
＜第一実施形態＞
（回転電機１０の概略構成）
図１に示すように、本実施形態の回転電機１０は、固定子２０と、可動子３０とを具備している。固定子２０は、固定子鉄心２１と、固定子巻線２２とを備えている。固定子鉄心２１には、複数（本実施形態では、６０個）のスロット２１ｃが形成されており、複数（６０個）のスロット２１ｃには、固定子巻線２２が巻装されている。固定子巻線２２は、互いに位相が異なる複数（本実施形態では、３つ）の相コイル２２ｃを備えている。つまり、本実施形態の回転電機１０は、三相機である。
【００１７】
可動子３０は、固定子２０に対して移動可能に支持されており、可動子鉄心３１と、可動子鉄心３１に設けられている複数（本実施形態では、８極）の可動子磁極３２（４組の一対の可動子磁極３２ａ，３２ｂ）とを備えている。このように、本実施形態の回転電機１０は、８極６０スロット構成の回転電機（可動子３０の磁極数が２極、固定子２０のスロット数が１５スロットを基本構成とする回転電機）であり、毎極毎相スロット数は２．５である。つまり、本実施形態の回転電機１０は、毎極毎相スロット数が整数でない分数スロット構成の回転電機である。
【００１８】
ここで、毎極毎相スロット数を帯分数で表したときの整数部分を整数部ａとする。また、帯分数の真分数部分を既約分数で表したときの分子部分を分子部ｂ、分母部分を分母部ｃとする。なお、整数部ａは、０（ゼロ）または正の整数とし、分子部ｂおよび分母部ｃは、いずれも正の整数とする。また、三相の回転電機１０では、分母部ｃは、２以上、かつ、３の倍数でない整数とする。本実施形態では、毎極毎相スロット数が２．５であり、整数部ａは２、分子部ｂは１、分母部ｃは２である。また、本明細書では、毎極毎相スロット数の分子部ｂおよび分母部ｃを用いて、ｂ／ｃ系列の回転電機１０と表記する。つまり、本実施形態の回転電機１０は、１／２系列の回転電機１０である。
【００１９】
さらに、固定子２０に対する可動子３０の移動方向を第一方向（矢印Ｘ方向）とする。また、固定子２０と可動子３０の対向方向を第二方向（矢印Ｙ方向）とする。さらに、第二方向（矢印Ｙ方向）のうちの固定子２０側から可動子３０側に向かう方向を第二方向可動子側（矢印Ｙ１方向）とする。また、第二方向（矢印Ｙ方向）のうちの可動子３０側から固定子２０側に向かう方向を第二方向固定子側（矢印Ｙ２方向）とする。さらに、第一方向（矢印Ｘ方向）および第二方向（矢印Ｙ方向）のいずれの方向に対しても直交する方向を第三方向（矢印Ｚ方向）とする。
【００２０】
図１に示すように、本実施形態の回転電機１０は、固定子２０および可動子３０が同軸に配されるラジアル空隙型の円筒状回転電機である。よって、第一方向（矢印Ｘ方向）は、回転電機１０の周方向に相当し、固定子２０に対する可動子３０の回転方向に相当する。また、第二方向（矢印Ｙ方向）は、回転電機１０の径方向に相当し、スロット２１ｃの深さ方向に相当する。さらに、第三方向（矢印Ｚ方向）は、回転電機１０の軸線方向に相当する。
【００２１】
固定子鉄心２１は、例えば、電磁鋼板２１ｘが第三方向（矢印Ｚ方向）に複数積層されて形成されている。複数の電磁鋼板２１ｘは、例えば、ケイ素鋼板を用いることができ、複数の電磁鋼板２１ｘの各々は、薄板状に形成されている。固定子鉄心２１は、ヨーク部２１ａと、ヨーク部２１ａと一体に形成されている複数（本実施形態では、６０個）のティース部２１ｂとを備えている。
【００２２】
ヨーク部２１ａは、第一方向（矢印Ｘ方向）に沿って形成されている。複数（６０個）のティース部２１ｂは、ヨーク部２１ａから第二方向可動子側（矢印Ｙ１方向）に突出するように形成されている。また、第一方向（矢印Ｘ方向）に隣接するティース部２１ｂ，２１ｂによって、スロット２１ｃが形成されており、複数（６０個）のスロット２１ｃには、固定子巻線２２が挿通されている。さらに、複数（６０個）のティース部２１ｂの各々は、ティース先端部２１ｄを備えている。ティース先端部２１ｄは、ティース部２１ｂの第二方向可動子側（矢印Ｙ１方向）の先端部をいい、第一方向（矢印Ｘ方向）に幅広に形成されている。
【００２３】
固定子巻線２２は、例えば、銅などの導体表面がエナメルなどの絶縁層で被覆されている。固定子巻線２２の断面形状は、特に限定されるものではなく、任意の断面形状とすることができる。例えば、断面円形状の丸線、断面多角形状の角線などの種々の断面形状の巻線を用いることができる。また、複数のより細い巻線素線を組み合わせた並列細線を用いることもできる。並列細線を用いる場合、単線の場合と比べて固定子巻線２２に発生する渦電流損を低減することができ、回転電機１０の効率が向上する。また、巻線成形に要する力を低減することができるので、成形性が向上して製作が容易になる。
【００２４】
固定子巻線２２は、複数のコイルサイド２２ａと、複数のコイルエンド２２ｂと、を有している。複数のコイルサイド２２ａは、複数（６０個）のスロット２１ｃに収容されている部位をいう。複数のコイルエンド２２ｂは、複数のコイルサイド２２ａの同一側端部をそれぞれ接続している部位をいう。また、固定子巻線２２は、複数（３つ）の相コイル２２ｃの各々において、複数（本実施形態では、複数（８極）の可動子磁極３２の一磁極対あたり、４つ）の単位コイル２２ｄを備えている。
【００２５】
図２に示すように、各単位コイル２２ｄは、複数（６０個）のスロット２１ｃのうちの一対のスロット２１ｃ，２１ｃ間で同心状に巻装され、一対のコイルサイド２２ａ，２２ａと、一対のコイルエンド２２ｂ，２２ｂと、を備えている。一対のコイルサイド２２ａ，２２ａと、一対のコイルエンド２２ｂ，２２ｂとは、一体に形成されている。後述するように、複数（３つ）の相コイル２２ｃの各々は、複数（８極）の可動子磁極３２の一磁極対あたり、一対のコイルサイド２２ａ，２２ａ間のコイルピッチが異なる複数種類（本実施形態では、４種類）の単位コイル２２ｄを備えており、極対コイル６０が構成されている。
【００２６】
本実施形態の固定子巻線２２は、分布巻で巻装されている。分布巻では、固定子巻線２２の巻ピッチが、１スロットピッチより大きく設定され、複数（８極）の可動子磁極３２の概ね１磁極幅で巻装される。分布巻では、既述した毎極毎相スロット数の整数部ａは、１以上の正の整数（本実施形態では、２）になる。
【００２７】
可動子鉄心３１は、例えば、電磁鋼板３１ｘが第三方向（矢印Ｚ方向）に複数積層されて形成されている。複数の電磁鋼板３１ｘは、例えば、ケイ素鋼板を用いることができ、複数の電磁鋼板３１ｘの各々は、薄板状に形成されている。本実施形態の回転電機１０は、円筒状回転電機であり、可動子鉄心３１は、円柱状に形成されている。また、可動子鉄心３１には、第一方向（矢印Ｘ方向）に沿って複数の磁石収容部（図示略）が設けられている。
【００２８】
複数の磁石収容部には、所定磁極数分（本実施形態では、８極）の永久磁石（可動子磁極３２であり、４組の一対の可動子磁極３２ａ，３２ｂ）が埋設されており、永久磁石と固定子２０に発生する回転磁界とによって、可動子３０が移動可能（回転可能）になっている。本明細書では、一対の可動子磁極３２ａ，３２ｂのうちの一方の極性（例えば、Ｎ極）を備える可動子磁極３２は、可動子磁極３２ａで示されている。一対の可動子磁極３２ａ，３２ｂのうちの他方の極性（例えば、Ｓ極）を備える可動子磁極３２は、可動子磁極３２ｂで示されている。
【００２９】
永久磁石は、例えば、公知のフェライト系磁石や希土類系磁石を用いることができる。また、永久磁石の製法は、限定されない。永久磁石は、例えば、樹脂ボンド磁石や焼結磁石を用いることができる。樹脂ボンド磁石は、例えば、フェライト系の原料磁石粉末と樹脂などを混合して、射出成形などによって可動子鉄心３１に鋳込み形成される。焼結磁石は、例えば、希土類系の原料磁石粉末を磁界中で加圧成形して、高温で焼き固めて形成される。なお、可動子３０は、表面磁石形にすることもできる。表面磁石形の可動子３０は、固定子鉄心２１の各ティース先端部２１ｄと対向する可動子鉄心３１の表面（外側表面）に永久磁石が設けられる。
【００３０】
本実施形態では、可動子３０は、固定子２０の内方（回転電機１０の軸心側）に設けられており、固定子２０に対して移動可能（回転可能）に支持されている。具体的には、可動子鉄心３１には、シャフト（図示略）が設けられており、シャフトは、可動子鉄心３１の軸心を第三方向（矢印Ｚ方向）に沿って貫通している。シャフトの第三方向（矢印Ｚ方向）の両端部は、軸受部材（図示略）によって、回転可能に支持されている。これにより、可動子３０は、固定子２０に対して、移動可能（回転可能）になっている。
【００３１】
（固定子巻線２２の相配置に起因する回転電機１０の騒音および振動）
図３は、参考形態の固定子巻線２２の相配置の一例を示している。参考形態の回転電機１０は、本実施形態の回転電機１０と同様に、８極６０スロット構成の回転電機（可動子３０の磁極数が２極、固定子２０のスロット数が１５スロットを基本構成とする回転電機）である。また、参考形態の回転電機１０は、本実施形態の回転電機１０と同様に三相機であり、固定子巻線２２は、複数（３つ）の相コイル２２ｃを備えている。複数（３つ）の相コイル２２ｃを、Ｕ相コイル２２ｃｕ、Ｖ相コイル２２ｃｖ、Ｗ相コイル２２ｃｗとする。Ｕ相コイル２２ｃｕ、Ｖ相コイル２２ｃｖおよびＷ相コイル２２ｃｗは、電気角で１２０°ずつ、位相がずれており、Ｕ相コイル２２ｃｕ、Ｖ相コイル２２ｃｖ、Ｗ相コイル２２ｃｗの順に位相が遅れているものとする。
【００３２】
同図は、複数（２５個）のスロット２１ｃに収容されている複数（一層あたり２５個、合計５０個）のコイルサイド２２ａの相（Ｕ相、Ｖ相またはＷ相）を示している。なお、コイルサイド２２ａの数（コイルサイド数ＣＮ）は、相（Ｕ相、Ｖ相またはＷ相）毎のコイルサイド２２ａの分布を説明するために、便宜上、規定したものであり、実際のコイルサイド２２ａの数（実際の巻線の数）を示すものではない。また、同図では、コイルサイド２２ａの通電方向は、アスタリスクの有無で表されている。具体的には、アスタリスクが付されている相（例えば、Ｕ＊）は、アスタリスクが付されていない相（例えば、Ｕ）に対して、コイルサイド２２ａの通電方向が逆方向に設定されている。本参考形態の回転電機１０は、本実施形態の回転電機１０と同様に、毎極毎相スロット数が２．５である。そのため、第一方向（矢印Ｘ方向）に隣接する同相の数は、第一層Ｌ１および第二層Ｌ２の各層で、２と３とが交互に繰り返されている。
【００３３】
また、同図に示す位置座標ＰＰは、複数（２５個）のスロット２１ｃの第一方向（矢印Ｘ方向）の位置を示している。位置座標ＰＰは、説明の便宜上、設定されたものであり、複数（一層あたり２５個、合計５０個）のコイルサイド２２ａの第一方向（矢印Ｘ方向）の位置が特定可能になっている。さらに、同図では、複数（３つ）の可動子磁極３２（可動子磁極３２ａ，３２ｂ，３２ａ）が併記されている。
【００３４】
ここで、第一方向（矢印Ｘ方向）に連続して隣り合う複数（本参考形態では、３つ）のスロット２１ｃに収容されている同相の電流方向が同じ複数（本参考形態では、５つ）のコイルサイド２２ａの集合を一相帯４１とする。例えば、位置座標ＰＰが０、１および２の複数（３つ）のスロット２１ｃに収容されているＵ相の複数（５つ）のコイルサイド２２ａ（同図では、Ｕ＊で示す）の集合は、一相帯４１である。同図では、Ｕ相の一相帯４１を構成する複数（５つ）のコイルサイド２２ａが囲まれて明示されているが、Ｖ相およびＷ相についても、同様に一相帯４１が構成されている。
【００３５】
さらに、一相帯４１を構成する複数（本参考形態では、５つ）のコイルサイド２２ａの配置および当該複数（５つ）のコイルサイド２２ａの第一方向（矢印Ｘ方向）における位置の両方を加味して算出される一相帯４１の中心を一相帯４１のコイルサイド中心ＣＣとする。例えば、位置座標ＰＰが０のスロット２１ｃには、Ｕ相の複数（２つ）のコイルサイド２２ａ（同図では、２つのＵ＊で示す）が収容されている。また、位置座標ＰＰが１のスロット２１ｃには、Ｕ相の複数（２つ）のコイルサイド２２ａ（同図では、２つのＵ＊で示す）が収容されている。さらに、位置座標ＰＰが２のスロット２１ｃには、Ｕ相の一つのコイルサイド２２ａ（同図では、一つのＵ＊で示す）が収容されている。よって、位置座標ＰＰが０、１および２の複数（３つ）のスロット２１ｃに形成されているＵ相の一相帯４１のコイルサイド中心ＣＣ１１は、例えば、下記数１から算出することができ、コイルサイド中心ＣＣ１１は、０．８になる。
（数１）
ＣＣ１１＝（０×２＋１×２＋２×１）／（２＋２＋１）＝０．８
【００３６】
位置座標ＰＰが７のスロット２１ｃには、Ｕ相の一つのコイルサイド２２ａ（同図では、一つのＵで示す）が収容されている。また、位置座標ＰＰが８のスロット２１ｃには、Ｕ相の複数（２つ）のコイルサイド２２ａ（同図では、２つのＵで示す）が収容されている。さらに、位置座標ＰＰが９のスロット２１ｃには、Ｕ相の複数（２つ）のコイルサイド２２ａ（同図では、２つのＵで示す）が収容されている。よって、位置座標ＰＰが７、８および９の複数（３つ）のスロット２１ｃに形成されているＵ相の一相帯４１のコイルサイド中心ＣＣ１２は、例えば、下記数２から算出することができ、コイルサイド中心ＣＣ１２は、８．２になる。
（数２）
ＣＣ１２＝（７×１＋８×２＋９×２）／（１＋２＋２）＝８．２
【００３７】
位置座標ＰＰが１５のスロット２１ｃには、Ｕ相の複数（２つ）のコイルサイド２２ａ（同図では、２つのＵ＊で示す）が収容されている。また、位置座標ＰＰが１６のスロット２１ｃには、Ｕ相の複数（２つ）のコイルサイド２２ａ（同図では、２つのＵ＊で示す）が収容されている。さらに、位置座標ＰＰが１７のスロット２１ｃには、Ｕ相の一つのコイルサイド２２ａ（同図では、一つのＵ＊で示す）が収容されている。よって、位置座標ＰＰが１５、１６および１７の複数（３つ）のスロット２１ｃに形成されているＵ相の一相帯４１のコイルサイド中心ＣＣ１３は、例えば、下記数３から算出することができ、コイルサイド中心ＣＣ１３は、１５．８になる。
（数３）
ＣＣ１３＝（１５×２＋１６×２＋１７×１）／（２＋２＋１）＝１５．８
【００３８】
位置座標ＰＰが２２のスロット２１ｃには、Ｕ相の一つのコイルサイド２２ａ（同図では、一つのＵで示す）が収容されている。また、位置座標ＰＰが２３のスロット２１ｃには、Ｕ相の複数（２つ）のコイルサイド２２ａ（同図では、２つのＵで示す）が収容されている。さらに、位置座標ＰＰが２４のスロット２１ｃには、Ｕ相の複数（２つ）のコイルサイド２２ａ（同図では、２つのＵで示す）が収容されている。よって、位置座標ＰＰが２２、２３および２４の複数（３つ）のスロット２１ｃに形成されているＵ相の一相帯４１のコイルサイド中心ＣＣ１４は、例えば、下記数４から算出することができ、コイルサイド中心ＣＣ１４は、２３．２になる。
（数４）
ＣＣ１４＝（２２×１＋２３×２＋２４×２）／（１＋２＋２）＝２３．２
【００３９】
上述した算出結果から、Ｕ相の一相帯４１のコイルサイド中心ＣＣ１１とコイルサイド中心ＣＣ１２との間の距離は、７．４（＝８．２−０．８）になる。また、Ｕ相の一相帯４１のコイルサイド中心ＣＣ１２とコイルサイド中心ＣＣ１３との間の距離は、７．６（＝１５．８−８．２）になる。さらに、Ｕ相の一相帯４１のコイルサイド中心ＣＣ１３とコイルサイド中心ＣＣ１４との間の距離は、７．４（＝２３．２−１５．８）になる。このように、第一方向（矢印Ｘ方向）において隣接する同相（Ｕ相）の一相帯４１のコイルサイド中心ＣＣ間の距離は、７．４および７．６が交互に繰り返される。そのため、第一方向（矢印Ｘ方向）において隣接する同相（Ｕ相）の一相帯４１のコイルサイド中心ＣＣ間の距離は、複数（８極）の可動子磁極３２の毎極において均等にはならず、一磁極対毎に均等になる。
【００４０】
一方、Ｕ相の一相帯４１を構成する複数のコイルサイド２２ａの数（コイルサイド数ＣＮ）は、いずれも５つであり、一相帯４１を構成する複数のコイルサイド２２ａによって発生する起磁力の大きさは、複数（８極）の可動子磁極３２の毎極において均等である。このように、本明細書では、一相帯４１を構成する複数のコイルサイド２２ａによって発生する起磁力の大きさが、複数（８極）の可動子磁極３２の毎極において均等であるコイルを基本コイル５０という。図３に示すように、本参考形態の固定子巻線２２は、一つの基本コイル５０を備えている。
【００４１】
また、本明細書では、一相帯４１を構成する複数（本参考形態では、５つ）のコイルサイド２２ａの第一方向（矢印Ｘ方向）の分布幅をコイルサイド分布幅とする。図３から明らかなように、本参考形態のコイルサイド分布幅は、毎極において３スロット分である。さらに、本明細書では、複数（８極）の可動子磁極３２を基準にした実質のコイルサイド分布幅を実効コイルサイド分布幅とする。例えば、位置座標ＰＰが０のスロット２１ｃに収容されているＵ相の複数（２つ）のコイルサイド２２ａ（同図では、２つのＵ＊で示す）の複数（８極）の可動子磁極３２を基準にした等価位置は、位置座標ＰＰが７．５の位置になる。また、位置座標ＰＰが１のスロット２１ｃに収容されているＵ相の複数（２つ）のコイルサイド２２ａ（同図では、２つのＵ＊で示す）の複数（８極）の可動子磁極３２を基準にした等価位置は、位置座標ＰＰが８．５の位置になる。さらに、位置座標ＰＰが２のスロット２１ｃに収容されているＵ相の一つのコイルサイド２２ａ（同図では、一つのＵ＊で示す）の複数（８極）の可動子磁極３２を基準にした等価位置は、位置座標ＰＰが９．５の位置になる。つまり、実効コイルサイド分布幅は、位置座標ＰＰが７から９．５までの３．５スロット分である。
【００４２】
逆に、例えば、位置座標ＰＰが７のスロット２１ｃに収容されているＵ相の一つのコイルサイド２２ａ（同図では、一つのＵで示す）の複数（８極）の可動子磁極３２を基準にした等価位置は、位置座標ＰＰが−０．５の位置になる。また、位置座標ＰＰが８のスロット２１ｃに収容されているＵ相の複数（２つ）のコイルサイド２２ａ（同図では、２つのＵで示す）の複数（８極）の可動子磁極３２を基準にした等価位置は、位置座標ＰＰが０．５の位置になる。さらに、位置座標ＰＰが９のスロット２１ｃに収容されているＵ相の複数（２つ）のコイルサイド２２ａ（同図では、２つのＵで示す）の複数（８極）の可動子磁極３２を基準にした等価位置は、位置座標ＰＰが１．５の位置になる。つまり、実効コイルサイド分布幅は、位置座標ＰＰが−０．５から２までの３．５スロット分である。このように、１／２系列の回転電機１０では、第一方向（矢印Ｘ方向）において隣接する同相（Ｕ相）の一相帯４１は、複数（８極）の可動子磁極３２を基準にした等価位置が、１／２スロット分、ずれている。同図に示すＵ相の一相帯４１の近傍の数字は、Ｕ相の一相帯４１を構成する複数のコイルサイド２２ａの数（コイルサイド数ＣＮ）を上述した等価位置で示している。
【００４３】
Ｕ相の一相帯４１を構成する複数のコイルサイド２２ａの数（コイルサイド数ＣＮ）は、複数（８極）の可動子磁極３２の毎極において均等であるので、固定子巻線２２が通電されたときに発生する起磁力の大きさは、複数（８極）の可動子磁極３２の毎極において均等になる。しかしながら、第一方向（矢印Ｘ方向）において隣接する同相（Ｕ相）の一相帯４１のコイルサイド中心ＣＣ間の距離は、７．４および７．６が交互に繰り返されるので、起磁力分布は、複数（８極）の可動子磁極３２の一磁極毎には等価にならず、一磁極対毎に隔極で等価になる。つまり、１／２系列の回転電機１０は、二種類の起磁力分布を備えている。
【００４４】
二種類の起磁力分布は、固定子鉄心２１に対して、可動子３０の磁極数（本参考形態では、８極）に依拠する次数（本参考形態では、８次（空間８次））と比べて、低次（本参考形態では、４次（空間４次））の起振力を発生させる。そのため、駆動回転数が広範囲に亘る回転電機１０では、固定子鉄心２１の固有振動数と一致する回転数が、駆動回転数範囲内に生じ易くなる。その結果、固定子２０の共振が発生し、回転電機１０の騒音および振動が増大する可能性がある。そこで、本実施形態では、起磁力の大きさが均等であっても、起磁力分布が均等でない状態（回転対称性をもたない状態）を改善することによって、固定子巻線２２の相配置に起因する回転電機１０の騒音および振動を低減する。なお、図３の図示の方法について既述したことは、固定子巻線２２の相配置を示す後述する図面についても同様に言える。また、本明細書では、固定子巻線２２の相配置がＵ相を例に説明されているが、Ｖ相およびＷ相についても同様に言える。
【００４５】
（本実施形態の固定子巻線２２の構成と起磁力分布）
図４Ａに示すように、固定子巻線２２は、複数（本実施形態では、４つ）の基本コイル５０を備えている。複数（４つ）の基本コイル５０の各々は、参考形態で既述した基本コイル５０と同一構成である。また、複数（４つ）の基本コイル５０は、第一基本コイル５１と、少なくとも一つの第二基本コイル５２（本実施形態では、３つの第二基本コイル５２）とを備えている。第一基本コイル５１は、第一方向（矢印Ｘ方向）における毎極の一相帯４１の配置に関して基準になるコイルをいう。第二基本コイル５２は、第一基本コイル５１に対して、第一方向（矢印Ｘ方向）における毎極の一相帯４１の配置が異なるコイルをいう。
【００４６】
さらに、少なくとも一つの第二基本コイル５２（本実施形態では、３つの第二基本コイル５２）は、第一基本コイル５１に対して、第一方向（矢印Ｘ方向）に所定スロットピッチ分、移動した位置に配置されていると好適である。また、所定スロットピッチは、移動単位量のｎ倍（但し、ｎは１以上の自然数）で表されると好適である。さらに、移動単位量は、ＮＩスロットピッチであり、ＮＩは、毎極スロット数（本実施形態では、７．５）の直近の整数または１であると好適である。また、少なくとも一つの第二基本コイル５２（本実施形態では、３つの第二基本コイル）の各々の所定スロットピッチを列挙した数列である第一数列は、移動単位量の１倍からｎ倍までのすべての自然数倍を含むと好適である。
【００４７】
本実施形態では、複数（３つ）の第二基本コイル５２は、第一基本コイル５１に対して、第一方向（矢印Ｘ方向）のうちの一の方向（後述する第一方向第二極コイル側（矢印Ｘ１方向））に移動した位置に配置されている。また、移動単位量は、毎極スロット数（本実施形態では、７．５）より小さい直近の整数である７スロットピッチに設定されている。さらに、複数（３つ）の第二基本コイル５２のうちの一の第二基本コイル５２（例えば、第三層Ｌ３および第四層Ｌ４を形成する第二基本コイル５２）は、所定スロットピッチが、移動単位量である７スロットピッチの１倍（７スロットピッチ（７ｓｐ））に設定されている。複数（３つ）の第二基本コイル５２のうちの他の一の第二基本コイル５２（例えば、第五層Ｌ５および第六層Ｌ６を形成する第二基本コイル５２）は、所定スロットピッチが、移動単位量である７スロットピッチの１倍（７スロットピッチ（７ｓｐ））に設定されている。複数（３つ）の第二基本コイル５２のうちの他の一の第二基本コイル５２（例えば、第七層Ｌ７および第八層Ｌ８を形成する第二基本コイル５２）は、所定スロットピッチが、移動単位量である７スロットピッチの２倍（１４スロットピッチ（１４ｓｐ））に設定されている。このように、本実施形態では、所定スロットピッチを規定するｎは、１および２である。また、第一数列は、移動単位量である７スロットピッチの１倍（７スロットピッチ（７ｓｐ））から２倍（１４スロットピッチ（１４ｓｐ））までのすべての自然数倍を含んでいる。
【００４８】
例えば、第一基本コイル５１において、位置座標ＰＰが０、１および２の複数（３つ）のスロット２１ｃに形成されているＵ相の一相帯４１は、第三層Ｌ３および第四層Ｌ４を形成する第二基本コイル５２では、位置座標ＰＰが７、８および９の複数（３つ）のスロット２１ｃに形成されている。また、第一基本コイル５１において、位置座標ＰＰが０、１および２の複数（３つ）のスロット２１ｃに形成されているＵ相の一相帯４１は、第五層Ｌ５および第六層Ｌ６を形成する第二基本コイル５２では、位置座標ＰＰが７、８および９の複数（３つ）のスロット２１ｃに形成されている。
【００４９】
さらに、第一基本コイル５１において、位置座標ＰＰが０、１および２の複数（３つ）のスロット２１ｃに形成されているＵ相の一相帯４１は、第七層Ｌ７および第八層Ｌ８を形成する第二基本コイル５２では、位置座標ＰＰが１４、１５および１６の複数（３つ）のスロット２１ｃに形成されている。上述したことは、他のＵ相の一相帯４１についても同様に言える。
【００５０】
ここで、第一基本コイル５１の一の一相帯４１を構成する複数（本実施形態では、５つ）のコイルサイド２２ａと、少なくとも一つの第二基本コイル５２（本実施形態では、３つの第二基本コイル５２）の各々の一の一相帯４１を構成する複数（本実施形態では、５つ）のコイルサイド２２ａと、が混成されて新しく形成される一相帯４１を混成一相帯４２とする。例えば、第一基本コイル５１のＵ相の一相帯４１は、位置座標ＰＰが０、１および２の複数（３つ）のスロット２１ｃに形成されている。第三層Ｌ３および第四層Ｌ４を形成する第二基本コイル５２のＵ相の一相帯４１は、位置座標ＰＰが−１、０および１の複数（３つ）のスロット２１ｃに形成されている。第五層Ｌ５および第六層Ｌ６を形成する第二基本コイル５２のＵ相の一相帯４１は、位置座標ＰＰが−１、０および１の複数（３つ）のスロット２１ｃに形成されている。
【００５１】
第七層Ｌ７および第八層Ｌ８を形成する第二基本コイル５２のＵ相の一相帯４１は、位置座標ＰＰが−１、０および１の複数（３つ）のスロット２１ｃに形成されている。この場合、Ｕ相の混成一相帯４２は、位置座標ＰＰが−１、０、１および２の複数（４つ）のスロット２１ｃに形成されている。また、Ｕ相の混成一相帯４２を構成する複数のコイルサイド２２ａの数（コイルサイド数ＣＮ）は、２０個である。
【００５２】
固定子巻線２２は、混成一相帯４２を構成する複数のコイルサイド２２ａによって発生する起磁力の大きさが複数（本実施形態では、８極）の可動子磁極３２の毎極において均等になるように、複数（本実施形態では、４つ）の基本コイル５０が混成されている。具体的には、複数（３つ）の第二基本コイル５２は、第一基本コイル５１に対して、第一方向（矢印Ｘ方向）に所定スロットピッチ（７スロットピッチ（７ｓｐ）または１４スロットピッチ（１４ｓｐ））分、移動されて、複数（４つ）の基本コイル５０が積層されている。これにより、本実施形態の固定子巻線２２は、第一層Ｌ１〜第八層Ｌ８の八層に形成されている。
【００５３】
また、混成一相帯４２を構成する複数（本実施形態では、２０個）のコイルサイド２２ａの配置および当該複数（２０個）のコイルサイド２２ａの第一方向（矢印Ｘ方向）における位置の両方を加味して算出される混成一相帯４２の中心を混成一相帯４２のコイルサイド中心ＣＣとする。例えば、位置座標ＰＰが−１のスロット２１ｃには、Ｕ相の複数（４つ）のコイルサイド２２ａが収容されている。また、位置座標ＰＰが０のスロット２１ｃには、Ｕ相の複数（８つ）のコイルサイド２２ａが収容されている。さらに、位置座標ＰＰが１のスロット２１ｃには、Ｕ相の複数（７つ）のコイルサイド２２ａが収容されている。また、位置座標ＰＰが２のスロット２１ｃには、Ｕ相の一つのコイルサイド２２ａが収容されている。よって、位置座標ＰＰが−１、０、１および２の複数（４つ）のスロット２１ｃに形成されているＵ相の混成一相帯４２のコイルサイド中心ＣＣ２１は、例えば、下記数５から算出することができ、コイルサイド中心ＣＣ２１は、０．２５になる。
（数５）
ＣＣ２１＝（−１×４＋０×８＋１×７＋２×１）／（４＋８＋７＋１）＝０．２５
【００５４】
同様に、例えば、第一基本コイル５１のＵ相の一相帯４１は、位置座標ＰＰが７、８および９の複数（３つ）のスロット２１ｃに形成されている。第三層Ｌ３および第四層Ｌ４を形成する第二基本コイル５２のＵ相の一相帯４１は、位置座標ＰＰが７、８および９の複数（３つ）のスロット２１ｃに形成されている。第五層Ｌ５および第六層Ｌ６を形成する第二基本コイル５２のＵ相の一相帯４１は、位置座標ＰＰが７、８および９の複数（３つ）のスロット２１ｃに形成されている。
【００５５】
第七層Ｌ７および第八層Ｌ８を形成する第二基本コイル５２のＵ相の一相帯４１は、位置座標ＰＰが６、７および８の複数（３つ）のスロット２１ｃに形成されている。この場合、Ｕ相の混成一相帯４２は、位置座標ＰＰが６、７、８および９の複数（４つ）のスロット２１ｃに形成されている。また、Ｕ相の混成一相帯４２を構成する複数のコイルサイド２２ａの数（コイルサイド数ＣＮ）は、２０個である。
【００５６】
位置座標ＰＰが６のスロット２１ｃには、Ｕ相の一つのコイルサイド２２ａが収容されている。また、位置座標ＰＰが７のスロット２１ｃには、Ｕ相の複数（７つ）のコイルサイド２２ａが収容されている。さらに、位置座標ＰＰが８のスロット２１ｃには、Ｕ相の複数（８つ）のコイルサイド２２ａが収容されている。また、位置座標ＰＰが９のスロット２１ｃには、Ｕ相の複数（４つ）のコイルサイド２２ａが収容されている。よって、位置座標ＰＰが６、７、８および９の複数（４つ）のスロット２１ｃに形成されているＵ相の混成一相帯４２のコイルサイド中心ＣＣ２２は、例えば、下記数６から算出することができ、コイルサイド中心ＣＣ２２は、７．７５になる。
（数６）
ＣＣ２２＝（６×１＋７×７＋８×８＋９×４）／（１＋７＋８＋４）＝７．７５
【００５７】
また、Ｕ相の混成一相帯４２は、例えば、位置座標ＰＰが１４、１５、１６および１７の複数（４つ）のスロット２１ｃに形成されている。上記の混成一相帯４２を構成する複数のコイルサイド２２ａの数（コイルサイド数ＣＮ）は、２０個である。上記の混成一相帯４２のコイルサイド中心ＣＣ２３は、例えば、下記数７から算出することができ、コイルサイド中心ＣＣ２３は、１５．２５になる。
（数７）
ＣＣ２３＝（１４×４＋１５×８＋１６×７＋１７×１）／（４＋８＋７＋１）
＝１５．２５
【００５８】
さらに、Ｕ相の混成一相帯４２は、例えば、位置座標ＰＰが２１、２２、２３および２４の複数（４つ）のスロット２１ｃに形成されている。上記の混成一相帯４２を構成する複数のコイルサイド２２ａの数（コイルサイド数ＣＮ）は、２０個である。上記の混成一相帯４２のコイルサイド中心ＣＣ２４は、例えば、下記数８から算出することができ、コイルサイド中心ＣＣ２４は、２２．７５になる。
（数８）
ＣＣ２４＝（２１×１＋２２×７＋２３×８＋２４×４）／（１＋７＋８＋４）
＝２２．７５
【００５９】
上述した算出結果から、Ｕ相の混成一相帯４２のコイルサイド中心ＣＣ２１とコイルサイド中心ＣＣ２２との間の距離は、７．５（＝７．７５−０．２５）になる。また、Ｕ相の混成一相帯４２のコイルサイド中心ＣＣ２２とコイルサイド中心ＣＣ２３との間の距離は、７．５（＝１５．２５−７．７５）になる。さらに、Ｕ相の混成一相帯４２のコイルサイド中心ＣＣ２３とコイルサイド中心ＣＣ２４との間の距離は、７．５（＝２２．７５−１５．２５）になる。このように、第一方向（矢印Ｘ方向）において隣接する同相（Ｕ相）の混成一相帯４２のコイルサイド中心ＣＣ間の距離は、７．５であり、均等である。そのため、第一方向（矢印Ｘ方向）において隣接する同相（Ｕ相）の混成一相帯４２のコイルサイド中心ＣＣ間の距離は、複数（８極）の可動子磁極３２の毎極において均等になる。
【００６０】
ここで、第一方向（矢印Ｘ方向）において隣接する同相（Ｕ相）の混成一相帯４２のコイルサイド中心ＣＣ間の距離の比を隣接コイルサイド比とする。既述した参考形態（固定子巻線２２が一つの基本コイル５０を備える形態）では、隣接コイルサイド比は、０．９７４（＝７．４／７．６）である。一方、本実施形態（固定子巻線２２が複数（４つ）の基本コイル５０を備える形態）では、隣接コイルサイド比は、１（＝７．５／７．５）である。このように、隣接コイルサイド比が１に近づく程、第一方向（矢印Ｘ方向）において隣接する同相（Ｕ相）の混成一相帯４２のコイルサイド中心ＣＣ間の距離は、均等化されていると言える。
【００６１】
Ｕ相の混成一相帯４２を構成する複数のコイルサイド２２ａの数（コイルサイド数ＣＮ）は、いずれも２０個であり、複数（８極）の可動子磁極３２の毎極において均等である。そのため、固定子巻線２２が通電されたときに発生する起磁力の大きさは、複数（８極）の可動子磁極３２の毎極において均等になる。さらに、第一方向（矢印Ｘ方向）において隣接する同相（Ｕ相）の混成一相帯４２のコイルサイド中心ＣＣ間の距離は、複数（８極）の可動子磁極３２の毎極において均等である。よって、起磁力分布は、複数（８極）の可動子磁極３２の毎極において等価になり、本実施形態の回転電機１０は、一種類の起磁力分布を備えている。
【００６２】
このように、本実施形態では、起磁力分布の回転対称性が改善されている。その結果、本実施形態の回転電機１０は、可動子３０の磁極数（本実施形態では、８極）に依拠する次数（本実施形態では、８次（空間８次））と比べて、低次（本実施形態では、４次（空間４次））の起振力が低減される。よって、本実施形態の回転電機１０は、固定子鉄心２１の固有振動数と一致する回転数が高まり、例えば、駆動回転数範囲外に設定することができる。つまり、本実施形態の回転電機１０は、固定子２０の共振機会を回避して、回転電機１０の騒音および振動を低減することができる。
【００６３】
なお、本実施形態の回転電機１０によれば、回転電機１０の騒音および振動の低減に付随して、トルクリップルも低減することもできる。トルクリップルは、回転電機１０の出力トルクに生じる脈動であり、可動子３０の移動に伴う固定子２０と可動子３０との間の磁束変化の脈動に起因して発生する。通電に伴うトルクリップルの一例として、スロットリップル、ポールリップルなどが挙げられる。
【００６４】
また、回転電機１０の騒音および振動を低減する方法として、固定子鉄心２１の各ティース先端部２１ｄ、または、各ティース先端部２１ｄと対向する可動子鉄心３１の表面（外側表面）に、切り欠きを設ける手法が挙げられる。しかしながら、この手法は、実質的に空隙の拡大となり、トルク目減りが増大する。本実施形態の回転電機１０は、トルク目減りを抑制しつつ、回転電機１０の騒音および振動を低減することができる。
【００６５】
なお、図４Ａに示す相配置は、同一のスロット２１ｃに収容されている同相の複数のコイルサイド２２ａにおいて、通電方向が異なるコイルサイド２２ａが混在している。そのため、図４Ｂに示すように、複数のコイルサイド２２ａの通電方向を修正する必要がある。例えば、図４Ｂに示す第三層Ｌ３および第四層Ｌ４を形成する第二基本コイル５２において、位置座標ＰＰが７、８および９の複数（３つ）のスロット２１ｃに収容されているＵ相の複数（５つ）のコイルサイド２２ａの通電方向は、図４Ａに示す通電方向に対して反転されている。
【００６６】
また、図４Ｂに示す第五層Ｌ５および第六層Ｌ６を形成する第二基本コイル５２において、位置座標ＰＰが７、８および９の複数（３つ）のスロット２１ｃに収容されているＵ相の複数（５つ）のコイルサイド２２ａの通電方向は、図４Ａに示す通電方向に対して反転されている。上述したことは、図４Ｂに示す第三層Ｌ３および第四層Ｌ４を形成する第二基本コイル５２の他の一相帯４１についても同様に言える。また、上述したことは、同図に示す第五層Ｌ５および第六層Ｌ６を形成する第二基本コイル５２の他の一相帯４１についても同様に言える。なお、第七層Ｌ７および第八層Ｌ８を形成する第二基本コイル５２では、コイルサイド２２ａの通電方向は、正しいので、コイルサイド２２ａの通電方向を反転する必要はない。
【００６７】
また、図４Ｃに示すように、本実施形態では、同一のスロット２１ｃに収容されている複数のコイルサイド２２ａは、当該スロット２１ｃ内において、同相のコイルサイド２２ａが集約されている。例えば、図４Ｂに示す第五層Ｌ５および第六層Ｌ６を形成する第二基本コイル５２において、位置座標ＰＰが−１のスロット２１ｃに収容されているＵ相のコイルサイド２２ａは、図４Ｃでは、第五層Ｌ５から第六層Ｌ６に移動されている。図４Ｂに示す第三層Ｌ３および第四層Ｌ４を形成する第二基本コイル５２において、位置座標ＰＰが−１のスロット２１ｃに収容されているＵ相のコイルサイド２２ａは、図４Ｃでは、第三層Ｌ３から第五層Ｌ５に移動されている。このようにして、図４Ｃでは、位置座標ＰＰが−１のスロット２１ｃにおいて、Ｕ相の複数（４つ）のコイルサイド２２ａが集約され、Ｖ相の複数（４つ）のコイルサイド２２ａが集約されている。
【００６８】
また、図４Ｂに示す第七層Ｌ７および第八層Ｌ８を形成する第二基本コイル５２において、位置座標ＰＰが１のスロット２１ｃに収容されているＵ相のコイルサイド２２ａは、図４Ｃでは、第八層Ｌ８から第七層Ｌ７に移動されている。このようにして、図４Ｃでは、位置座標ＰＰが１のスロット２１ｃにおいて、Ｕ相の複数（７つ）のコイルサイド２２ａが集約されている。さらに、図４Ｂに示す第一基本コイル５１において、位置座標ＰＰが２のスロット２１ｃに収容されているＵ相のコイルサイド２２ａは、図４Ｃでは、第二層Ｌ２から第一層Ｌ１に移動されている。このようにして、図４Ｃでは、位置座標ＰＰが２のスロット２１ｃにおいて、Ｗ相の複数（７つ）のコイルサイド２２ａが集約されている。上述したことは、他の混成一相帯４２についても同様に言える。
【００６９】
本実施形態では、相間（Ｕ相、Ｖ相およびＷ相のうちの任意の相の間）の境界が単純化（相間の境界の凹凸が最小化）されており、相間の絶縁が容易になっている。例えば、相間を絶縁する絶縁紙の形状が単純化され、絶縁紙の配置が容易になる。このように、複数（本実施形態では、４つ）の基本コイル５０の混成には、同一のスロット２１ｃに収容される少なくとも一つのコイルサイド２２ａの当該スロット２１ｃ内の配置を変更した形態が含まれる。
【００７０】
さらに、例えば、位置座標ＰＰが−１、０、１および２の複数（４つ）のスロット２１ｃに形成されているＵ相の混成一相帯４２のコイルサイド分布幅は、４スロット分である。位置座標ＰＰが６、７、８および９の複数（４つ）のスロット２１ｃに形成されているＵ相の混成一相帯４２のコイルサイド分布幅は、４スロット分である。また、位置座標ＰＰが−１、０、１および２の複数（４つ）のスロット２１ｃに形成されているＵ相の混成一相帯４２の実効コイルサイド分布幅は、４．５スロット分である。位置座標ＰＰが６、７、８および９の複数（４つ）のスロット２１ｃに形成されているＵ相の混成一相帯４２の実効コイルサイド分布幅は、４．５スロット分である。
【００７１】
このように、本実施形態の実効コイルサイド分布幅（４．５スロット分）は、既述した参考形態（固定子巻線２２が一つの基本コイル５０を備える形態）の実効コイルサイド分布幅（３．５スロット分）と比べて、増加している。そのため、本実施形態の起磁力分布は、参考形態の起磁力分布と比べて、なだらかになる。なお、起磁力分布は、コイルサイド分布に基づいて形成されるので、上述したことは、コイルサイド分布からも言える。
【００７２】
図５Ａは、参考形態（固定子巻線２２が一つの基本コイル５０を備える形態）のコイルサイド分布の一例を示している。コイルサイド分布は、位置座標ＰＰ毎の同相（Ｕ相）の一相帯４１を構成するコイルサイド２２ａの数（コイルサイド数ＣＮ）を示しており、同図では、コイルサイド分布は、棒グラフによって示されている。横軸は、位置座標ＰＰを示しており、縦軸は、Ｕ相の一相帯４１を構成するコイルサイド２２ａの数（コイルサイド数ＣＮ）を示している。
【００７３】
なお、スロットサイズ（スロット２１ｃの深さ）は変わらないので、コイルサイド分布を示す後述する図面（例えば、図５Ｂなど）を含めて、縦軸の上限は、一定になる必要がある。しかしながら、コイルサイド分布を示す図では、説明の便宜上、縦軸は、コイルサイド２２ａの数（コイルサイド数ＣＮ）を示しており、縦軸の上限は、必ずしも一定になっていない。コイルサイド分布を示す図では、棒グラフの相対的な高さの比率と棒グラフの分布が意味をもつ。例えば、図５Ａに示す位置座標ＰＰが０、１および２の棒グラフの相対的な高さの比率は、２：２：１であり、図５Ｂに示す位置座標ＰＰが−１、０、１および２の棒グラフの相対的な高さの比率は、４：８：７：１である。
【００７４】
また、説明の便宜上、棒グラフの横軸方向の幅を１スロット分とし、隣接する棒グラフの間には、ティース部２１ｂの第一方向（矢印Ｘ方向）の幅に相当する空白が設けられている。但し、同図は、ティース部２１ｂの第一方向（矢印Ｘ方向）の幅を規定するものではない。さらに、同図では、複数（８極）の可動子磁極３２の一磁極対分のコイルサイド分布が図示されている。同図に示すコイルサイド分布は、複数（８極）の可動子磁極３２の一磁極対毎に繰り返される。図５Ａの図示の方法について既述したことは、コイルサイド分布を示す後述する図面についても同様に言える。但し、後述する図面では、縦軸は、混成一相帯４２を構成するコイルサイド２２ａの数（コイルサイド数ＣＮ）を示している。
【００７５】
図３に示すように、例えば、位置座標ＰＰが０のスロット２１ｃには、Ｕ相の複数（２つ）のコイルサイド２２ａが収容されている。そのため、図５Ａに示すように、位置座標ＰＰが０におけるＵ相の一相帯４１を構成するコイルサイド２２ａの数（コイルサイド数ＣＮ）は、２とする。同様に、位置座標ＰＰが１のスロット２１ｃには、Ｕ相の複数（２つ）のコイルサイド２２ａが収容されており、位置座標ＰＰが１におけるＵ相の一相帯４１を構成するコイルサイド２２ａの数（コイルサイド数ＣＮ）は、２とする。また、位置座標ＰＰが２のスロット２１ｃには、Ｕ相の一つのコイルサイド２２ａが収容されており、位置座標ＰＰが２におけるＵ相の一相帯４１を構成するコイルサイド２２ａの数（コイルサイド数ＣＮ）は、１とする。
【００７６】
位置座標ＰＰが７のスロット２１ｃには、Ｕ相の一つのコイルサイド２２ａが収容されており、位置座標ＰＰが７におけるＵ相の一相帯４１を構成するコイルサイド２２ａの数（コイルサイド数ＣＮ）は、１とする。また、位置座標ＰＰが８のスロット２１ｃには、Ｕ相の複数（２つ）のコイルサイド２２ａが収容されており、位置座標ＰＰが８におけるＵ相の一相帯４１を構成するコイルサイド２２ａの数（コイルサイド数ＣＮ）は、２とする。さらに、位置座標ＰＰが９のスロット２１ｃには、Ｕ相の複数（２つ）のコイルサイド２２ａが収容されており、位置座標ＰＰが９におけるＵ相の一相帯４１を構成するコイルサイド２２ａの数（コイルサイド数ＣＮ）は、２とする。
【００７７】
図５Ｂは、本実施形態（固定子巻線２２が複数（４つ）の基本コイル５０を備える形態）のコイルサイド分布の一例を示している。図４Ｃに示すように、例えば、位置座標ＰＰが−１のスロット２１ｃには、Ｕ相の複数（４つ）のコイルサイド２２ａが収容されている。そのため、図５Ｂに示すように、位置座標ＰＰが−１におけるＵ相のコイルサイド２２ａの数（コイルサイド数ＣＮ）は、４とする。同様に、位置座標ＰＰが０のスロット２１ｃには、Ｕ相の複数（８つ）のコイルサイド２２ａが収容されており、位置座標ＰＰが０におけるＵ相のコイルサイド２２ａの数（コイルサイド数ＣＮ）は、８とする。また、位置座標ＰＰが１のスロット２１ｃには、Ｕ相の複数（７つ）のコイルサイド２２ａが収容されており、位置座標ＰＰが１におけるＵ相のコイルサイド２２ａの数（コイルサイド数ＣＮ）は、７とする。さらに、位置座標ＰＰが２のスロット２１ｃには、Ｕ相の一つのコイルサイド２２ａが収容されており、位置座標ＰＰが２におけるＵ相のコイルサイド２２ａの数（コイルサイド数ＣＮ）は、１とする。
【００７８】
位置座標ＰＰが６のスロット２１ｃには、Ｕ相の一つのコイルサイド２２ａが収容されており、位置座標ＰＰが６におけるＵ相のコイルサイド２２ａの数（コイルサイド数ＣＮ）は、１とする。また、位置座標ＰＰが７のスロット２１ｃには、Ｕ相の複数（７つ）のコイルサイド２２ａが収容されており、位置座標ＰＰが７におけるＵ相のコイルサイド２２ａの数（コイルサイド数ＣＮ）は、７とする。さらに、位置座標ＰＰが８のスロット２１ｃには、Ｕ相の複数（８つ）のコイルサイド２２ａが収容されており、位置座標ＰＰが８におけるＵ相のコイルサイド２２ａの数（コイルサイド数ＣＮ）は、８とする。また、位置座標ＰＰが９のスロット２１ｃには、Ｕ相の複数（４つ）のコイルサイド２２ａが収容されており、位置座標ＰＰが９におけるＵ相のコイルサイド２２ａの数（コイルサイド数ＣＮ）は、４とする。
【００７９】
図５Ｂに示す本実施形態のコイルサイド分布は、図５Ａに示す参考形態のコイルサイド分布と比べて、第一方向（矢印Ｘ方向）に広がり、なだらかになっている。本実施形態では、混成一相帯４２を構成する複数（２０個）のコイルサイド２２ａは、参考形態の一相帯４１を構成する複数（５つ）のコイルサイド２２ａと比べて、広範囲の隣接する複数のスロット２１ｃに配置されている。その結果、固定子巻線２２が通電されたときに発生する起磁力分布は、第一方向（矢印Ｘ方向）に分散される。よって、固定子２０と可動子３０との間の吸引力分布も、なだらかになり、吸引力のピーク値（吸引力分布における基本波成分の振幅）および吸引力の変化量は、参考形態と比べて低減する。また、吸引力のピーク値が最大になる位置の第一方向（矢印Ｘ方向）におけるピッチも等ピッチ化される。よって、本実施形態の回転電機１０は、参考形態の回転電機１０と比べて、回転電機１０の騒音および振動を低減することができる。また、固定子２０と可動子３０との間の空隙に発生する磁束波形は、参考形態と比べて、正弦波に近づくので、本実施形態の回転電機１０は、参考形態と比べて、起磁力の高調波成分（例えば、五次および七次の成分）を低減することもできる。
【００８０】
なお、一相帯４１を構成する複数のコイルサイド２２ａによって発生する起磁力の大きさは、複数のコイルサイド２２ａを形成する複数の巻線に流れる電流の電流値と、複数のコイルサイド２２ａを形成する複数の巻線の巻数（ターン数であり、導体数）とを乗じた値になる。複数のコイルサイド２２ａを形成する複数の巻線は、直列接続および並列接続のうちの少なくとも一方によって電気的に接続することができる。但し、複数の巻線に並列接続される部位が存在すると、当該部位では、直列接続される場合と比べて、電流値が小さくなるので、起磁力の大きさも小さくなる。よって、複数の巻線の巻数（ターン数であり、導体数）を考える場合、並列接続される部位の導体数を直列接続の導体数に換算した直列換算導体数を用いる必要がある。例えば、複数（２つ）の巻線が直列接続される部位の各々の導体数を１とする。このとき、複数（２つ）の巻線が並列接続（二並列）される部位では、直列換算導体数は、２とする。
【００８１】
ここで、第一基本コイル５１の一の一相帯４１を構成する複数（本実施形態では、５つ）のコイルサイド２２ａの直列換算導体数を第一コイルサイド導体数とする。また、第一基本コイル５１の一の一相帯４１に対して第一方向（矢印Ｘ方向）に所定スロットピッチ（本実施形態では、７スロットピッチまたは１４スロットピッチ）分、移動した位置に配置されている少なくとも一つの第二基本コイル５２（本実施形態では、３つの第二基本コイル５２）の各々の一の一相帯４１を構成する複数（本実施形態では、５つ）のコイルサイド２２ａの直列換算導体数を第二コイルサイド導体数とする。
【００８２】
例えば、図４Ｂに示すように、第一基本コイル５１において、位置座標ＰＰが０、１および２の複数（３つ）のスロット２１ｃに形成されているＵ相の一相帯４１は、２．５スロット分を占有している。一つのスロット２１ｃを占有するコイルサイド２２ａの直列換算導体数を基準導体数ｔ０とすると、第一コイルサイド導体数は、２．５×ｔ０で表すことができる。第一基本コイル５１の当該一相帯４１に対して、第一方向（矢印Ｘ方向）に７スロットピッチ分、移動した位置に配置されている第二基本コイル５２のＵ相の一相帯４１は、位置座標ＰＰが７、８および９の複数（３つ）のスロット２１ｃに形成されており、５（＝２．５×２）スロット分を占有している。また、第一基本コイル５１の当該一相帯４１に対して、第一方向（矢印Ｘ方向）に１４スロットピッチ分、移動した位置に配置されている第二基本コイル５２のＵ相の一相帯４１は、位置座標ＰＰが１４、１５および１６の複数（３つ）のスロット２１ｃに形成されており、２．５スロット分を占有している。
【００８３】
このように、本実施形態では、複数（２つ）の第二コイルサイド導体数のうちの一方の第二コイルサイド導体数（この場合、２．５×ｔ０で表される）は、第一コイルサイド導体数と均等である。これに対して、複数（２つ）の第二コイルサイド導体数のうちの他方の第二コイルサイド導体数（この場合、５×ｔ０で表される）は、第一コイルサイド導体数と異なり、第一コイルサイド導体数の二倍になっている。上述したことは、他の一相帯４１についても同様に言える。
【００８４】
ここで、第一コイルサイド導体数と、所定スロットピッチが小さいものから順に所定スロットピッチ毎に列挙された少なくとも一つの第二コイルサイド導体数（本実施形態では、複数（２つ）の第二コイルサイド導体数）と、からなるコイルサイド導体数を列挙した要素数がｍ個（但し、ｍは３以上の自然数）の数列を第二数列とする。本実施形態では、ｍが３であり、第二数列の要素数は３個である。また、第二数列の要素を列挙すると、２．５×ｔ０、５×ｔ０、２．５×ｔ０となり、第二数列の各要素の比は、１：２：１になる。
【００８５】
本実施形態では、第二数列は、ｋ番目（但し、ｋはｍ／２以下の自然数）の要素のコイルサイド導体数と、（ｍ−ｋ＋１）番目の要素のコイルサイド導体数と、が同一である。具体的には、本実施形態では、ｍが３であるので、ｋは、１になる。１番目の要素のコイルサイド導体数は、２．５×ｔ０である。３（＝３−１＋１）番目の要素のコイルサイド導体数は、２．５×ｔ０である。よって、１番目の要素のコイルサイド導体数と、３番目の要素のコイルサイド導体数とは、同一である。また、第二数列は、２番目の要素のコイルサイド導体数（５×ｔ０）が、１番目の要素のコイルサイド導体数および３番目の要素のコイルサイド導体数（２．５×ｔ０）と比べて、二倍に設定されている。
【００８６】
本実施形態では、第二数列は、１番目の要素からｊ番目（但し、ｊはｍ／２であり、ｍ／２が自然数でないときには小数点以下を切り上げた自然数）の要素にかけて、コイルサイド導体数が増加しており、ｊ番目の要素からｍ番目の要素にかけて、コイルサイド導体数が減少している。具体的には、本実施形態では、ｍが３であるので、ｊは、２になる。また、１番目の要素のコイルサイド導体数は、２．５×ｔ０であり、２番目の要素のコイルサイド導体数は、５×ｔ０である。よって、第二数列は、１番目の要素から２番目の要素にかけて、コイルサイド導体数が増加している。一方、２番目の要素のコイルサイド導体数は、５×ｔ０であり、３番目の要素のコイルサイド導体数は、２．５×ｔ０である。よって、第二数列は、２番目の要素から３番目の要素にかけて、コイルサイド導体数が減少している。
【００８７】
上述したことは、ｍが４以上の自然数においても同様に言える。例えば、ｍが６の場合を想定する。第二数列の１番目の要素から６番目の要素を、順に、要素ＥＬ１、要素ＥＬ２、要素ＥＬ３、要素ＥＬ４、要素ＥＬ５、要素ＥＬ６とする。但し、要素ＥＬ１と要素ＥＬ６は、コイルサイド導体数が同一であり、要素ＥＬ２と要素ＥＬ５は、コイルサイド導体数が同一であり、要素ＥＬ３と要素ＥＬ４は、コイルサイド導体数が同一であるものとする。また、１番目の要素ＥＬ１から３番目の要素ＥＬ３にかけて、コイルサイド導体数が増加しており、４番目の要素ＥＬ４から６番目の要素ＥＬ６にかけて、コイルサイド導体数が減少しているものとする。
【００８８】
ｍが６であるので、ｋは３（＝６／２）以下の自然数になる。上記仮定したように、１番目の要素ＥＬ１と、６（＝６−１＋１）番目の要素ＥＬ６は、コイルサイド導体数が同一である。２番目の要素ＥＬ２と、５（＝６−２＋１）番目の要素ＥＬ５は、コイルサイド導体数が同一である。３番目の要素ＥＬ３と、４（＝６−３＋１）番目の要素ＥＬ４は、コイルサイド導体数が同一である。また、ｍが６であるので、ｊは、３になる。上記仮定したように、１番目の要素ＥＬ１から３番目の要素ＥＬ３にかけて、コイルサイド導体数が増加している。一方、４番目の要素ＥＬ４から６番目の要素ＥＬ６にかけて、コイルサイド導体数が減少している。
【００８９】
このように、第二数列は、ｋ番目（但し、ｋはｍ／２以下の自然数）の要素のコイルサイド導体数と、（ｍ−ｋ＋１）番目の要素のコイルサイド導体数と、が同一であると好適である。また、第二数列は、１番目の要素からｊ番目（但し、ｊはｍ／２であり、ｍ／２が自然数でないときには小数点以下を切り上げた自然数）の要素にかけて、コイルサイド導体数が増加しており、ｊ番目の要素からｍ番目の要素にかけて、コイルサイド導体数が減少していると好適である。さらに、本実施形態では、ｍは３である。この場合、第二数列は、２番目の要素のコイルサイド導体数が、１番目の要素のコイルサイド導体数および３番目の要素のコイルサイド導体数と比べて、二倍に設定されていると好適である。
【００９０】
（固定子巻線２２の構成例）
図４Ｃに示すように、複数（本実施形態では、４つ）の基本コイル５０が混成されている固定子巻線２２は、複数（本実施形態では、３つ）の相コイル２２ｃ（Ｕ相コイル２２ｃｕ、Ｖ相コイル２２ｃｖ、Ｗ相コイル２２ｃｗ）を含んでいる。複数（３つ）の相コイル２２ｃは、少なくとも一つ（本実施形態では、三相の各相４個、合計１２個）の極対コイル６０を具備しており、各極対コイル６０は、同心状に巻装されている複数（本実施形態では、４つ）の単位コイル２２ｄを備えている。なお、同図では、図示の便宜上、Ｕ相コイル２２ｃｕの一つの極対コイル６０を構成する複数（４つ）の単位コイル２２ｄが明示されている。
【００９１】
図６に示すように、複数（３つ）の相コイル２２ｃの各極対コイル６０は、第一極コイル６１ｆと第二極コイル６１ｓとを備え、第一極コイル６１ｆおよび第二極コイル６１ｓが電気的に直列接続されていると好適である。本実施形態では、第一極コイル６１ｆは、一対のコイルサイド２２ａ，２２ａ間のコイルピッチが異なる複数（２つ）の単位コイル２２ｄを備えており、当該複数（２つ）の単位コイル２２ｄを第一単位コイル２２ｄ１、第二単位コイル２２ｄ２とする。第一単位コイル２２ｄ１の一対のコイルサイド２２ａ，２２ａ間のコイルピッチは、７スロットピッチ（７ｓｐ）に設定されており、第二単位コイル２２ｄ２の一対のコイルサイド２２ａ，２２ａ間のコイルピッチは、５スロットピッチ（５ｓｐ）に設定されている。第一単位コイル２２ｄ１および第二単位コイル２２ｄ２は、同心状に巻装され、単位コイル間接続部６２によって直列接続されており、第一極コイル６１ｆが形成されている。
【００９２】
本実施形態では、第二極コイル６１ｓは、一対のコイルサイド２２ａ，２２ａ間のコイルピッチが異なる複数（２つ）の単位コイル２２ｄを備えており、当該複数（２つ）の単位コイル２２ｄを第三単位コイル２２ｄ３、第四単位コイル２２ｄ４とする。第三単位コイル２２ｄ３の一対のコイルサイド２２ａ，２２ａ間のコイルピッチは、６スロットピッチ（６ｓｐ）に設定されており、第四単位コイル２２ｄ４の一対のコイルサイド２２ａ，２２ａ間のコイルピッチは、４スロットピッチ（４ｓｐ）に設定されている。第三単位コイル２２ｄ３および第四単位コイル２２ｄ４は、同心状に巻装され、単位コイル間接続部６２によって直列接続されており、第二極コイル６１ｓが形成されている。第二極コイル６１ｓは、第一極コイル６１ｆが複数（８極）の可動子磁極３２のうちの一の可動子磁極３２（同図では、可動子磁極３２ａ）と対向するときに当該可動子磁極３２（可動子磁極３２ａ）に隣接する一の可動子磁極３２（同図では、可動子磁極３２ｂ）と対向する。
【００９３】
このように、各極対コイル６０を構成する複数（４つ）の単位コイル２２ｄ（第一単位コイル２２ｄ１、第二単位コイル２２ｄ２、第三単位コイル２２ｄ３および第四単位コイル２２ｄ４）は、一対のスロット２１ｃ，２１ｃに収容されている一対のコイルサイド２２ａ，２２ａ間のコイルピッチがそれぞれ異なる。また、各極対コイル６０を構成する複数（４つ）の単位コイル２２ｄ（第一単位コイル２２ｄ１、第二単位コイル２２ｄ２、第三単位コイル２２ｄ３および第四単位コイル２２ｄ４）は、一対のコイルサイド２２ａ，２２ａ間のコイルピッチが、いずれも毎極スロット数（本実施形態では、７．５）より短く設定されている。一方、二層重巻によって固定子巻線を構成する場合、単位コイルの一対のコイルサイド２２ａ，２２ａ間のコイルピッチは、いずれも７スロットピッチ（７ｓｐ）に設定される。よって、本実施形態の回転電機１０は、二層重巻構成の固定子巻線と比べて、固定子巻線２２の導体長を短くすることができ、固定子巻線２２に使用する導体量を少なくすることができる。
【００９４】
図４Ｂに示すように、第三層Ｌ３および第四層Ｌ４を形成する第二基本コイル５２と、第五層Ｌ５および第六層Ｌ６を形成する第二基本コイル５２とは、固定子２０上の配置が同じである。よって、これらの二つの第二基本コイル５２は、１種類の基本コイル５０と考える。これらの二つの第二基本コイル５２と、第一層Ｌ１および第二層Ｌ２を形成する第一基本コイル５１と、第七層Ｌ７および第八層Ｌ８を形成する第二基本コイル５２とは、固定子２０上の配置がそれぞれ異なる。よって、本実施形態の固定子巻線２２は、固定子２０上の配置が異なる奇数種類（本実施形態では、３種類）の複数（本実施形態では、４つ）の基本コイル５０を備えている。
【００９５】
また、図４Ｃに示すように、複数（４つ）の基本コイル５０は、同一のスロット２１ｃに収容されている同相のコイルサイド２２ａの当該スロット２１ｃ内の配置が相毎（Ｕ相、Ｖ相およびＷ相毎）に集約されている。さらに、複数（本実施形態では、３つ）の相コイル２２ｃの各々は、複数（４つ）の基本コイル５０の全体において、複数（本実施形態では、８極）の可動子磁極３２の磁極対数分（本実施形態では、４つ）の極対コイル６０を備えている。よって、例えば、複数（４つ）の基本コイル５０の各々において４つの極対コイル６０を備える場合と比べて、本実施形態の回転電機１０は、極対コイル６０の数を低減することができ、固定子巻線２２の簡素化を図ることができる。その結果、本実施形態の回転電機１０は、極対コイル６０間の配策の簡素化およびこれに伴う固定子巻線２２の小型化を図ることができ、固定子巻線２２の装着作業における作業性の向上を図ることができる。
【００９６】
さらに、図６に示すように、複数（３つ）の相コイル２２ｃの各極対コイル６０は、巻始め側の第一極コイル６１ｆから巻終り側の第二極コイル６１ｓへ引き回す極コイル間接続部６３を介して連続して巻進められていると好適である。本実施形態では、巻始め部６０ａから巻終り部６０ｂまで巻線が連続して巻進められて、極対コイル６０が形成されている。これにより、第一極コイル６１ｆを構成する複数（２つ）の単位コイル２２ｄ（第一単位コイル２２ｄ１および第二単位コイル２２ｄ２）と、第二極コイル６１ｓを構成する複数（２つ）の単位コイル２２ｄ（第三単位コイル２２ｄ３および第四単位コイル２２ｄ４）とが直列接続されている。本実施形態では、第一単位コイル２２ｄ１、第二単位コイル２２ｄ２、第三単位コイル２２ｄ３および第四単位コイル２２ｄ４は、この順に直列接続されている。なお、第一極コイル６１ｆおよび第二極コイル６１ｓの各々について、個別に巻装し、第一極コイル６１ｆおよび第二極コイル６１ｓを直列接続することによって、極対コイル６０を形成することもできる。また、複数の極対コイル６０の巻線を連続して巻進めて、直列接続された複数の極対コイル６０を形成することもできる。
【００９７】
また、複数（３つ）の相コイル２２ｃの各極対コイル６０は、第一コイル引出部６０ｆと第二コイル引出部６０ｓとからなる一対のコイル引出部６０ｆ，６０ｓを備えていると好適である。第一コイル引出部６０ｆは、第一極コイル６１ｆを構成する一の単位コイル２２ｄであって巻始めの単位コイル２２ｄ（本実施形態では、第一単位コイル２２ｄ１）の一のコイルサイド２２ａから引き出される。当該コイルサイド２２ａを第一コイルサイド２２ａ１とする。第二コイル引出部６０ｓは、第二極コイル６１ｓを構成する一の単位コイル２２ｄであって巻終りの単位コイル２２ｄ（本実施形態では、第四単位コイル２２ｄ４）の一のコイルサイド２２ａから引き出される。当該コイルサイド２２ａを第二コイルサイド２２ａ２とする。なお、図６では、極コイル間接続部６３によって接続される第一極コイル６１ｆ側のコイルサイド２２ａを第三コイルサイド２２ａ３とする。また、極コイル間接続部６３によって接続される第二極コイル６１ｓ側のコイルサイド２２ａを第四コイルサイド２２ａ４とする。
【００９８】
さらに、図７Ａに示すように、Ｕ相コイル２２ｃｕは、一対のコイル引出部６０ｆ，６０ｓを介して、Ｕ相の複数（４つ）の極対コイル６０が電気的に接続されていると好適である。具体的には、各極対コイル６０の巻始め部６０ａ同士が電気的に接続され、Ｕ相端子６ＴＵに接続されている。また、各極対コイル６０の巻終り部６０ｂ同士が電気的に接続され、中性点６Ｎに接続されている。これにより、Ｕ相コイル２２ｃｕを構成する複数（４つ）の極対コイル６０は、電気的に並列接続されている。
【００９９】
なお、Ｕ相コイル２２ｃｕは、直列接続されている複数（４つ）の極対コイル６０によって構成することもできる。また、図７Ｂに示すように、Ｕ相コイル２２ｃｕは、複数（４つ）の極対コイル６０のうちの第一方向（矢印Ｘ方向）に隣接または一磁極対分おきに存在する複数（２つ）の極対コイル６０を直列接続し、残りの第一方向（矢印Ｘ方向）に隣接または一磁極対分おきに存在する複数（２つ）の極対コイル６０を直列接続して、これらを並列接続することもできる。Ｕ相コイル２２ｃｕについて上述したことは、Ｖ相コイル２２ｃｖおよびＷ相コイル２２ｃｗについても同様に言える。このように、複数（３つ）の相コイル２２ｃの各々が具備する複数（４つ）の極対コイル６０は、直列接続および並列接続のうちの少なくとも一方により電気的に接続することができる。また、複数（３つ）の相コイル２２ｃの各々は、一対のコイル引出部６０ｆ，６０ｓを介して、同相の複数（４つ）の極対コイル６０が電気的に接続されていると好適である。
【０１００】
図６に示すように、第一方向（矢印Ｘ方向）のうちの第一極コイル６１ｆ側から第二極コイル６１ｓ側に向かう方向を第一方向第二極コイル側（矢印Ｘ１方向）とする。また、第一方向（矢印Ｘ方向）のうちの第二極コイル６１ｓ側から第一極コイル６１ｆ側に向かう方向を第一方向第一極コイル側（矢印Ｘ２方向）とする。既述したように、本実施形態の複数（３つ）の相コイル２２ｃは、Ｕ相コイル２２ｃｕ、Ｖ相コイル２２ｃｖおよびＷ相コイル２２ｃｗの順に１２０°ずつ、位相が遅れており、相順方向は、第一方向第二極コイル側（矢印Ｘ１方向）である。
【０１０１】
図８に示すように、本実施形態では、複数（３つ）の相コイル２２ｃ（Ｕ相コイル２２ｃｕ、Ｖ相コイル２２ｃｖおよびＷ相コイル２２ｃｗ）は、Ｙ結線で電気的に接続されている。Ｕ相端子６ＴＵは、Ｕ相コイル２２ｃｕの相端子を示し、Ｖ相端子６ＴＶは、Ｖ相コイル２２ｃｖの相端子を示し、Ｗ相端子６ＴＷは、Ｗ相コイル２２ｃｗの相端子を示している。中性点６Ｎは、中性点を示している。なお、複数（３つ）の相コイル２２ｃ（Ｕ相コイル２２ｃｕ、Ｖ相コイル２２ｃｖおよびＷ相コイル２２ｃｗ）は、Δ結線で電気的に接続することもできる。
【０１０２】
ここで、各極対コイル６０を構成する複数（本実施形態では、４つ）の単位コイル２２ｄのうちの一の単位コイル２２ｄであって一対のスロット２１ｃ，２１ｃに収容されている同相の一対のコイルサイド２２ａ，２２ａのスロット占有率が、当該複数（４つ）の単位コイル２２ｄの中で最小の単位コイル２２ｄをスロット占有率最小コイルとする。上述したように、本実施形態では、複数（３つ）の相コイル２２ｃは、中性点６Ｎを備える。この場合、複数（３つ）の相コイル２２ｃの各極対コイル６０は、スロット占有率最小コイルが中性点６Ｎと接続されていると好適である。
【０１０３】
また、各極対コイル６０を構成する複数（本実施形態では、４つ）の単位コイル２２ｄのうちの一の単位コイル２２ｄであって一対のスロット２１ｃ，２１ｃに収容されている同相の一対のコイルサイド２２ａ，２２ａのスロット占有率が、当該複数（４つ）の単位コイル２２ｄの中で最大の単位コイル２２ｄをスロット占有率最大コイルとする。本実施形態では、複数（３つ）の相コイル２２ｃの各極対コイル６０は、第一極コイル６１ｆにスロット占有率最大コイルを備え、第二極コイル６１ｓにスロット占有率最小コイルを備える。この場合、複数（３つ）の相コイル２２ｃの各極対コイル６０は、スロット占有率最大コイルがＸ相端子６ＴＸと接続されていると好適である。但し、Ｘは、Ｕ、ＶまたはＷである。
【０１０４】
図４Ｃに示すように、例えば、Ｕ相コイル２２ｃｕの各極対コイル６０を構成する複数（４つ）の単位コイル２２ｄを想定する。位置座標ＰＰが８のスロット２１ｃには、Ｕ相の複数（８つ）のコイルサイド２２ａ（同図では、８つのＵで示す）が収容されており、位置座標ＰＰが１５のスロット２１ｃには、Ｕ相の複数（８つ）のコイルサイド２２ａ（同図では、８つのＵ＊で示す）が収容されている。よって、位置座標ＰＰが８および１５の一対のスロット２１ｃ，２１ｃに収容されるＵ相の第一単位コイル２２ｄ１のスロット占有率は、１００％（＝８／８）である。また、位置座標ＰＰが９のスロット２１ｃには、Ｕ相の複数（４つ）のコイルサイド２２ａ（同図では、４つのＵで示す）が収容されており、位置座標ＰＰが１４のスロット２１ｃには、Ｕ相の複数（４つ）のコイルサイド２２ａ（同図では、４つのＵ＊で示す）が収容されている。よって、位置座標ＰＰが９および１４の一対のスロット２１ｃ，２１ｃに収容されるＵ相の第二単位コイル２２ｄ２のスロット占有率は、５０％（＝４／８）である。
【０１０５】
さらに、位置座標ＰＰが１６のスロット２１ｃには、Ｕ相の複数（７つ）のコイルサイド２２ａ（同図では、７つのＵ＊で示す）が収容されており、位置座標ＰＰが２２のスロット２１ｃには、Ｕ相の複数（７つ）のコイルサイド２２ａ（同図では、７つのＵで示す）が収容されている。よって、位置座標ＰＰが１６および２２の一対のスロット２１ｃ，２１ｃに収容されるＵ相の第三単位コイル２２ｄ３のスロット占有率は、８７．５％（＝７／８）である。また、位置座標ＰＰが１７のスロット２１ｃには、Ｕ相の一つのコイルサイド２２ａ（同図では、一つのＵ＊で示す）が収容されており、位置座標ＰＰが２１のスロット２１ｃには、Ｕ相の一つのコイルサイド２２ａ（同図では、一つのＵで示す）が収容されている。よって、位置座標ＰＰが１７および２１の一対のスロット２１ｃ，２１ｃに収容されるＵ相の第四単位コイル２２ｄ４のスロット占有率は、１２．５％（＝１／８）である。
【０１０６】
このように、本実施形態では、スロット占有率最小コイルは、第四単位コイル２２ｄ４であり、スロット占有率最大コイルは、第一単位コイル２２ｄ１である。また、図７Ａに示すように、本実施形態では、Ｕ相コイル２２ｃｕの各極対コイル６０は、スロット占有率最小コイルである第四単位コイル２２ｄ４が、中性点６Ｎと接続されている。さらに、Ｕ相コイル２２ｃｕの各極対コイル６０は、第一極コイル６１ｆにスロット占有率最大コイルである第一単位コイル２２ｄ１を備え、第二極コイル６１ｓにスロット占有率最小コイルである第四単位コイル２２ｄ４を備える。このとき、Ｕ相コイル２２ｃｕの各極対コイル６０は、スロット占有率最大コイルである第一単位コイル２２ｄ１が、Ｕ相端子６ＴＵと接続されている。上述したことは、Ｖ相コイル２２ｃｖおよびＷ相コイル２２ｃｗについても同様に言える。なお、図６では、スロット占有率（巻線の巻数比）が、分数表記されている。このことは、後述する図面においても同様である。
【０１０７】
図９Ａに示すように、Ｕ相の相電圧をＵ相電圧Ｖｕで示し、Ｖ相の相電圧をＶ相電圧Ｖｖで示し、Ｗ相の相電圧をＷ相電圧Ｖｗで示す。また、Ｕ相コイル２２ｃｕの各極対コイル６０は、スロット占有率が１００％（＝８／８）の第一単位コイル２２ｄ１、スロット占有率が５０％（＝４／８）の第二単位コイル２２ｄ２、スロット占有率が８７．５％（＝７／８）の第三単位コイル２２ｄ３、スロット占有率が１２．５％（＝１／８）の第四単位コイル２２ｄ４の順に、Ｕ相端子６ＴＵ側から中性点６Ｎ側に、４つの単位コイル２２ｄが直列接続されている。上述したことは、Ｖ相コイル２２ｃｖおよびＷ相コイル２２ｃｗについても同様に言える。
【０１０８】
また、Ｕ相電圧ＶｕおよびＶ相電圧Ｖｖに付されている矢印は、第一単位コイル２２ｄ１〜第四単位コイル２２ｄ４の各々が分担する分担電圧の大きさを模式的に示している。既述したように、第一単位コイル２２ｄ１は、スロット占有率が１００％（＝８／８）であり、第一単位コイル２２ｄ１が収容されるスロット２１ｃは、同相の単位コイル２２ｄが収容される。よって、当該スロット２１ｃにおいては、相間を絶縁する必要がない。一方、第二単位コイル２２ｄ２、第三単位コイル２２ｄ３および第四単位コイル２２ｄ４は、スロット占有率が１００％（＝８／８）ではないので、同一のスロット２１ｃ内に、相（Ｕ相、Ｖ相、Ｗ相）が異なる単位コイル２２ｄが収容される。よって、当該スロット２１ｃにおいては、相間を絶縁する必要がある。
【０１０９】
図９Ａ〜図９Ｈに示すように、一例として、Ｕ相とＶ相の単位コイル２２ｄ間の電位差を考える。例えば、図４Ｃに示すように、位置座標ＰＰが２２のスロット２１ｃには、スロット占有率が８７．５％（＝７／８）のＵ相の第三単位コイル２２ｄ３と、スロット占有率が１２．５％（＝１／８）のＶ相の第四単位コイル２２ｄ４とが収容されている。図９Ａに示すように、Ｕ相の第三単位コイル２２ｄ３のＵ相端子６ＴＵ側の端部と、Ｖ相の第四単位コイル２２ｄ４のＶ相端子６ＴＶ側の端部との間の電位差は、これらの単位コイル２２ｄ間の電位差の最大値になり、同図では、当該電位差は、電位差ΔＵＶ１１で示されている。
【０１１０】
同様に、例えば、図４Ｃに示すように、位置座標ＰＰが２１のスロット２１ｃには、スロット占有率が１２．５％（＝１／８）のＵ相の第四単位コイル２２ｄ４と、スロット占有率が８７．５％（＝７／８）のＶ相の第三単位コイル２２ｄ３とが収容されている。図９Ａに示すように、Ｕ相の第四単位コイル２２ｄ４のＵ相端子６ＴＵ側の端部と、Ｖ相の第三単位コイル２２ｄ３のＶ相端子６ＴＶ側の端部との間の電位差は、これらの単位コイル２２ｄ間の電位差の最大値になり、同図では、当該電位差は、電位差ΔＵＶ１２で示されている。
【０１１１】
また、例えば、図４Ｃに示すように、位置座標ＰＰが１４のスロット２１ｃには、スロット占有率が５０％（＝４／８）のＵ相の第二単位コイル２２ｄ２と、スロット占有率が５０％（＝４／８）のＶ相の第二単位コイル２２ｄ２とが収容されている。図９Ｂに示すように、Ｕ相の第二単位コイル２２ｄ２のＵ相端子６ＴＵ側の端部と、Ｖ相の第二単位コイル２２ｄ２のＶ相端子６ＴＶ側の端部との間の電位差は、これらの単位コイル２２ｄ間の電位差の最大値になり、同図では、当該電位差は、電位差ΔＵＶ１３で示されている。なお、同図では、Ｕ相の第二単位コイル２２ｄ２のＵ相端子６ＴＵ側の端部と、Ｖ相の第二単位コイル２２ｄ２の中性点６Ｎ側の端部との間の電位差は、電位差ΔＵＶ１４で示されている。また、Ｕ相の第二単位コイル２２ｄ２の中性点６Ｎ側の端部と、Ｖ相の第二単位コイル２２ｄ２の中性点６Ｎ側の端部との間の電位差は、電位差ΔＵＶ１５で示されている。
【０１１２】
図９Ｃおよび図９Ｄに示す比較形態では、Ｕ相コイル２２ｃｕの各極対コイル６０は、スロット占有率が８７．５％（＝７／８）の第一単位コイル２２ｄ１、スロット占有率が１２．５％（＝１／８）の第二単位コイル２２ｄ２、スロット占有率が１００％（＝８／８）の第三単位コイル２２ｄ３、スロット占有率が５０％（＝４／８）の第四単位コイル２２ｄ４の順に、Ｕ相端子６ＴＵ側から中性点６Ｎ側に、４つの単位コイル２２ｄが直列接続されている。上述したことは、Ｖ相コイル２２ｃｖおよびＷ相コイル２２ｃｗについても同様に言える。
【０１１３】
図９Ｃでは、Ｕ相の第一単位コイル２２ｄ１のＵ相端子６ＴＵ側の端部と、Ｖ相の第二単位コイル２２ｄ２のＶ相端子６ＴＶ側の端部との間の電位差は、電位差ΔＵＶ２１で示され、Ｕ相の第一単位コイル２２ｄ１のＵ相端子６ＴＵ側の端部と、Ｖ相の第二単位コイル２２ｄ２の中性点６Ｎ側の端部との間の電位差は、電位差ΔＵＶ２２で示されている。また、Ｕ相の第二単位コイル２２ｄ２のＵ相端子６ＴＵ側の端部と、Ｖ相の第一単位コイル２２ｄ１のＶ相端子６ＴＶ側の端部との間の電位差は、電位差ΔＵＶ２３で示され、Ｕ相の第二単位コイル２２ｄ２の中性点６Ｎ側の端部と、Ｖ相の第一単位コイル２２ｄ１のＶ相端子６ＴＶ側の端部との間の電位差は、電位差ΔＵＶ２４で示されている。さらに、図９Ｄでは、Ｕ相の第四単位コイル２２ｄ４のＵ相端子６ＴＵ側の端部と、Ｖ相の第四単位コイル２２ｄ４のＶ相端子６ＴＶ側の端部との間の電位差は、電位差ΔＵＶ２５で示されている。
【０１１４】
図９Ａに示す本実施形態の電位差ΔＵＶ１１および電位差ΔＵＶ１２は、図９Ｄに示す比較形態の電位差ΔＵＶ２５と比べて、若干、大きくなっている。しかしながら、図９Ｂに示す本実施形態の電位差ΔＵＶ１３〜電位差ΔＵＶ１５は、図９Ｃに示す比較形態の電位差ΔＵＶ２１〜電位差ΔＵＶ２４と比べて、十分、低減され、同一のスロット２１ｃに収容される相が異なる単位コイル２２ｄ間の電位差が低減されている。よって、本実施形態の回転電機１０は、相間の絶縁部材（例えば、相間紙など）を削減または簡素化することができ、部品点数の低減、巻装の自動化が容易になる。また、本実施形態の回転電機１０は、相間の絶縁部材の削減または簡素化によって占積率が向上し、固定子鉄心２１の小型化等を図ることができる。
【０１１５】
図９Ｅおよび図９Ｆに示す比較形態では、Ｕ相コイル２２ｃｕの各極対コイル６０は、スロット占有率が５０％（＝４／８）の第一単位コイル２２ｄ１、スロット占有率が１００％（＝８／８）の第二単位コイル２２ｄ２、スロット占有率が１２．５％（＝１／８）の第三単位コイル２２ｄ３、スロット占有率が８７．５％（＝７／８）の第四単位コイル２２ｄ４の順に、Ｕ相端子６ＴＵ側から中性点６Ｎ側に、４つの単位コイル２２ｄが直列接続されている。上述したことは、Ｖ相コイル２２ｃｖおよびＷ相コイル２２ｃｗについても同様に言える。
【０１１６】
図９Ｅでは、Ｕ相の第三単位コイル２２ｄ３のＵ相端子６ＴＵ側の端部と、Ｖ相の第四単位コイル２２ｄ４のＶ相端子６ＴＶ側の端部との間の電位差は、電位差ΔＵＶ３１で示され、Ｕ相の第四単位コイル２２ｄ４のＵ相端子６ＴＵ側の端部と、Ｖ相の第三単位コイル２２ｄ３のＶ相端子６ＴＶ側の端部との間の電位差は、電位差ΔＵＶ３２で示されている。また、図９Ｆでは、Ｕ相の第一単位コイル２２ｄ１のＵ相端子６ＴＵ側の端部と、Ｖ相の第一単位コイル２２ｄ１のＶ相端子６ＴＶ側の端部との間の電位差は、電位差ΔＵＶ３３で示され、Ｕ相の第一単位コイル２２ｄ１のＵ相端子６ＴＵ側の端部と、Ｖ相の第一単位コイル２２ｄ１の中性点６Ｎ側の端部との間の電位差は、電位差ΔＵＶ３４で示されている。さらに、Ｕ相の第一単位コイル２２ｄ１の中性点６Ｎ側の端部と、Ｖ相の第一単位コイル２２ｄ１の中性点６Ｎ側の端部との間の電位差は、電位差ΔＵＶ３５で示されている。
【０１１７】
図９Ａに示す本実施形態の電位差ΔＵＶ１１および電位差ΔＵＶ１２は、図９Ｅに示す比較形態の電位差ΔＵＶ３１および電位差ΔＵＶ３２と比べて、十分、低減されている。また、図９Ｂに示す本実施形態の電位差ΔＵＶ１３〜電位差ΔＵＶ１５は、図９Ｆに示す比較形態の電位差ΔＵＶ３３〜電位差ΔＵＶ３５と比べて、十分、低減されている。よって、いずれの場合も、同一のスロット２１ｃに収容される相が異なる単位コイル２２ｄ間の電位差が十分、低減されており、既述した効果は、さらに顕著になる。
【０１１８】
図９Ｇおよび図９Ｈに示す比較形態では、Ｕ相コイル２２ｃｕの各極対コイル６０は、スロット占有率が１２．５％（＝１／８）の第一単位コイル２２ｄ１、スロット占有率が８７．５％（＝７／８）の第二単位コイル２２ｄ２、スロット占有率が５０％（＝４／８）の第三単位コイル２２ｄ３、スロット占有率が１００％（＝８／８）の第四単位コイル２２ｄ４の順に、Ｕ相端子６ＴＵ側から中性点６Ｎ側に、４つの単位コイル２２ｄが直列接続されている。上述したことは、Ｖ相コイル２２ｃｖおよびＷ相コイル２２ｃｗについても同様に言える。
【０１１９】
図９Ｇでは、Ｕ相の第一単位コイル２２ｄ１のＵ相端子６ＴＵ側の端部と、Ｖ相の第二単位コイル２２ｄ２のＶ相端子６ＴＶ側の端部との間の電位差は、電位差ΔＵＶ４１で示され、Ｕ相の第一単位コイル２２ｄ１のＵ相端子６ＴＵ側の端部と、Ｖ相の第二単位コイル２２ｄ２の中性点６Ｎ側の端部との間の電位差は、電位差ΔＵＶ４２で示されている。また、Ｕ相の第二単位コイル２２ｄ２のＵ相端子６ＴＵ側の端部と、Ｖ相の第一単位コイル２２ｄ１のＶ相端子６ＴＶ側の端部との間の電位差は、電位差ΔＵＶ４３で示され、Ｕ相の第二単位コイル２２ｄ２の中性点６Ｎ側の端部と、Ｖ相の第一単位コイル２２ｄ１のＶ相端子６ＴＶ側の端部との間の電位差は、電位差ΔＵＶ４４で示されている。さらに、図９Ｈでは、Ｕ相の第三単位コイル２２ｄ３のＵ相端子６ＴＵ側の端部と、Ｖ相の第三単位コイル２２ｄ３のＶ相端子６ＴＶ側の端部との間の電位差は、電位差ΔＵＶ４５で示され、Ｕ相の第三単位コイル２２ｄ３のＵ相端子６ＴＵ側の端部と、Ｖ相の第三単位コイル２２ｄ３の中性点６Ｎ側の端部との間の電位差は、電位差ΔＵＶ４６で示されている。また、Ｕ相の第三単位コイル２２ｄ３の中性点６Ｎ側の端部と、Ｖ相の第三単位コイル２２ｄ３の中性点６Ｎ側の端部との間の電位差は、電位差ΔＵＶ４７で示されている。
【０１２０】
図９Ａに示す本実施形態の電位差ΔＵＶ１１および電位差ΔＵＶ１２は、図９Ｈに示す比較形態の電位差ΔＵＶ４５〜電位差ΔＵＶ４７と比べて、十分、低減されている。また、図９Ｂに示す本実施形態の電位差ΔＵＶ１３〜電位差ΔＵＶ１５は、図９Ｇに示す比較形態の電位差ΔＵＶ４１〜電位差ΔＵＶ４４と比べて、十分、低減されている。よって、いずれの場合も、同一のスロット２１ｃに収容される相が異なる単位コイル２２ｄ間の電位差が十分、低減されており、既述した効果は、さらに顕著になる。
【０１２１】
なお、本実施形態では、スロット占有率最小コイル（第四単位コイル２２ｄ４）のスロット占有率は、１２．５％（＝１／８）であり、第一単位コイル２２ｄ１のスロット占有率は、１００％（＝８／８）である。よって、スロット占有率最小コイル（第四単位コイル２２ｄ４）の巻数を巻数Ｎとすると、第一単位コイル２２ｄ１の巻数は、巻数Ｎの八倍で表すことができる。同様に、第二単位コイル２２ｄ２のスロット占有率は、５０％（＝４／８）であるので、第二単位コイル２２ｄ２の巻数は、巻数Ｎの四倍で表すことができる。また、第三単位コイル２２ｄ３のスロット占有率は、８７．５％（＝７／８）であるので、第三単位コイル２２ｄ３の巻数は、巻数Ｎの七倍で表すことができる。
【０１２２】
以上より、複数（３つ）の相コイル２２ｃの各極対コイル６０を構成する複数（４つ）の単位コイル２２ｄの巻数は、２０×Ｎ（＝（８＋４＋７＋１）×Ｎ）で表すことができる。また、中性点６Ｎと任意の単位コイル２２ｄとの間の電圧は、中性点６Ｎから当該単位コイル２２ｄまでの巻数の合計と、全体の巻数（２０×Ｎ）との比を用いて、相電圧の分圧として表すことができる。さらに、例えば、Ｕ相電圧ＶｕとＶ相電圧Ｖｖとの間の位相差は、１２０°であり、Ｕ相電圧Ｖｕの大きさとＶ相電圧Ｖｖの大きさは等しい。よって、例えば、図９Ａに示す本実施形態の電位差ΔＵＶ１１は、Ｕ相電圧Ｖｕの大きさ｜Ｖｕ｜を用いて、余弦定理から下記数９で表すことができる。また、図９Ｂに示す本実施形態の電位差ΔＵＶ１３は、Ｕ相電圧Ｖｕの大きさ｜Ｖｕ｜を用いて、余弦定理から下記数１０で表すことができる。
（数９）
ΔＵＶ１１＝｜Ｖｕ｜×√｛（８／２０）２＋（１／２０）２−２×（８／２０）×（１／２０）×ｃｏｓ１２０°｝＝｜Ｖｕ｜／２０×√７３
（数１０）
ΔＵＶ１３＝｜Ｖｕ｜×√｛（１２／２０）２＋（１２／２０）２−２×（１２／２０）×（１２／２０）×ｃｏｓ１２０°｝＝｜Ｖｕ｜×３／５×√３
【０１２３】
なお、Ｕ相とＶ相の単位コイル２２ｄ間の電位差について既述したことは、Ｖ相とＷ相の単位コイル２２ｄ間の電位差、および、Ｗ相とＵ相の単位コイル２２ｄ間の電位差についても、同様に言える。また、例えば、後述する８極３６スロット構成の回転電機（可動子３０の磁極数が２極、固定子２０のスロット数が９スロットを基本構成とする回転電機）では、図３８Ａ〜図３８Ｃおよび図３８Ｆに示すように、複数（３つ）の相コイル２２ｃの各極対コイル６０は、スロット占有率最大コイルおよびスロット占有率最小コイルの両方を第二極コイル６１ｓに備える形態が含まれる。この形態において複数（３つ）の相コイル２２ｃが中性点６Ｎを備える場合、複数（３つ）の相コイル２２ｃの各極対コイル６０は、スロット占有率最小コイルが中性点６Ｎと接続されていると好適である。
【０１２４】
図１０Ａは、Ｕ相コイル２２ｃｕの各極対コイル６０の結線の一例を示している。同図は、第二方向（矢印Ｙ方向）のうちのスロット開口部２１ｃ２側から視た模式図である。同図では、Ｕ相コイル２２ｃｕの四磁極分（二磁極対分）の複数（２つ）の極対コイル６０が図示されており、複数（２つ）の極対コイル６０は、電気的に並列接続されている。なお、複数のスロット２１ｃには、説明の便宜上、スロット番号ＳＮとして６０および１から３０までの数字が付されている。また、第一極コイル６１ｆおよび第二極コイル６１ｓには、説明の便宜上、Ｕ１〜Ｕ４の下線付きの符号が付されている。
【０１２５】
同様に、図１０Ｂは、Ｖ相コイル２２ｃｖの各極対コイル６０の結線の一例を示しており、第一極コイル６１ｆおよび第二極コイル６１ｓには、説明の便宜上、Ｖ８、Ｖ１〜Ｖ３の下線付きの符号が付されている。図１０Ｃは、Ｗ相コイル２２ｃｗの各極対コイル６０の結線の一例を示しており、第一極コイル６１ｆおよび第二極コイル６１ｓには、説明の便宜上、Ｗ８、Ｗ１〜Ｗ３の下線付きの符号が付されている。また、図１０Ｄは、複数（３つ）の相コイル２２ｃの各極対コイル６０の結線の一例を示している。図１０Ｄでは、図示の便宜上、Ｖ相コイル２２ｃｖおよびＷ相コイル２２ｃｗの各極対コイル６０は、第三方向（矢印Ｚ方向）に引き伸ばされて図示されている。
【０１２６】
図１１は、図１０Ａに示す二磁極分（一磁極対分）の極対コイル６０が複数（８つ）のスロット２１ｃに装着されている状態を示している。図１１は、第三方向（矢印Ｚ方向）のうちの一対のコイル引出部６０ｆ，６０ｓ側から視た模式図である。また、同図では、各単位コイル２２ｄの巻方向が「丸印にクロス」および「丸印にドット」で示されている。「丸印にクロス」は、巻線（コイルサイド２２ａ）が第三方向（矢印Ｚ方向）のうちの紙面手前側から紙面奥側に向かって巻き回されていることを示している。「丸印にドット」は、巻線（コイルサイド２２ａ）が第三方向（矢印Ｚ方向）のうちの紙面奥側から紙面手前側に向かって巻き回されていることを示している。上述したことは、後述する図面についても同様に言える。
【０１２７】
図１０Ａおよび図１１に示すように、図１０Ａに示す下線が付されたＵ１（図１１に示す紙面左側）の第一単位コイル２２ｄ１は、第一コイル引出部６０ｆが引き出されるスロット番号ＳＮが１のスロット開口部２１ｃ２側（スロット底部２１ｃ１から１スロット分、離間した位置）から巻始められる。第一単位コイル２２ｄ１は、一対のスロット２１ｃ，２１ｃ（スロット番号ＳＮが１および８）間で巻き回され、単位コイル間接続部６２の一端側のスロット番号ＳＮが８のスロット底部２１ｃ１側で巻終わる。このときの第一単位コイル２２ｄ１の巻進行方向Ｗ１は、第二方向固定子側（矢印Ｙ２方向）であり、スロット開口部２１ｃ２側から視た第一単位コイル２２ｄ１の巻方向は、反時計回りになる。単位コイル間接続部６２は、スロット番号ＳＮが８のスロット底部２１ｃ１側からスロット番号ＳＮが２のスロット中央部２１ｃ３（スロット底部２１ｃ１から１／２スロット分、離間した位置）に引き回されている。
【０１２８】
図１０Ａに示す下線が付されたＵ１（図１１に示す紙面左側）の第二単位コイル２２ｄ２は、単位コイル間接続部６２の他端側のスロット番号ＳＮが２のスロット中央部２１ｃ３から巻始められる。第二単位コイル２２ｄ２は、一対のスロット２１ｃ，２１ｃ（スロット番号ＳＮが２および７）間で巻き回され、極コイル間接続部６３の一端側のスロット番号ＳＮが７のスロット底部２１ｃ１側で巻終わる。このときの第二単位コイル２２ｄ２の巻進行方向Ｗ２は、第二方向固定子側（矢印Ｙ２方向）であり、スロット開口部２１ｃ２側から視た第二単位コイル２２ｄ２の巻方向は、反時計回りになる。極コイル間接続部６３は、スロット番号ＳＮが７のスロット底部２１ｃ１側からスロット番号ＳＮが１５のスロット開口部２１ｃ２側（スロット底部２１ｃ１から７／８スロット分、離間した位置）に引き回されている。
【０１２９】
図１０Ａに示す下線が付されたＵ２（図１１に示す紙面右側）の第三単位コイル２２ｄ３は、極コイル間接続部６３の他端側のスロット番号ＳＮが１５のスロット開口部２１ｃ２側（スロット底部２１ｃ１から７／８スロット分、離間した位置）から巻始められる。第三単位コイル２２ｄ３は、一対のスロット２１ｃ，２１ｃ（スロット番号ＳＮが９および１５）間で巻き回され、単位コイル間接続部６２の一端側のスロット番号ＳＮが９のスロット底部２１ｃ１側で巻終わる。このときの第三単位コイル２２ｄ３の巻進行方向Ｗ３は、第二方向固定子側（矢印Ｙ２方向）であり、スロット開口部２１ｃ２側から視た第三単位コイル２２ｄ３の巻方向は、時計回りになる。単位コイル間接続部６２は、スロット番号ＳＮが９のスロット底部２１ｃ１側からスロット番号ＳＮが１４のスロット底部２１ｃ１側（スロット底部２１ｃ１から１／８スロット分、離間した位置）に引き回されている。
【０１３０】
図１０Ａに示す下線が付されたＵ２（図１１に示す紙面右側）の第四単位コイル２２ｄ４は、単位コイル間接続部６２の他端側のスロット番号ＳＮが１４のスロット底部２１ｃ１側（スロット底部２１ｃ１から１／８スロット分、離間した位置）から巻始められる。第四単位コイル２２ｄ４は、一対のスロット２１ｃ，２１ｃ（スロット番号ＳＮが１０および１４）間で巻き回され、第二コイル引出部６０ｓが引き出されるスロット番号ＳＮが１０のスロット底部２１ｃ１側で巻終わる。このときの第四単位コイル２２ｄ４の巻進行方向Ｗ４は、第二方向固定子側（矢印Ｙ２方向）であり、スロット開口部２１ｃ２側から視た第四単位コイル２２ｄ４の巻方向は、時計回りになる。
【０１３１】
このように、本実施形態では、複数（３つ）の相コイル２２ｃの各極対コイル６０を構成する複数（４つ）の単位コイル２２ｄの巻進行方向は、いずれも第二方向固定子側（矢印Ｙ２方向）であると好適である。これにより、本実施形態の回転電機１０は、インサータ治具（図示略）を用いて、相コイル２２ｃ（Ｕ相コイル２２ｃｕ、Ｖ相コイル２２ｃｖおよびＷ相コイル２２ｃｗ）単位で、複数（４つ）の極対コイル６０を複数（３２個）のスロット２１ｃに装着することができる。例えば、Ｕ相コイル２２ｃｕを構成する複数（４つ）の極対コイル６０を、インサータブレードの支持部（いずれも図示略）に落とし込んで、当該複数（４つ）の極対コイル６０を把持して、当該複数（４つ）の極対コイル６０を一度に複数（３２個）のスロット２１ｃ内に挿入し、装着することができる。このように、本実施形態の回転電機１０は、分数スロット構成の回転電機で一般的に実施されている二層重巻（上述した相コイル２２ｃ単位での装着が難しい）と比べて、回転電機１０の性能を略同等に維持しつつ、固定子巻線２２の装着に要する作業工数を短縮することができる。
【０１３２】
なお、既述したように、第一単位コイル２２ｄ１のスロット占有率は、１００％（＝８／８）である。また、第二単位コイル２２ｄ２のスロット占有率は、５０％（＝４／８）である。さらに、第三単位コイル２２ｄ３のスロット占有率は、８７．５％（＝７／８）である。また、第四単位コイル２２ｄ４のスロット占有率は、１２．５％（＝１／８）である。図１１では、既述したスロット占有率に応じて、スロット２１ｃを示す長方形の大きさが変更されている。上述したことは、後述する図面についても同様に言える。
【０１３３】
また、上述したことは、図１０Ａに示す下線が付されたＵ３の第一単位コイル２２ｄ１および第二単位コイル２２ｄ２についても同様に言え、図１０Ａに示す下線が付されたＵ４の第三単位コイル２２ｄ３および第四単位コイル２２ｄ４についても同様に言える。さらに、上述したことは、図１０Ｂに示すＶ相コイル２２ｃｖの各極対コイル６０を構成する複数（４つ）の単位コイル２２ｄについても同様に言える。また、上述したことは、図１０Ｃに示すＷ相コイル２２ｃｗの各極対コイル６０を構成する複数（４つ）の単位コイル２２ｄについても同様に言える。
【０１３４】
（一対のコイル引出部６０ｆ，６０ｓの配置と単位コイル２２ｄの巻進行方向）
図６および図１１に示すように、本実施形態では、第一コイル引出部６０ｆは、第一極コイル６１ｆを構成する複数（２つ）の単位コイル２２ｄのうちの一対のコイルサイド２２ａ，２２ａ間のコイルピッチが最大の単位コイル２２ｄ（第一単位コイル２２ｄ１）の第一方向第一極コイル側（矢印Ｘ２方向）のコイルサイド２２ａから引き出されていると好適である。第二コイル引出部６０ｓは、第二極コイル６１ｓを構成する複数（２つ）の単位コイル２２ｄのうちの一対のコイルサイド２２ａ，２２ａ間のコイルピッチが最小の単位コイル２２ｄ（第四単位コイル２２ｄ４）の第一方向第一極コイル側（矢印Ｘ２方向）のコイルサイド２２ａから引き出されていると好適である。また、既述したように、複数（３つ）の相コイル２２ｃの各極対コイル６０を構成する複数（本実施形態では、４つ）の単位コイル２２ｄの巻進行方向は、いずれも第二方向固定子側（矢印Ｙ２方向）であると好適である。
【０１３５】
図１１に示すように、本実施形態では、単位コイル間接続部６２および極コイル間接続部６３は、いずれも一対のコイル引出部６０ｆ，６０ｓと交差していない。従って、近接部位の干渉回避が容易である。具体的には、これらの部位は、所定距離を確保して引き回せばよい。所定距離は、例えば、近接部位間の印加電圧から導出することができ、近接部位間の電気的な絶縁を確保できるように設定される。上述したことは、後述する形態についても同様に言える。なお、第一極コイル６１ｆの単位コイル間接続部６２は、第一単位コイル２２ｄ１と第二単位コイル２２ｄ２の間のコイルエンド２２ｂ間に収容することができ、第二極コイル６１ｓの単位コイル間接続部６２は、第三単位コイル２２ｄ３と第四単位コイル２２ｄ４の間のコイルエンド２２ｂ間に収容することができる。また、極コイル間接続部６３は、第二単位コイル２２ｄ２の内側（紙面奥側）から図１に示すヨーク部２１ａ側に迂回し、第三単位コイル２２ｄ３のコイルエンド２２ｂの第三方向（矢印Ｚ方向）のさらに外側（紙面手前側）を渡らせることができる。
【０１３６】
図１２は、比較形態に係り、極対コイル６０の各単位コイル２２ｄの巻進行方向が第二方向可動子側（矢印Ｙ１方向）のときに、極対コイル６０が複数（８つ）のスロット２１ｃに装着されている状態を示している。同図に示す紙面左側の第一単位コイル２２ｄ１は、第一コイル引出部６０ｆが引き出されるスロット番号ＳＮが１のスロット底部２１ｃ１から巻始められる。第一単位コイル２２ｄ１は、一対のスロット２１ｃ，２１ｃ（スロット番号ＳＮが１および８）間で巻き回され、単位コイル間接続部６２の一端側のスロット番号ＳＮが８のスロット開口部２１ｃ２側（スロット底部２１ｃ１から１スロット分、離間した位置）で巻終わる。このときの第一単位コイル２２ｄ１の巻進行方向Ｗ１は、第二方向可動子側（矢印Ｙ１方向）であり、スロット底部２１ｃ１側から視た第一単位コイル２２ｄ１の巻方向は、時計回りになる。単位コイル間接続部６２は、スロット番号ＳＮが８のスロット開口部２１ｃ２側からスロット番号ＳＮが２のスロット底部２１ｃ１側に引き回されている。
【０１３７】
同図に示す紙面左側の第二単位コイル２２ｄ２は、単位コイル間接続部６２の他端側のスロット番号ＳＮが２のスロット底部２１ｃ１から巻始められる。第二単位コイル２２ｄ２は、一対のスロット２１ｃ，２１ｃ（スロット番号ＳＮが２および７）間で巻き回され、極コイル間接続部６３の一端側のスロット番号ＳＮが７のスロット中央部２１ｃ３で巻終わる。このときの第二単位コイル２２ｄ２の巻進行方向Ｗ２は、第二方向可動子側（矢印Ｙ１方向）であり、スロット底部２１ｃ１側から視た第二単位コイル２２ｄ２の巻方向は、時計回りになる。極コイル間接続部６３は、スロット番号ＳＮが７のスロット中央部２１ｃ３から第一単位コイル２２ｄ１の内側（紙面奥側）を通ってスロット開口部２１ｃ２側に迂回し、第一単位コイル２２ｄ１のコイルエンド２２ｂの第三方向（矢印Ｚ方向）のさらに外側（紙面手前側）を第二方向（矢印Ｙ方向）に沿ってヨーク部２１ａ側に引き出され、ヨーク部２１ａを第一方向（矢印Ｘ方向）に沿って引き回されている。
【０１３８】
同図に示す紙面右側の第三単位コイル２２ｄ３は、極コイル間接続部６３の他端側のスロット番号ＳＮが１５のスロット底部２１ｃ１から巻始められる。第三単位コイル２２ｄ３は、一対のスロット２１ｃ，２１ｃ（スロット番号ＳＮが９および１５）間で巻き回され、単位コイル間接続部６２の一端側のスロット番号ＳＮが９のスロット開口部２１ｃ２側（スロット底部２１ｃ１から７／８スロット分、離間した位置）で巻終わる。このときの第三単位コイル２２ｄ３の巻進行方向Ｗ３は、第二方向可動子側（矢印Ｙ１方向）であり、スロット底部２１ｃ１側から視た第三単位コイル２２ｄ３の巻方向は、反時計回りになる。単位コイル間接続部６２は、スロット番号ＳＮが９のスロット開口部２１ｃ２側（スロット底部２１ｃ１から７／８スロット分、離間した位置）からスロット番号ＳＮが１４のスロット底部２１ｃ１側に引き回されている。
【０１３９】
同図に示す紙面右側の第四単位コイル２２ｄ４は、単位コイル間接続部６２の他端側のスロット番号ＳＮが１４のスロット底部２１ｃ１から巻始められる。第四単位コイル２２ｄ４は、一対のスロット２１ｃ，２１ｃ（スロット番号ＳＮが１０および１４）間で巻き回され、第二コイル引出部６０ｓが引き出されるスロット番号ＳＮが１０のスロット底部２１ｃ１側（スロット底部２１ｃ１から１／８スロット分、離間した位置）で巻終わる。このときの第四単位コイル２２ｄ４の巻進行方向Ｗ４は、第二方向可動子側（矢印Ｙ１方向）であり、スロット底部２１ｃ１側から視た第四単位コイル２２ｄ４の巻方向は、反時計回りになる。第二コイル引出部６０ｓは、スロット番号ＳＮが１０のスロット底部２１ｃ１側（スロット底部２１ｃ１から１／８スロット分、離間した位置）から第三単位コイル２２ｄ３の内側（紙面奥側）を通ってスロット開口部２１ｃ２側に迂回し、第三単位コイル２２ｄ３のコイルエンド２２ｂの第三方向（矢印Ｚ方向）のさらに外側（紙面手前側）を第二方向（矢印Ｙ方向）に沿って渡って図１に示すヨーク部２１ａ側に引き出されている。
【０１４０】
本比較形態では、極コイル間接続部６３と第二コイル引出部６０ｓとが接触して交差する。そのため、第二コイル引出部６０ｓは、第三単位コイル２２ｄ３のコイルエンド２２ｂの第三方向（矢印Ｚ方向）のさらに外側（紙面手前側）において配策する必要があり、本実施形態と比べて、固定子巻線２２が長大化する。また、極コイル間接続部６３は、スロット開口部２１ｃ２側に迂回し、第一単位コイル２２ｄ１のコイルエンド２２ｂの第三方向（矢印Ｚ方向）のさらに外側（紙面手前側）において配策する必要があり、本実施形態と比べて、固定子巻線２２が長大化する。なお、第一極コイル６１ｆの単位コイル間接続部６２は、第一単位コイル２２ｄ１と第二単位コイル２２ｄ２の間のコイルエンド２２ｂ間に収容することができ、第二極コイル６１ｓの単位コイル間接続部６２は、第三単位コイル２２ｄ３と第四単位コイル２２ｄ４の間のコイルエンド２２ｂ間に収容することができる。
【０１４１】
図１３は、変形形態に係り、極対コイル６０の構成例を示している。変形形態では、第一コイル引出部６０ｆは、第一極コイル６１ｆを構成する複数（２つ）の単位コイル２２ｄのうちの一対のコイルサイド２２ａ，２２ａ間のコイルピッチが最大の単位コイル２２ｄ（第一単位コイル２２ｄ１）の第一方向第二極コイル側（矢印Ｘ１方向）のコイルサイド２２ａから引き出されている。また、第二コイル引出部６０ｓは、第二極コイル６１ｓを構成する複数（２つ）の単位コイル２２ｄのうちの一対のコイルサイド２２ａ，２２ａ間のコイルピッチが最小の単位コイル２２ｄ（第四単位コイル２２ｄ４）の第一方向第二極コイル側（矢印Ｘ１方向）のコイルサイド２２ａから引き出されている。
【０１４２】
図１４は、変形形態に係り、極対コイル６０が複数（８つ）のスロット２１ｃに装着されている状態を示している。同図に示す紙面左側の第一単位コイル２２ｄ１は、第一コイル引出部６０ｆが引き出されるスロット番号ＳＮが８のスロット開口部２１ｃ２側（スロット底部２１ｃ１から１スロット分、離間した位置）から巻始められる。第一単位コイル２２ｄ１は、一対のスロット２１ｃ，２１ｃ（スロット番号ＳＮが１および８）間で巻き回され、単位コイル間接続部６２の一端側のスロット番号ＳＮが１のスロット底部２１ｃ１側で巻終わる。このときの第一単位コイル２２ｄ１の巻進行方向Ｗ１は、第二方向固定子側（矢印Ｙ２方向）であり、スロット開口部２１ｃ２側から視た第一単位コイル２２ｄ１の巻方向は、時計回りになる。単位コイル間接続部６２は、スロット番号ＳＮが１のスロット底部２１ｃ１側からスロット番号ＳＮが７のスロット中央部２１ｃ３（スロット底部２１ｃ１から１／２スロット分、離間した位置）に引き回されている。
【０１４３】
同図に示す紙面左側の第二単位コイル２２ｄ２は、単位コイル間接続部６２の他端側のスロット番号ＳＮが７のスロット中央部２１ｃ３から巻始められる。第二単位コイル２２ｄ２は、一対のスロット２１ｃ，２１ｃ（スロット番号ＳＮが２および７）間で巻き回され、極コイル間接続部６３の一端側のスロット番号ＳＮが２のスロット底部２１ｃ１側で巻終わる。このときの第二単位コイル２２ｄ２の巻進行方向Ｗ２は、第二方向固定子側（矢印Ｙ２方向）であり、スロット開口部２１ｃ２側から視た第二単位コイル２２ｄ２の巻方向は、時計回りになる。極コイル間接続部６３は、スロット番号ＳＮが２のスロット底部２１ｃ１側からヨーク部２１ａ側に引き出され、ヨーク部２１ａを第一方向（矢印Ｘ方向）に沿って配策され、スロット番号ＳＮが９のスロット開口部２１ｃ２側（スロット底部２１ｃ１から７／８スロット分、離間した位置）に引き回されている。
【０１４４】
同図に示す紙面右側の第三単位コイル２２ｄ３は、極コイル間接続部６３の他端側のスロット番号ＳＮが９のスロット開口部２１ｃ２側（スロット底部２１ｃ１から７／８スロット分、離間した位置）から巻始められる。第三単位コイル２２ｄ３は、一対のスロット２１ｃ，２１ｃ（スロット番号ＳＮが９および１５）間で巻き回され、単位コイル間接続部６２の一端側のスロット番号ＳＮが１５のスロット底部２１ｃ１側で巻終わる。このときの第三単位コイル２２ｄ３の巻進行方向Ｗ３は、第二方向固定子側（矢印Ｙ２方向）であり、スロット開口部２１ｃ２側から視た第三単位コイル２２ｄ３の巻方向は、反時計回りになる。単位コイル間接続部６２は、スロット番号ＳＮが１５のスロット底部２１ｃ１側からスロット番号ＳＮが１０のスロット底部２１ｃ１側（スロット底部２１ｃ１から１／８スロット分、離間した位置）に引き回されている。
【０１４５】
同図に示す紙面右側の第四単位コイル２２ｄ４は、単位コイル間接続部６２の他端側のスロット番号ＳＮが１０のスロット底部２１ｃ１側（スロット底部２１ｃ１から１／８スロット分、離間した位置）から巻始められる。第四単位コイル２２ｄ４は、一対のスロット２１ｃ，２１ｃ（スロット番号ＳＮが１０および１４）間で巻き回され、第二コイル引出部６０ｓが引き出されるスロット番号ＳＮが１４のスロット底部２１ｃ１側で巻終わる。このときの第四単位コイル２２ｄ４の巻進行方向Ｗ４は、第二方向固定子側（矢印Ｙ２方向）であり、スロット開口部２１ｃ２側から視た第四単位コイル２２ｄ４の巻方向は、反時計回りになる。
【０１４６】
本変形形態では、極コイル間接続部６３と第一コイル引出部６０ｆとが接触して交差する。そのため、第一コイル引出部６０ｆは、第一単位コイル２２ｄ１のコイルエンド２２ｂの第三方向（矢印Ｚ方向）のさらに外側（紙面手前側）において配策する必要があり、本実施形態と比べて、固定子巻線２２が長大化する。なお、第一極コイル６１ｆの単位コイル間接続部６２は、第一単位コイル２２ｄ１と第二単位コイル２２ｄ２の間のコイルエンド２２ｂ間に収容することができ、第二極コイル６１ｓの単位コイル間接続部６２は、第三単位コイル２２ｄ３と第四単位コイル２２ｄ４の間のコイルエンド２２ｂ間に収容することができる。
【０１４７】
図１５は、比較形態に係り、極対コイル６０の各単位コイル２２ｄの巻進行方向が第二方向可動子側（矢印Ｙ１方向）のときに、極対コイル６０が複数（８つ）のスロット２１ｃに装着されている状態を示している。同図に示す紙面左側の第一単位コイル２２ｄ１は、第一コイル引出部６０ｆが引き出されるスロット番号ＳＮが８のスロット底部２１ｃ１から巻始められる。第一単位コイル２２ｄ１は、一対のスロット２１ｃ，２１ｃ（スロット番号ＳＮが１および８）間で巻き回され、単位コイル間接続部６２の一端側のスロット番号ＳＮが１のスロット開口部２１ｃ２側（スロット底部２１ｃ１から１スロット分、離間した位置）で巻終わる。このときの第一単位コイル２２ｄ１の巻進行方向Ｗ１は、第二方向可動子側（矢印Ｙ１方向）であり、スロット底部２１ｃ１側から視た第一単位コイル２２ｄ１の巻方向は、反時計回りになる。単位コイル間接続部６２は、スロット番号ＳＮが１のスロット開口部２１ｃ２側からスロット番号ＳＮが７のスロット底部２１ｃ１側に引き回されている。
【０１４８】
同図に示す紙面左側の第二単位コイル２２ｄ２は、単位コイル間接続部６２の他端側のスロット番号ＳＮが７のスロット底部２１ｃ１から巻始められる。第二単位コイル２２ｄ２は、一対のスロット２１ｃ，２１ｃ（スロット番号ＳＮが２および７）間で巻き回され、極コイル間接続部６３の一端側のスロット番号ＳＮが２のスロット中央部２１ｃ３で巻終わる。このときの第二単位コイル２２ｄ２の巻進行方向Ｗ２は、第二方向可動子側（矢印Ｙ１方向）であり、スロット底部２１ｃ１側から視た第二単位コイル２２ｄ２の巻方向は、反時計回りになる。極コイル間接続部６３は、スロット番号ＳＮが２のスロット中央部２１ｃ３から第一単位コイル２２ｄ１の内側（紙面奥側）を通ってスロット開口部２１ｃ２側に迂回し、第一単位コイル２２ｄ１のコイルエンド２２ｂの第三方向（矢印Ｚ方向）のさらに外側（紙面手前側）を第二方向（矢印Ｙ方向）に沿ってヨーク部２１ａ側に引き出され、ヨーク部２１ａを第一方向（矢印Ｘ方向）に沿って引き回されている。
【０１４９】
同図に示す紙面右側の第三単位コイル２２ｄ３は、極コイル間接続部６３の他端側のスロット番号ＳＮが９のスロット底部２１ｃ１から巻始められる。第三単位コイル２２ｄ３は、一対のスロット２１ｃ，２１ｃ（スロット番号ＳＮが９および１５）間で巻き回され、単位コイル間接続部６２の一端側のスロット番号ＳＮが１５のスロット開口部２１ｃ２側（スロット底部２１ｃ１から７／８スロット分、離間した位置）で巻終わる。このときの第三単位コイル２２ｄ３の巻進行方向Ｗ３は、第二方向可動子側（矢印Ｙ１方向）であり、スロット底部２１ｃ１側から視た第三単位コイル２２ｄ３の巻方向は、時計回りになる。単位コイル間接続部６２は、スロット番号ＳＮが１５のスロット開口部２１ｃ２側（スロット底部２１ｃ１から７／８スロット分、離間した位置）からスロット番号ＳＮが１０のスロット底部２１ｃ１側に引き回されている。
【０１５０】
同図に示す紙面右側の第四単位コイル２２ｄ４は、単位コイル間接続部６２の他端側のスロット番号ＳＮが１０のスロット底部２１ｃ１から巻始められる。第四単位コイル２２ｄ４は、一対のスロット２１ｃ，２１ｃ（スロット番号ＳＮが１０および１４）間で巻き回され、第二コイル引出部６０ｓが引き出されるスロット番号ＳＮが１４のスロット底部２１ｃ１側（スロット底部２１ｃ１から１／８スロット分、離間した位置）で巻終わる。このときの第四単位コイル２２ｄ４の巻進行方向Ｗ４は、第二方向可動子側（矢印Ｙ１方向）であり、スロット底部２１ｃ１側から視た第四単位コイル２２ｄ４の巻方向は、時計回りになる。第二コイル引出部６０ｓは、スロット番号ＳＮが１４のスロット底部２１ｃ１側（スロット底部２１ｃ１から１／８スロット分、離間した位置）から第三単位コイル２２ｄ３の内側（紙面奥側）を通ってスロット開口部２１ｃ２側に迂回し、第三単位コイル２２ｄ３のコイルエンド２２ｂの第三方向（矢印Ｚ方向）のさらに外側（紙面手前側）を第二方向（矢印Ｙ方向）に沿って渡って図１に示すヨーク部２１ａ側に引き出されている。
【０１５１】
本比較形態では、極コイル間接続部６３と第一コイル引出部６０ｆとが接触して交差する。そのため、第一コイル引出部６０ｆは、第一単位コイル２２ｄ１のコイルエンド２２ｂの第三方向（矢印Ｚ方向）のさらに外側（紙面手前側）において配策する必要があり、本実施形態と比べて、固定子巻線２２が長大化する。また、第二コイル引出部６０ｓは、スロット開口部２１ｃ２側に迂回し、第三単位コイル２２ｄ３のコイルエンド２２ｂの第三方向（矢印Ｚ方向）のさらに外側（紙面手前側）において配策する必要があり、本実施形態および既述した変形形態と比べて、固定子巻線２２が長大化する。さらに、極コイル間接続部６３は、スロット開口部２１ｃ２側に迂回し、第一単位コイル２２ｄ１のコイルエンド２２ｂの第三方向（矢印Ｚ方向）のさらに外側（紙面手前側）において配策する必要があり、本実施形態および既述した変形形態と比べて、固定子巻線２２が長大化する。なお、第一極コイル６１ｆの単位コイル間接続部６２は、第一単位コイル２２ｄ１と第二単位コイル２２ｄ２の間のコイルエンド２２ｂ間に収容することができ、第二極コイル６１ｓの単位コイル間接続部６２は、第三単位コイル２２ｄ３と第四単位コイル２２ｄ４の間のコイルエンド２２ｂ間に収容することができる。
【０１５２】
本実施形態および既述した変形形態は、複数（３つ）の相コイル２２ｃの各極対コイル６０を構成する複数（４つ）の単位コイル２２ｄの巻進行方向は、いずれも第二方向固定子側（矢印Ｙ２方向）である。一方、比較形態は、複数（３つ）の相コイル２２ｃの各極対コイル６０を構成する複数（４つ）の単位コイル２２ｄの巻進行方向は、いずれも第二方向可動子側（矢印Ｙ１方向）である。つまり、複数（３つ）の相コイル２２ｃの各極対コイル６０を構成する複数（４つ）の単位コイル２２ｄの巻進行方向は、いずれも第二方向固定子側（矢印Ｙ２方向）であると好適である。これにより、本実施形態および既述した変形形態は、比較形態と比べて、極対コイル６０における配策の干渉交差を回避若しくは軽減することができ、固定子巻線２２を短小化することができる。また、本実施形態および既述した変形形態は、例えば、インサータ治具を用いて、相コイル２２ｃ単位で複数の極対コイル６０を装着することが可能であり、固定子巻線２２の装着作業における作業性が向上する。なお、本実施形態は、極対コイル６０における配策の干渉交差を回避することができ、既述した変形形態と比べて、さらに好適である。そのため、本明細書では、一対のコイル引出部６０ｆ，６０ｓは、本実施形態の配置で説明されているが、一対のコイル引出部６０ｆ，６０ｓは、既述した変形形態の配置に変更することもできる。また、例えば、可動子３０が固定子２０の外方に設けられるアウターロータ型の回転電機では、複数（３つ）の相コイル２２ｃの各極対コイル６０を構成する複数（４つ）の単位コイル２２ｄの巻進行方向は、いずれも第二方向可動子側（矢印Ｙ１方向）であると好適である。
【０１５３】
（相コイル２２ｃの配置）
複数（３つ）の相コイル２２ｃ（Ｕ相コイル２２ｃｕ、Ｖ相コイル２２ｃｖおよびＷ相コイル２２ｃｗ）は、第一装着工程と、第二遅相装着工程と、第三遅相装着工程とを備える回転電機１０の製造方法によって、複数（６０個）のスロット２１ｃに装着されると好適である。これにより、本実施形態では、複数（３つ）の相コイル２２ｃは、Ｕ相コイル２２ｃｕ、Ｖ相コイル２２ｃｖ、Ｗ相コイル２２ｃｗの順に装着される。なお、既述したように、複数（３つ）の相コイル２２ｃは、Ｕ相コイル２２ｃｕ、Ｖ相コイル２２ｃｖ、Ｗ相コイル２２ｃｗの順に位相が遅れているものとする。また、複数（３つ）の相コイル２２ｃは、第一方向第二極コイル側（矢印Ｘ１方向）に、Ｕ相コイル２２ｃｕ、Ｖ相コイル２２ｃｖ、Ｗ相コイル２２ｃｗの相順に配設するものとする。
【０１５４】
図１６Ａは、Ｕ相コイル２２ｃｕが複数のスロット２１ｃに装着された状態を示している。図１６Ｂは、Ｕ相コイル２２ｃｕが装着された後に、Ｖ相コイル２２ｃｖが複数のスロット２１ｃに装着された状態を示しており、Ｖ相コイル２２ｃｖのみが図示されている。図１６Ｃは、Ｕ相コイル２２ｃｕおよびＶ相コイル２２ｃｖが装着された後に、Ｗ相コイル２２ｃｗが複数のスロット２１ｃに装着された状態を示しており、Ｗ相コイル２２ｃｗのみが図示されている。図１６Ｄは、複数（３つ）の相コイル２２ｃ（Ｕ相コイル２２ｃｕ、Ｖ相コイル２２ｃｖおよびＷ相コイル２２ｃｗ）が複数のスロット２１ｃに装着された状態を示している。図１６Ａ〜図１６Ｄは、いずれも、第三方向（矢印Ｚ方向）のうちの一対のコイル引出部６０ｆ，６０ｓ側視の模式図であり、概ね二磁極対分の極対コイル６０が図示され、残りの概ね二磁極対分の極対コイル６０の図示が省略されている。
【０１５５】
第一装着工程は、複数（３つ）の相コイル２２ｃのうちの一の相コイル２２ｃ（本実施形態では、Ｕ相コイル２２ｃｕ）を複数（３２個）のスロット２１ｃに装着する工程である。図１６Ａに示すように、Ｕ相コイル２２ｃｕの第一コイル引出部６０ｆは、スロット開口部２１ｃ２側（スロット底部２１ｃ１から１スロット分、離間した位置）から引き出されて、第二方向固定子側（矢印Ｙ２方向）に引き回されている。Ｕ相コイル２２ｃｕの第一コイル引出部６０ｆは、Ｕ相コイル２２ｃｕの第一単位コイル２２ｄ１のコイルエンド２２ｂの第三方向（矢印Ｚ方向）のさらに外側（紙面手前側）を引き回すことができる。Ｕ相コイル２２ｃｕの第二コイル引出部６０ｓは、スロット底部２１ｃ１側から引き出されている。なお、極コイル間接続部６３は、他の相コイル２２ｃ（本実施形態では、Ｖ相コイル２２ｃｖおよびＷ相コイル２２ｃｗ）の装着の際に干渉しないように、ヨーク部２１ａ側に引き出され、ヨーク部２１ａを第一方向（矢印Ｘ方向）に沿って配策され、スロット開口部２１ｃ２側（スロット底部２１ｃ１から７／８スロット分、離間した位置）に引き回されている。
【０１５６】
第二遅相装着工程は、複数（３つ）の相コイル２２ｃのうちの残りの一の相コイル２２ｃを、第一装着工程で装着された相コイル２２ｃ（Ｕ相コイル２２ｃｕ）に対して、相間最小位相差分、第一方向第二極コイル側（矢印Ｘ１方向）にずらして、複数（３２個）のスロット２１ｃに装着する工程である。ここで、相間最小位相差とは、電気角３６０°を相数（本実施形態では、３）で除した相間の最小位相差（電気角１２０°）をいう。また、残りの一の相コイル２２ｃは、第一装着工程で装着された相コイル２２ｃ（Ｕ相コイル２２ｃｕ）と比べて、相間最小位相差（電気角１２０°）分、位相が遅れる相コイル２２ｃ（本実施形態では、Ｖ相コイル２２ｃｖ）をいう。なお、本実施形態の回転電機１０は、８極６０スロット構成の回転電機であり、相間最小位相差（電気角１２０°）は、５スロットピッチ分に相当する。
【０１５７】
図１６Ｂに示すように、Ｖ相コイル２２ｃｖの第一コイル引出部６０ｆは、スロット開口部２１ｃ２側（スロット底部２１ｃ１から１スロット分、離間した位置）から引き出されて、第二方向固定子側（矢印Ｙ２方向）に引き回されている。Ｖ相コイル２２ｃｖの第一コイル引出部６０ｆは、Ｖ相コイル２２ｃｖの第一単位コイル２２ｄ１のコイルエンド２２ｂの第三方向（矢印Ｚ方向）のさらに外側（紙面手前側）を引き回すことができる。Ｖ相コイル２２ｃｖの第二コイル引出部６０ｓは、スロット開口部２１ｃ２側（スロット底部２１ｃ１から７／８スロット分、離間した位置）から引き出されて、第二方向固定子側（矢印Ｙ２方向）に引き回されている。Ｖ相コイル２２ｃｖの第二コイル引出部６０ｓは、Ｕ相コイル２２ｃｕの第三単位コイル２２ｄ３のコイルエンド２２ｂの第三方向（矢印Ｚ方向）のさらに外側（紙面手前側）を引き回すことができる。
【０１５８】
Ｖ相コイル２２ｃｖの極コイル間接続部６３は、Ｕ相コイル２２ｃｕが既に装着されているので、Ｖ相コイル２２ｃｖの第一単位コイル２２ｄ１の内側（紙面奥側）を通ってスロット開口部２１ｃ２側に迂回し、Ｖ相コイル２２ｃｖの第一単位コイル２２ｄ１のコイルエンド２２ｂの第三方向（矢印Ｚ方向）のさらに外側（紙面手前側）を第二方向（矢印Ｙ方向）に沿ってヨーク部２１ａ側に引き出されている。Ｖ相コイル２２ｃｖの極コイル間接続部６３は、他の相コイル２２ｃ（本実施形態では、Ｗ相コイル２２ｃｗ）の装着の際に干渉しないように、ヨーク部２１ａを第一方向（矢印Ｘ方向）に沿って配策され、スロット開口部２１ｃ２側（スロット底部２１ｃ１から７／８スロット分、離間した位置）に引き回されている。
【０１５９】
第三遅相装着工程は、複数（３つ）の相コイル２２ｃ（Ｕ相コイル２２ｃｕ、Ｖ相コイル２２ｃｖおよびＷ相コイル２２ｃｗ）がすべて複数（６０個）のスロット２１ｃに装着されるまで、直近で装着した相コイル２２ｃと比べて相間最小位相差（電気角１２０°）分、位相が遅れる相コイル２２ｃを、直近で装着した相コイル２２ｃに対して、相間最小位相差（電気角１２０°）分、第一方向第二極コイル側（矢印Ｘ１方向）にずらして、複数（３２個）のスロット２１ｃに装着する工程である。本実施形態では、第二遅相装着工程の終了時に、Ｗ相コイル２２ｃｗが装着されていない。そのため、第三遅相装着工程では、Ｗ相コイル２２ｃｗを直近で装着した相コイル２２ｃ（Ｖ相コイル２２ｃｖ）に対して、相間最小位相差（電気角１２０°）分、第一方向第二極コイル側（矢印Ｘ１方向）にずらして、複数（３２個）のスロット２１ｃに装着する。これにより、複数（３つ）の相コイル２２ｃ（Ｕ相コイル２２ｃｕ、Ｖ相コイル２２ｃｖおよびＷ相コイル２２ｃｗ）がすべて複数（６０個）のスロット２１ｃに装着されるので、第三遅相装着工程は、終了する。
【０１６０】
図１６Ｃに示すように、Ｗ相コイル２２ｃｗの第一コイル引出部６０ｆは、スロット開口部２１ｃ２側（スロット底部２１ｃ１から１スロット分、離間した位置）から引き出されて、第二方向固定子側（矢印Ｙ２方向）に引き回されている。Ｗ相コイル２２ｃｗの第一コイル引出部６０ｆは、Ｗ相コイル２２ｃｗの第一単位コイル２２ｄ１のコイルエンド２２ｂの第三方向（矢印Ｚ方向）のさらに外側（紙面手前側）を引き回すことができる。Ｗ相コイル２２ｃｗの第二コイル引出部６０ｓは、スロット開口部２１ｃ２側（スロット底部２１ｃ１から７／８スロット分、離間した位置）から引き出されて、第二方向固定子側（矢印Ｙ２方向）に引き回されている。Ｗ相コイル２２ｃｗの第二コイル引出部６０ｓは、Ｖ相コイル２２ｃｖの第三単位コイル２２ｄ３のコイルエンド２２ｂの第三方向（矢印Ｚ方向）のさらに外側（紙面手前側）を引き回すことができる。
【０１６１】
Ｗ相コイル２２ｃｗの極コイル間接続部６３は、スロット中央部２１ｃ３（スロット底部２１ｃ１から１／２スロット分、離間した位置）から引き出され、第二方向固定子側（矢印Ｙ２方向）に引き回されており、ヨーク部２１ａ側に迂回している。Ｗ相コイル２２ｃｗの極コイル間接続部６３は、Ｗ相コイル２２ｃｗの第三単位コイル２２ｄ３のコイルエンド２２ｂの第三方向（矢印Ｚ方向）のさらに外側（紙面手前側）を渡らせることができる。
【０１６２】
このようにして、本実施形態の複数（３つ）の相コイル２２ｃ（Ｕ相コイル２２ｃｕ、Ｖ相コイル２２ｃｖおよびＷ相コイル２２ｃｗ）は、第一装着工程と、第二遅相装着工程と、第三遅相装着工程とを備える回転電機１０の製造方法によって、複数のスロット２１ｃに装着される。図１６Ｄは、複数（３つ）の相コイル２２ｃ（Ｕ相コイル２２ｃｕ、Ｖ相コイル２２ｃｖおよびＷ相コイル２２ｃｗ）が複数のスロット２１ｃに装着された状態を示しており、図１６Ａ〜図１６Ｃが重ねて図示されている。
【０１６３】
図１７Ａ〜図１７Ｄに示すように、複数（３つ）の相コイル２２ｃ（Ｕ相コイル２２ｃｕ、Ｖ相コイル２２ｃｖおよびＷ相コイル２２ｃｗ）は、第一装着工程と、第二進相装着工程と、第三進相装着工程とを備える回転電機１０の製造方法によって、複数（６０個）のスロット２１ｃに装着することもできる。これにより、本比較形態では、複数（３つ）の相コイル２２ｃは、Ｕ相コイル２２ｃｕ、Ｗ相コイル２２ｃｗ、Ｖ相コイル２２ｃｖの順に装着される。
【０１６４】
図１７Ａは、Ｕ相コイル２２ｃｕが複数のスロット２１ｃに装着された状態を示している。図１７Ｂは、Ｕ相コイル２２ｃｕが装着された後に、Ｗ相コイル２２ｃｗが複数のスロット２１ｃに装着された状態を示しており、Ｗ相コイル２２ｃｗのみが図示されている。図１７Ｃは、Ｕ相コイル２２ｃｕおよびＷ相コイル２２ｃｗが装着された後に、Ｖ相コイル２２ｃｖが複数のスロット２１ｃに装着された状態を示しており、Ｖ相コイル２２ｃｖのみが図示されている。図１７Ｄは、複数（３つ）の相コイル２２ｃ（Ｕ相コイル２２ｃｕ、Ｖ相コイル２２ｃｖおよびＷ相コイル２２ｃｗ）が複数のスロット２１ｃに装着された状態を示している。図１７Ａ〜図１７Ｄは、いずれも、第三方向（矢印Ｚ方向）のうちの一対のコイル引出部６０ｆ，６０ｓ側視の模式図であり、概ね二磁極対分の極対コイル６０が図示され、残りの概ね二磁極対分の極対コイル６０の図示が省略されている。
【０１６５】
第一装着工程は、複数（３つ）の相コイル２２ｃのうちの一の相コイル２２ｃ（本比較形態においても、Ｕ相コイル２２ｃｕ）を複数（３２個）のスロット２１ｃに装着する工程である。図１７Ａに示すように、Ｕ相コイル２２ｃｕが複数のスロット２１ｃに装着された状態は、図１６Ａと同じである。
【０１６６】
第二進相装着工程は、複数（３つ）の相コイル２２ｃのうちの残りの一の相コイル２２ｃを、第一装着工程で装着された相コイル２２ｃ（Ｕ相コイル２２ｃｕ）に対して、相間最小位相差分、第一方向第一極コイル側（矢印Ｘ２方向）にずらして、複数（３２個）のスロット２１ｃに装着する工程である。既述したように、相間最小位相差は、電気角３６０°を相数で除した相間の最小位相差（電気角１２０°）であり、本比較形態においても、相間最小位相差（電気角１２０°）は、５スロットピッチ分に相当する。また、残りの一の相コイル２２ｃは、第一装着工程で装着された相コイル２２ｃ（Ｕ相コイル２２ｃｕ）と比べて、相間最小位相差（電気角１２０°）分、位相が進む相コイル２２ｃ（本比較形態では、Ｗ相コイル２２ｃｗ）をいう。
【０１６７】
図１７Ｂに示すように、Ｗ相コイル２２ｃｗの第一コイル引出部６０ｆは、スロット開口部２１ｃ２側（スロット底部２１ｃ１から１スロット分、離間した位置）から引き出されて、第二方向固定子側（矢印Ｙ２方向）に引き回されている。Ｗ相コイル２２ｃｗの第一コイル引出部６０ｆは、Ｗ相コイル２２ｃｗの第一単位コイル２２ｄ１のコイルエンド２２ｂの第三方向（矢印Ｚ方向）のさらに外側（紙面手前側）を引き回すことができる。Ｗ相コイル２２ｃｗの第二コイル引出部６０ｓは、Ｕ相コイル２２ｃｕが既に装着されているので、Ｗ相コイル２２ｃｗの第三単位コイル２２ｄ３の内側（紙面奥側）を通ってスロット開口部２１ｃ２側に迂回し、Ｗ相コイル２２ｃｗの第三単位コイル２２ｄ３のコイルエンド２２ｂの第三方向（矢印Ｚ方向）のさらに外側（紙面手前側）を第二方向（矢印Ｙ方向）に沿ってヨーク部２１ａ側に引き出されている。
【０１６８】
Ｗ相コイル２２ｃｗの極コイル間接続部６３は、スロット中央部２１ｃ３（スロット底部２１ｃ１から１／２スロット分、離間した位置）から第二方向（矢印Ｙ方向）に沿ってヨーク部２１ａ側に引き出されている。Ｗ相コイル２２ｃｗの極コイル間接続部６３は、他の相コイル２２ｃ（Ｖ相コイル２２ｃｖ）の装着の際に干渉しないように、ヨーク部２１ａを第一方向（矢印Ｘ方向）に沿って配策され、スロット開口部２１ｃ２側（スロット底部２１ｃ１から１スロット分、離間した位置）に引き回されている。
【０１６９】
第三進相装着工程は、複数（３つ）の相コイル２２ｃ（Ｕ相コイル２２ｃｕ、Ｖ相コイル２２ｃｖおよびＷ相コイル２２ｃｗ）がすべて複数（６０個）のスロット２１ｃに装着されるまで、直近で装着した相コイル２２ｃと比べて相間最小位相差（電気角１２０°）分、位相が進む相コイル２２ｃを、直近で装着した相コイル２２ｃに対して、相間最小位相差（電気角１２０°）分、第一方向第一極コイル側（矢印Ｘ２方向）にずらして、複数（３２個）のスロット２１ｃに装着する工程である。本比較形態では、第二進相装着工程の終了時に、Ｖ相コイル２２ｃｖが装着されていない。そのため、第三進相装着工程では、Ｖ相コイル２２ｃｖを直近で装着した相コイル２２ｃ（Ｗ相コイル２２ｃｗ）に対して、相間最小位相差（電気角１２０°）分、第一方向第一極コイル側（矢印Ｘ２方向）にずらして、複数（３２個）のスロット２１ｃに装着する。これにより、複数（３つ）の相コイル２２ｃ（Ｕ相コイル２２ｃｕ、Ｖ相コイル２２ｃｖおよびＷ相コイル２２ｃｗ）がすべて複数（６０個）のスロット２１ｃに装着されるので、第三遅相装着工程は、終了する。
【０１７０】
図１７Ｃに示すように、Ｖ相コイル２２ｃｖの第一コイル引出部６０ｆは、スロット開口部２１ｃ２側（スロット底部２１ｃ１から１スロット分、離間した位置）から引き出されて、第二方向固定子側（矢印Ｙ２方向）に引き回されている。Ｖ相コイル２２ｃｖの第一コイル引出部６０ｆは、Ｖ相コイル２２ｃｖの第一単位コイル２２ｄ１のコイルエンド２２ｂの第三方向（矢印Ｚ方向）のさらに外側（紙面手前側）を引き回すことができる。Ｖ相コイル２２ｃｖの第二コイル引出部６０ｓは、スロット開口部２１ｃ２側（スロット底部２１ｃ１から７／８スロット分、離間した位置）から引き出されて、第二方向固定子側（矢印Ｙ２方向）に引き回されている。Ｖ相コイル２２ｃｖの第二コイル引出部６０ｓは、Ｖ相コイル２２ｃｖの第三単位コイル２２ｄ３のコイルエンド２２ｂの第三方向（矢印Ｚ方向）のさらに外側（紙面手前側）を引き回すことができる。
【０１７１】
Ｖ相コイル２２ｃｖの極コイル間接続部６３は、スロット中央部２１ｃ３（スロット底部２１ｃ１から１／２スロット分、離間した位置）から引き出され、第二方向固定子側（矢印Ｙ２方向）に引き回されており、ヨーク部２１ａ側に迂回している。Ｖ相コイル２２ｃｖの極コイル間接続部６３は、Ｖ相コイル２２ｃｖの第三単位コイル２２ｄ３のコイルエンド２２ｂの第三方向（矢印Ｚ方向）のさらに外側（紙面手前側）を渡らせることができる。
【０１７２】
このようにして、本比較形態の複数（３つ）の相コイル２２ｃ（Ｕ相コイル２２ｃｕ、Ｖ相コイル２２ｃｖおよびＷ相コイル２２ｃｗ）は、第一装着工程と、第二進相装着工程と、第三進相装着工程とを備える回転電機１０の製造方法によって、複数のスロット２１ｃに装着される。図１７Ｄは、複数（３つ）の相コイル２２ｃ（Ｕ相コイル２２ｃｕ、Ｖ相コイル２２ｃｖおよびＷ相コイル２２ｃｗ）が複数のスロット２１ｃに装着された状態を示しており、図１７Ａ〜図１７Ｃが重ねて図示されている。
【０１７３】
ここで、第一極コイル６１ｆおよび第二極コイル６１ｓの各コイル引き出し位置を極コイル端引き出し位置とする。第一極コイル６１ｆは、極コイル端引き出し位置として、第一コイル引出部６０ｆが引き出される第一位置ＳＸ１と、極コイル間接続部６３が引き出される第二位置ＳＸ２とを備えている。第二極コイル６１ｓは、極コイル端引き出し位置として、極コイル間接続部６３が引き出される第三位置ＳＸ３と、第二コイル引出部６０ｓが引き出される第四位置ＳＸ４とを備えている。但し、Ｘは、相（本実施形態では、Ｕ相、Ｖ相およびＷ相）に対応し、本実施形態では、Ｕ、ＶおよびＷのうちのいずれかである。例えば、Ｖ相コイル２２ｃｖの各極対コイル６０は、極コイル端引き出し位置として、第一位置ＳＶ１と、第二位置ＳＶ２と、第三位置ＳＶ３と、第四位置ＳＶ４とを備えている。
【０１７４】
また、複数（本実施形態では、３つ）の相コイル２２ｃのうちの二番目以降に装着される相コイル２２ｃ（本実施形態では、Ｖ相コイル２２ｃｖおよびＷ相コイル２２ｃｗ）について、各極コイル端引き出し位置のスロット底部２１ｃ１からの第二方向（矢印Ｙ方向）の距離を合計した合計値を指標ＳＬとする。指標ＳＬが大きくなる程、極コイル端引き出し位置は、スロット開口部２１ｃ２側から引き出され易くなる。その結果、既に装着されている相コイル２２ｃのコイルエンド２２ｂおよび配策（一対のコイル引出部６０ｆ，６０ｓおよび極コイル間接続部６３）との干渉部位が減少し、干渉部位を迂回する迂回長が減少する。逆に、指標ＳＬが小さくなる程、極コイル端引き出し位置は、スロット底部２１ｃ１側から引き出され易くなる。その結果、既に装着されている相コイル２２ｃのコイルエンド２２ｂおよび配策（一対のコイル引出部６０ｆ，６０ｓおよび極コイル間接続部６３）との干渉部位が増加し、干渉部位を迂回する迂回長が増加する。また、複数（３つ）の相コイル２２ｃ（Ｕ相コイル２２ｃｕ、Ｖ相コイル２２ｃｖおよびＷ相コイル２２ｃｗ）の装着順によって、各極コイル端引き出し位置が変動し、それに伴って、指標ＳＬが変動する。よって、指標ＳＬは、複数（３つ）の相コイル２２ｃ（Ｕ相コイル２２ｃｕ、Ｖ相コイル２２ｃｖおよびＷ相コイル２２ｃｗ）の装着順による優劣を判断する際の指標になる。
【０１７５】
具体的には、図１６Ｂに示すように、本実施形態では、Ｖ相コイル２２ｃｖの第一位置ＳＶ１は、スロット底部２１ｃ１からの第二方向（矢印Ｙ方向）の距離が１スロット深さ分（同図では、１ＳＤで示す）である。第二位置ＳＶ２は、スロット底部２１ｃ１からの第二方向（矢印Ｙ方向）の距離が０スロット深さ分（同図では、０ＳＤで示す）である。第三位置ＳＶ３は、スロット底部２１ｃ１からの第二方向（矢印Ｙ方向）の距離が７／８スロット深さ分（同図では、７／８ＳＤで示す）である。第四位置ＳＶ４は、スロット底部２１ｃ１からの第二方向（矢印Ｙ方向）の距離が７／８スロット深さ分（同図では、７／８ＳＤで示す）である。
【０１７６】
また、図１６Ｃに示すように、Ｗ相コイル２２ｃｗの第一位置ＳＷ１は、スロット底部２１ｃ１からの第二方向（矢印Ｙ方向）の距離が１スロット深さ分（同図では、１ＳＤで示す）である。第二位置ＳＷ２は、スロット底部２１ｃ１からの第二方向（矢印Ｙ方向）の距離が１／２スロット深さ分（同図では、１／２ＳＤで示す）である。第三位置ＳＷ３は、スロット底部２１ｃ１からの第二方向（矢印Ｙ方向）の距離が１スロット深さ分（同図では、１ＳＤで示す）である。第四位置ＳＷ４は、スロット底部２１ｃ１からの第二方向（矢印Ｙ方向）の距離が７／８スロット深さ分（同図では、７／８ＳＤで示す）である。よって、本実施形態では、指標ＳＬは、４９／８（＝１＋０＋７／８＋７／８＋１＋１／２＋１＋７／８）になる。
【０１７７】
一方、図１７Ｂに示すように、比較形態では、Ｗ相コイル２２ｃｗの第一位置ＳＷ１は、スロット底部２１ｃ１からの第二方向（矢印Ｙ方向）の距離が１スロット深さ分（同図では、１ＳＤで示す）である。第二位置ＳＷ２は、スロット底部２１ｃ１からの第二方向（矢印Ｙ方向）の距離が１／２スロット深さ分（同図では、１／２ＳＤで示す）である。第三位置ＳＷ３は、スロット底部２１ｃ１からの第二方向（矢印Ｙ方向）の距離が１スロット深さ分（同図では、１ＳＤで示す）である。第四位置ＳＷ４は、スロット底部２１ｃ１からの第二方向（矢印Ｙ方向）の距離が０スロット深さ分（同図では、０ＳＤで示す）である。
【０１７８】
また、図１７Ｃに示すように、Ｖ相コイル２２ｃｖの第一位置ＳＶ１は、スロット底部２１ｃ１からの第二方向（矢印Ｙ方向）の距離が１スロット深さ分（同図では、１ＳＤで示す）である。第二位置ＳＶ２は、スロット底部２１ｃ１からの第二方向（矢印Ｙ方向）の距離が１／２スロット深さ分（同図では、１／２ＳＤで示す）である。第三位置ＳＶ３は、スロット底部２１ｃ１からの第二方向（矢印Ｙ方向）の距離が１スロット深さ分（同図では、１ＳＤで示す）である。第四位置ＳＶ４は、スロット底部２１ｃ１からの第二方向（矢印Ｙ方向）の距離が７／８スロット深さ分（同図では、７／８ＳＤで示す）である。よって、比較形態では、指標ＳＬは、４７／８（＝１＋１／２＋１＋０＋１＋１／２＋１＋７／８）になる。
【０１７９】
このように、本実施形態の指標ＳＬは、４９／８であり、比較形態（指標ＳＬが４７／８）と比べて、大きい。そのため、本実施形態の極コイル端引き出し位置は、比較形態と比べて、スロット開口部２１ｃ２側から引き出され易くなる。その結果、本実施形態の固定子巻線２２は、比較形態と比べて、既に装着されている相コイル２２ｃのコイルエンド２２ｂおよび配策（一対のコイル引出部６０ｆ，６０ｓおよび極コイル間接続部６３）との干渉部位が減少し、干渉部位を迂回する迂回長が減少する。よって、複数（３つ）の相コイル２２ｃの好適な装着順は、Ｕ相コイル２２ｃｕ、Ｖ相コイル２２ｃｖ、Ｗ相コイル２２ｃｗの順である。つまり、複数（３つ）の相コイル２２ｃ（Ｕ相コイル２２ｃｕ、Ｖ相コイル２２ｃｖおよびＷ相コイル２２ｃｗ）は、第一装着工程と、第二遅相装着工程と、第三遅相装着工程とを備える回転電機１０の製造方法によって、複数（６０個）のスロット２１ｃに装着されると好適である。
【０１８０】
＜第二実施形態＞
本実施形態は、固定子巻線２２が複数（３つ）の基本コイル５０を備える点で、第一実施形態と異なる。本実施形態では、第一実施形態と異なる点が中心に説明されている。
【０１８１】
図１８Ａに示すように、固定子巻線２２は、複数（３つ）の基本コイル５０を備えている。複数（３つ）の基本コイル５０の各々は、既述した基本コイル５０と同一構成である。また、複数（３つ）の基本コイル５０は、第一基本コイル５１と、複数（２つ）の第二基本コイル５２とを備えている。本実施形態においても、複数（２つ）の第二基本コイル５２は、第一基本コイル５１に対して、第一方向（矢印Ｘ方向）に所定スロットピッチ分、移動した位置に配置されている。また、複数（２つ）の第二基本コイル５２の各々は、第一基本コイル５１に対して、第一方向（矢印Ｘ方向）のうちの一の方向（第一方向第二極コイル側（矢印Ｘ１方向））に移動した位置に配置されている。これらにより、本実施形態の固定子巻線２２は、第一層Ｌ１〜第六層Ｌ６の六層に形成されている。
【０１８２】
本実施形態においても、移動単位量は、７スロットピッチに設定されている。但し、複数（２つ）の第二基本コイル５２のうちの一方の第二基本コイル５２（例えば、第三層Ｌ３および第四層Ｌ４を形成する第二基本コイル５２）は、所定スロットピッチが、移動単位量である７スロットピッチの１倍（７スロットピッチ（７ｓｐ））に設定されている。複数（２つ）の第二基本コイル５２のうちの他方の第二基本コイル５２（例えば、第五層Ｌ５および第六層Ｌ６を形成する第二基本コイル５２）は、所定スロットピッチが、移動単位量である７スロットピッチの２倍（１４スロットピッチ（１４ｓｐ））に設定されている。よって、本実施形態においても、所定スロットピッチを規定するｎは、１および２である。また、第一数列は、移動単位量である７スロットピッチの１倍（７スロットピッチ（７ｓｐ））から２倍（１４スロットピッチ（１４ｓｐ））までのすべての自然数倍を含んでいる。
【０１８３】
例えば、第一基本コイル５１において、位置座標ＰＰが０、１および２の複数（３つ）のスロット２１ｃに形成されているＵ相の一相帯４１は、第三層Ｌ３および第四層Ｌ４を形成する第二基本コイル５２では、位置座標ＰＰが７、８および９の複数（３つ）のスロット２１ｃに形成されている。また、第一基本コイル５１において、位置座標ＰＰが０、１および２の複数（３つ）のスロット２１ｃに形成されているＵ相の一相帯４１は、第五層Ｌ５および第六層Ｌ６を形成する第二基本コイル５２では、位置座標ＰＰが１４、１５および１６の複数（３つ）のスロット２１ｃに形成されている。上述したことは、他の一相帯４１についても同様に言える。
【０１８４】
Ｕ相の混成一相帯４２は、例えば、位置座標ＰＰが−１、０、１および２の複数（４つ）のスロット２１ｃに形成されている。上記の混成一相帯４２を構成する複数のコイルサイド２２ａの数（コイルサイド数ＣＮ）は、１５個である。上記の混成一相帯４２のコイルサイド中心ＣＣ３１は、例えば、下記数１１から算出することができ、コイルサイド中心ＣＣ３１は、０．２７になる。
（数１１）
ＣＣ３１＝（−１×３＋０×６＋１×５＋２×１）／（３＋６＋５＋１）＝０．２７
【０１８５】
また、Ｕ相の混成一相帯４２は、例えば、位置座標ＰＰが６、７、８および９の複数（４つ）のスロット２１ｃに形成されている。上記の混成一相帯４２を構成する複数のコイルサイド２２ａの数（コイルサイド数ＣＮ）は、１５個である。上記の混成一相帯４２のコイルサイド中心ＣＣ３２は、例えば、下記数１２から算出することができ、コイルサイド中心ＣＣ３２は、７．７４になる。
（数１２）
ＣＣ３２＝（６×１＋７×５＋８×６＋９×３）／（１＋５＋６＋３）＝７．７４
【０１８６】
さらに、Ｕ相の混成一相帯４２は、例えば、位置座標ＰＰが１４、１５、１６および１７の複数（４つ）のスロット２１ｃに形成されている。上記の混成一相帯４２を構成する複数のコイルサイド２２ａの数（コイルサイド数ＣＮ）は、１５個である。上記の混成一相帯４２のコイルサイド中心ＣＣ３３は、例えば、下記数１３から算出することができ、コイルサイド中心ＣＣ３３は、１５．２７になる。
（数１３）
ＣＣ３３＝（１４×３＋１５×６＋１６×５＋１７×１）／（３＋６＋５＋１）
＝１５．２７
【０１８７】
また、Ｕ相の混成一相帯４２は、例えば、位置座標ＰＰが２１、２２、２３および２４の複数（４つ）のスロット２１ｃに形成されている。上記の混成一相帯４２を構成する複数のコイルサイド２２ａの数（コイルサイド数ＣＮ）は、１５個である。上記の混成一相帯４２のコイルサイド中心ＣＣ３４は、例えば、下記数１４から算出することができ、コイルサイド中心ＣＣ３４は、２２．７３になる。
（数１４）
ＣＣ３４＝（２１×１＋２２×５＋２３×６＋２４×３）／（１＋５＋６＋３）
＝２２．７３
【０１８８】
上述した算出結果から、Ｕ相の混成一相帯４２のコイルサイド中心ＣＣ３１とコイルサイド中心ＣＣ３２との間の距離は、７．４７（＝７．７４−０．２７）になる。また、Ｕ相の混成一相帯４２のコイルサイド中心ＣＣ３２とコイルサイド中心ＣＣ３３との間の距離は、７．５３（＝１５．２７−７．７４）になる。さらに、Ｕ相の混成一相帯４２のコイルサイド中心ＣＣ３３とコイルサイド中心ＣＣ３４との間の距離は、７．４７（＝２２．７３−１５．２７）になる。このように、第一方向（矢印Ｘ方向）において隣接する同相（Ｕ相）の混成一相帯４２のコイルサイド中心ＣＣ間の距離は、７．４７および７．５３が交互に繰り返される。
【０１８９】
本実施形態（固定子巻線２２が複数（３つ）の基本コイル５０を備える形態）では、隣接コイルサイド比は、０．９９２（＝７．４７／７．５３）であり、第一実施形態で既述した参考形態（固定子巻線２２が一つの基本コイル５０を備える形態）の隣接コイルサイド比である０．９７４（＝７．４／７．６）と比べて、十分に１に近づいている。よって、第一方向（矢印Ｘ方向）において隣接する同相（Ｕ相）の混成一相帯４２のコイルサイド中心ＣＣ間の距離は、参考形態と比べて、複数（８極）の可動子磁極３２の毎極において均等化されていると言える。
【０１９０】
本実施形態では、Ｕ相の混成一相帯４２を構成する複数のコイルサイド２２ａの数（コイルサイド数ＣＮ）は、いずれも１５個であり、複数（８極）の可動子磁極３２の毎極において均等である。そのため、固定子巻線２２が通電されたときに発生する起磁力の大きさは、複数（８極）の可動子磁極３２の毎極において均等になる。さらに、起磁力分布の回転対称性が改善されている。よって、本実施形態の回転電機１０は、第一実施形態で既述した効果と同様の効果を得ることができる。
【０１９１】
なお、図１８Ａに示す相配置は、同一のスロット２１ｃに収容されている同相の複数のコイルサイド２２ａにおいて、通電方向が異なるコイルサイド２２ａが混在している。そのため、図１８Ｂに示すように、複数のコイルサイド２２ａの通電方向を修正する必要がある。例えば、図１８Ｂに示す第三層Ｌ３および第四層Ｌ４を形成する第二基本コイル５２において、位置座標ＰＰが７、８および９の複数（３つ）のスロット２１ｃに収容されているＵ相の複数（５つ）のコイルサイド２２ａの通電方向は、図１８Ａに示す通電方向に対して反転されている。上述したことは、図１８Ｂに示す第三層Ｌ３および第四層Ｌ４を形成する第二基本コイル５２の他の一相帯４１についても同様に言える。なお、第五層Ｌ５および第六層Ｌ６を形成する第二基本コイル５２では、コイルサイド２２ａの通電方向は、正しいので、コイルサイド２２ａの通電方向を反転する必要はない。
【０１９２】
また、図１８Ｃに示すように、本実施形態においても、同一のスロット２１ｃに収容されている複数のコイルサイド２２ａは、当該スロット２１ｃ内において、同相のコイルサイド２２ａが集約されている。例えば、図１８Ｂに示す第三層Ｌ３および第四層Ｌ４を形成する第二基本コイル５２において、位置座標ＰＰが−１のスロット２１ｃに収容されているＵ相のコイルサイド２２ａは、図１８Ｃでは、第三層Ｌ３から第四層Ｌ４に移動されている。また、図１８Ｂに示す第五層Ｌ５および第六層Ｌ６を形成する第二基本コイル５２において、位置座標ＰＰが１のスロット２１ｃに収容されているＵ相のコイルサイド２２ａは、図１８Ｃでは、第六層Ｌ６から第五層Ｌ５に移動されている。さらに、図１８Ｂに示す第一基本コイル５１において、位置座標ＰＰが２のスロット２１ｃに収容されているＵ相のコイルサイド２２ａは、図１８Ｃでは、第二層Ｌ２から第一層Ｌ１に移動されている。上述したことは、他の混成一相帯４２についても同様に言える。
【０１９３】
さらに、例えば、位置座標ＰＰが−１、０、１および２の複数（４つ）のスロット２１ｃに形成されているＵ相の混成一相帯４２のコイルサイド分布幅は、４スロット分である。位置座標ＰＰが６、７、８および９の複数（４つ）のスロット２１ｃに形成されているＵ相の混成一相帯４２のコイルサイド分布幅は、４スロット分である。また、位置座標ＰＰが−１、０、１および２の複数（４つ）のスロット２１ｃに形成されているＵ相の混成一相帯４２の実効コイルサイド分布幅は、４．５スロット分である。位置座標ＰＰが６、７、８および９の複数（４つ）のスロット２１ｃに形成されているＵ相の混成一相帯４２の実効コイルサイド分布幅は、４．５スロット分である。
【０１９４】
このように、本実施形態の実効コイルサイド分布幅（４．５スロット分）は、第一実施形態で既述した参考形態（固定子巻線２２が一つの基本コイル５０を備える形態）の実効コイルサイド分布幅（３．５スロット分）と比べて、増加している。そのため、本実施形態の起磁力分布は、参考形態の起磁力分布と比べて、なだらかになる。
【０１９５】
また、図１９は、本実施形態（固定子巻線２２が複数（３つ）の基本コイル５０を備える形態）のコイルサイド分布の一例を示している。図１８Ｃに示すように、例えば、位置座標ＰＰが−１のスロット２１ｃには、Ｕ相の複数（３つ）のコイルサイド２２ａが収容されている。そのため、図１９に示すように、位置座標ＰＰが−１におけるＵ相のコイルサイド２２ａの数（コイルサイド数ＣＮ）は、３とする。同様に、位置座標ＰＰが０のスロット２１ｃには、Ｕ相の複数（６つ）のコイルサイド２２ａが収容されており、位置座標ＰＰが０におけるＵ相のコイルサイド２２ａの数（コイルサイド数ＣＮ）は、６とする。また、位置座標ＰＰが１のスロット２１ｃには、Ｕ相の複数（５つ）のコイルサイド２２ａが収容されており、位置座標ＰＰが１におけるＵ相のコイルサイド２２ａの数（コイルサイド数ＣＮ）は、５とする。さらに、位置座標ＰＰが２のスロット２１ｃには、Ｕ相の一つのコイルサイド２２ａが収容されており、位置座標ＰＰが２におけるＵ相のコイルサイド２２ａの数（コイルサイド数ＣＮ）は、１とする。
【０１９６】
位置座標ＰＰが６のスロット２１ｃには、Ｕ相の一つのコイルサイド２２ａが収容されており、位置座標ＰＰが６におけるＵ相のコイルサイド２２ａの数（コイルサイド数ＣＮ）は、１とする。また、位置座標ＰＰが７のスロット２１ｃには、Ｕ相の複数（５つ）のコイルサイド２２ａが収容されており、位置座標ＰＰが７におけるＵ相のコイルサイド２２ａの数（コイルサイド数ＣＮ）は、５とする。さらに、位置座標ＰＰが８のスロット２１ｃには、Ｕ相の複数（６つ）のコイルサイド２２ａが収容されており、位置座標ＰＰが８におけるＵ相のコイルサイド２２ａの数（コイルサイド数ＣＮ）は、６とする。また、位置座標ＰＰが９のスロット２１ｃには、Ｕ相の複数（３つ）のコイルサイド２２ａが収容されており、位置座標ＰＰが９におけるＵ相のコイルサイド２２ａの数（コイルサイド数ＣＮ）は、３とする。
【０１９７】
図１９に示す本実施形態のコイルサイド分布は、図５Ａに示す参考形態のコイルサイド分布と比べて、第一方向（矢印Ｘ方向）に広がり、なだらかになっている。また、本実施形態のコイルサイド分布は、参考形態のコイルサイド分布と比べて、正弦波に近づいている。よって、本実施形態の回転電機１０は、第一実施形態で既述した効果と同様の効果を得ることができる。
【０１９８】
また、例えば、第一基本コイル５１において、位置座標ＰＰが０、１および２の複数（３つ）のスロット２１ｃに形成されているＵ相の一相帯４１は、２．５スロット分を占有している。第一実施形態と同様に、一つのスロット２１ｃを占有するコイルサイド２２ａの直列換算導体数を基準導体数ｔ０とすると、第一コイルサイド導体数は、２．５×ｔ０で表すことができる。
【０１９９】
第一基本コイル５１の当該一相帯４１に対して、第一方向（矢印Ｘ方向）に７スロットピッチ分、移動した位置に配置されている第二基本コイル５２のＵ相の一相帯４１は、位置座標ＰＰが７、８および９の複数（３つ）のスロット２１ｃに形成されており、２．５スロット分を占有している。また、第一基本コイル５１の当該一相帯４１に対して、第一方向（矢印Ｘ方向）に１４スロットピッチ分、移動した位置に配置されている第二基本コイル５２のＵ相の一相帯４１は、位置座標ＰＰが１４、１５および１６の複数（３つ）のスロット２１ｃに形成されており、２．５スロット分を占有している。よって、第二コイルサイド導体数は、いずれも２．５×ｔ０で表すことができる。つまり、本実施形態では、第一コイルサイド導体数および第二コイルサイド導体数は、均等である。なお、上述したことは、他の一相帯４１についても同様に言える。
【０２００】
図１８Ｃに示すように、複数（本実施形態では、３つ）の基本コイル５０が混成されている固定子巻線２２は、複数（３つ）の相コイル２２ｃ（Ｕ相コイル２２ｃｕ、Ｖ相コイル２２ｃｖ、Ｗ相コイル２２ｃｗ）を含んでいる。複数（３つ）の相コイル２２ｃは、複数（三相の各相４個、合計１２個）の極対コイル６０を具備しており、各極対コイル６０は、同心状に巻装されている複数（４つ）の単位コイル２２ｄを備えている。なお、同図では、図示の便宜上、Ｕ相コイル２２ｃｕの一つの極対コイル６０を構成する複数（４つ）の単位コイル２２ｄが明示されている。
【０２０１】
図１８Ｃおよび図２０に示すように、本実施形態においても、第一単位コイル２２ｄ１の一対のコイルサイド２２ａ，２２ａ間のコイルピッチは、７スロットピッチ（７ｓｐ）に設定されており、第二単位コイル２２ｄ２の一対のコイルサイド２２ａ，２２ａ間のコイルピッチは、５スロットピッチ（５ｓｐ）に設定されている。また、第三単位コイル２２ｄ３の一対のコイルサイド２２ａ，２２ａ間のコイルピッチは、６スロットピッチ（６ｓｐ）に設定されており、第四単位コイル２２ｄ４の一対のコイルサイド２２ａ，２２ａ間のコイルピッチは、４スロットピッチ（４ｓｐ）に設定されている。このように、各極対コイル６０を構成する複数（４つ）の単位コイル２２ｄの一対のコイルサイド２２ａ，２２ａ間のコイルピッチは、第一実施形態と同じである。つまり、図２０は、後述するスロット占有率を除いて、図６と一致している。
【０２０２】
また、図１８Ｂに示すように、本実施形態の固定子巻線２２は、固定子２０上の配置が異なる奇数種類（本実施形態では、３種類）の複数（本実施形態では、３つ）の基本コイル５０を備えている。さらに、図１８Ｃに示すように、複数（３つ）の基本コイル５０は、同一のスロット２１ｃに収容されている同相のコイルサイド２２ａの当該スロット２１ｃ内の配置が相毎（Ｕ相、Ｖ相およびＷ相毎）に集約されている。また、複数（本実施形態では、３つ）の相コイル２２ｃの各々は、複数（３つ）の基本コイル５０の全体において、複数（本実施形態では、８極）の可動子磁極３２の磁極対数分（本実施形態では、４つ）の極対コイル６０を備えている。よって、第一実施形態において既述したことは、本実施形態においても同様に言える。
【０２０３】
なお、本実施形態の固定子巻線２２は、第一実施形態と比べて、基本コイル５０の数が異なる。そのため、スロット占有率が第一実施形態と異なる単位コイル２２ｄが存在する。具体的には、第三単位コイル２２ｄ３のスロット占有率は、８３．３％（＝５／６）である。また、第四単位コイル２２ｄ４のスロット占有率は、１６．７％（＝１／６）である。なお、第一単位コイル２２ｄ１のスロット占有率は、１００％（＝６／６）であり、第一実施形態と同じである。また、第二単位コイル２２ｄ２のスロット占有率は、５０％（＝３／６）であり、第一実施形態と同じである。
【０２０４】
＜第三実施形態＞
本実施形態は、固定子巻線２２が複数（２つ）の基本コイル５０を備える点で、第一実施形態と異なる。また、本実施形態は、移動単位量が１スロットピッチである点で第一実施形態と異なる。本実施形態では、第一実施形態と異なる点が中心に説明されている。
【０２０５】
図２１Ａに示すように、固定子巻線２２は、複数（２つ）の基本コイル５０を備えている。複数（２つ）の基本コイル５０の各々は、既述した基本コイル５０と同一構成である。また、複数（２つ）の基本コイル５０は、第一基本コイル５１と、一つの第二基本コイル５２とを備えている。本実施形態においても、一つの第二基本コイル５２は、第一基本コイル５１に対して、第一方向（矢印Ｘ方向）に所定スロットピッチ分、移動した位置に配置されている。また、一つの第二基本コイル５２は、第一基本コイル５１に対して、第一方向（矢印Ｘ方向）のうちの一の方向（第一方向第二極コイル側（矢印Ｘ１方向））に移動した位置に配置されている。これらにより、本実施形態の固定子巻線２２は、第一層Ｌ１〜第四層Ｌ４の四層に形成されている。
【０２０６】
本実施形態では、移動単位量は、１スロットピッチに設定されている。また、所定スロットピッチは、移動単位量である１スロットピッチの１倍（１スロットピッチ（１ｓｐ））に設定されている。このように、本実施形態では、所定スロットピッチを規定するｎは、１である。また、第一数列は、移動単位量である１スロットピッチの１倍（１スロットピッチ（１ｓｐ））を含んでいる。
【０２０７】
例えば、第一基本コイル５１において、位置座標ＰＰが０、１および２の複数（３つ）のスロット２１ｃに形成されているＵ相の一相帯４１は、一つの第二基本コイル５２では、位置座標ＰＰが１、２および３の複数（３つ）のスロット２１ｃに形成されている。上述したことは、他のＵ相の一相帯４１についても同様に言える。また、Ｕ相の混成一相帯４２は、例えば、位置座標ＰＰが０、１、２および３の複数（４つ）のスロット２１ｃに形成されている。上記の混成一相帯４２を構成する複数のコイルサイド２２ａの数（コイルサイド数ＣＮ）は、１０個である。よって、上記の混成一相帯４２のコイルサイド中心ＣＣ４１は、例えば、下記数１５から算出することができ、コイルサイド中心ＣＣ４１は、１．３になる。
（数１５）
ＣＣ４１＝（０×２＋１×４＋２×３＋３×１）／（２＋４＋３＋１）＝１．３
【０２０８】
また、Ｕ相の混成一相帯４２は、例えば、位置座標ＰＰが７、８、９および１０の複数（４つ）のスロット２１ｃに形成されている。上記の混成一相帯４２を構成する複数のコイルサイド２２ａの数（コイルサイド数ＣＮ）は、１０個である。上記の混成一相帯４２のコイルサイド中心ＣＣ４２は、例えば、下記数１６から算出することができ、コイルサイド中心ＣＣ４２は、８．７になる。
（数１６）
ＣＣ４２＝（７×１＋８×３＋９×４＋１０×２）／（１＋３＋４＋２）＝８．７
【０２０９】
さらに、Ｕ相の混成一相帯４２は、例えば、位置座標ＰＰが１５、１６、１７および１８の複数（４つ）のスロット２１ｃに形成されている。上記の混成一相帯４２を構成する複数のコイルサイド２２ａの数（コイルサイド数ＣＮ）は、１０個である。上記の混成一相帯４２のコイルサイド中心ＣＣ４３は、例えば、下記数１７から算出することができ、コイルサイド中心ＣＣ４３は、１６．３になる。
（数１７）
ＣＣ４３＝（１５×２＋１６×４＋１７×３＋１８×１）／（２＋４＋３＋１）
＝１６．３
【０２１０】
また、Ｕ相の混成一相帯４２は、例えば、位置座標ＰＰが２２、２３、２４および２５の複数（４つ）のスロット２１ｃに形成されている。上記の混成一相帯４２を構成する複数のコイルサイド２２ａの数（コイルサイド数ＣＮ）は、１０個である。上記の混成一相帯４２のコイルサイド中心ＣＣ４４は、例えば、下記数１８から算出することができ、コイルサイド中心ＣＣ４４は、２３．７になる。
（数１８）
ＣＣ４４＝（２２×１＋２３×３＋２４×４＋２５×２）／（１＋３＋４＋２）
＝２３．７
【０２１１】
上述した算出結果から、Ｕ相の混成一相帯４２のコイルサイド中心ＣＣ４１とコイルサイド中心ＣＣ４２との間の距離は、７．４（＝８．７−１．３）になる。また、Ｕ相の混成一相帯４２のコイルサイド中心ＣＣ４２とコイルサイド中心ＣＣ４３との間の距離は、７．６（＝１６．３−８．７）になる。さらに、Ｕ相の混成一相帯４２のコイルサイド中心ＣＣ４３とコイルサイド中心ＣＣ４４との間の距離は、７．４（＝２３．７−１６．３）になる。このように、第一方向（矢印Ｘ方向）において隣接する同相（Ｕ相）の混成一相帯４２のコイルサイド中心ＣＣ間の距離は、７．４および７．６が交互に繰り返される。そのため、第一方向（矢印Ｘ方向）において隣接する同相（Ｕ相）の混成一相帯４２のコイルサイド中心ＣＣ間の距離は、複数（８極）の可動子磁極３２の毎極において均等にはならず、一磁極対毎に均等になる。なお、本実施形態の隣接コイルサイド比は、０．９７４（＝７．４／７．６）である。
【０２１２】
図２２は、本実施形態のコイルサイド分布の一例を示している。図２１Ａに示すように、例えば、位置座標ＰＰが０のスロット２１ｃには、Ｕ相の複数（２つ）のコイルサイド２２ａが収容されている。そのため、図２２に示すように、位置座標ＰＰが０におけるＵ相のコイルサイド２２ａの数（コイルサイド数ＣＮ）は、２とする。同様に、位置座標ＰＰが１のスロット２１ｃには、Ｕ相の複数（４つ）のコイルサイド２２ａが収容されており、位置座標ＰＰが１におけるＵ相のコイルサイド２２ａの数（コイルサイド数ＣＮ）は、４とする。また、位置座標ＰＰが２のスロット２１ｃには、Ｕ相の複数（３つ）のコイルサイド２２ａが収容されており、位置座標ＰＰが２におけるＵ相のコイルサイド２２ａの数（コイルサイド数ＣＮ）は、３とする。さらに、位置座標ＰＰが３のスロット２１ｃには、Ｕ相の一つのコイルサイド２２ａが収容されており、位置座標ＰＰが３におけるＵ相のコイルサイド２２ａの数（コイルサイド数ＣＮ）は、１とする。
【０２１３】
位置座標ＰＰが７のスロット２１ｃには、Ｕ相の一つのコイルサイド２２ａが収容されており、位置座標ＰＰが７におけるＵ相のコイルサイド２２ａの数（コイルサイド数ＣＮ）は、１とする。また、位置座標ＰＰが８のスロット２１ｃには、Ｕ相の複数（３つ）のコイルサイド２２ａが収容されており、位置座標ＰＰが８におけるＵ相のコイルサイド２２ａの数（コイルサイド数ＣＮ）は、３とする。さらに、位置座標ＰＰが９のスロット２１ｃには、Ｕ相の複数（４つ）のコイルサイド２２ａが収容されており、位置座標ＰＰが９におけるＵ相のコイルサイド２２ａの数（コイルサイド数ＣＮ）は、４とする。また、位置座標ＰＰが１０のスロット２１ｃには、Ｕ相の複数（２つ）のコイルサイド２２ａが収容されており、位置座標ＰＰが１０におけるＵ相のコイルサイド２２ａの数（コイルサイド数ＣＮ）は、２とする。
【０２１４】
本実施形態では、Ｕ相の混成一相帯４２を構成する複数のコイルサイド２２ａの数（コイルサイド数ＣＮ）は、いずれも１０個であり、複数（８極）の可動子磁極３２の毎極において均等である。そのため、固定子巻線２２が通電されたときに発生する起磁力の大きさは、複数（８極）の可動子磁極３２の毎極において均等になる。しかしながら、第一方向（矢印Ｘ方向）において隣接する同相（Ｕ相）の混成一相帯４２のコイルサイド中心ＣＣ間の距離は、７．４および７．６が交互に繰り返されるので、起磁力分布は、複数（８極）の可動子磁極３２の一磁極毎には等価にならず、一磁極対毎に隔極で等価になる。つまり、第一実施形態で既述した参考形態（固定子巻線２２が一つの基本コイル５０を備える形態）と同様に、本実施形態の回転電機１０は、二種類の起磁力分布を備えている。そのため、本実施形態の回転電機１０は、固定子巻線２２の相配置に起因する回転電機１０の騒音および振動を低減できないとも思われる。
【０２１５】
しかしながら、本実施形態では、例えば、位置座標ＰＰが０、１、２および３の複数（４つ）のスロット２１ｃに形成されているＵ相の混成一相帯４２のコイルサイド分布幅は、４スロット分である。位置座標ＰＰが７、８、９および１０の複数（４つ）のスロット２１ｃに形成されているＵ相の混成一相帯４２のコイルサイド分布幅は、４スロット分である。また、位置座標ＰＰが０、１、２および３の複数（４つ）のスロット２１ｃに形成されているＵ相の混成一相帯４２の実効コイルサイド分布幅は、４．５スロット分である。位置座標ＰＰが７、８、９および１０の複数（４つ）のスロット２１ｃに形成されているＵ相の混成一相帯４２の実効コイルサイド分布幅は、４．５スロット分である。
【０２１６】
このように、本実施形態の実効コイルサイド分布幅（４．５スロット分）は、第一実施形態で既述した参考形態（固定子巻線２２が一つの基本コイル５０を備える形態）の実効コイルサイド分布幅（３．５スロット分）と比べて、増加している。その結果、固定子巻線２２が通電されたときに発生する起磁力分布は、第一方向（矢印Ｘ方向）に分散され、本実施形態の起磁力分布は、参考形態の起磁力分布と比べて、なだらかになる。よって、固定子２０と可動子３０との間の吸引力分布も、なだらかになり、吸引力のピーク値（吸引力分布における基本波成分の振幅）および吸引力の変化量は、参考形態と比べて低減する。また、吸引力のピーク値が最大になる位置の第一方向（矢印Ｘ方向）におけるピッチも等ピッチ化される。つまり、本実施形態の回転電機１０は、参考形態と比べて、回転電機１０の騒音および振動を低減することができる。
【０２１７】
また、固定子２０と可動子３０との間の空隙に発生する磁束波形は、参考形態と比べて、正弦波に近づくので、本実施形態の回転電機１０は、参考形態と比べて、起磁力の高調波成分（例えば、五次および七次の成分）を低減することもできる。上述したことは、図２２に示す本実施形態のコイルサイド分布と、図５Ａに示す参考形態のコイルサイド分布とからも言える。また、第二実施形態および後述する第五実施形態においても、移動単位量は、１スロットピッチに設定することができる。
【０２１８】
なお、本実施形態では、同一のスロット２１ｃに収容されている同相の複数のコイルサイド２２ａにおいて、既に通電方向が揃っている。そのため、本実施形態は、既述した形態のように、複数のコイルサイド２２ａの通電方向を修正する必要はない。また、本実施形態は、相間の境界について単純化（境界の凹凸の最小化）が実現しているので、同一のスロット２１ｃに収容されている同相のコイルサイド２２ａの当該スロット２１ｃ内の配置をさらに変更する必要もない。
【０２１９】
また、例えば、第一基本コイル５１において、位置座標ＰＰが０、１および２の複数（３つ）のスロット２１ｃに形成されているＵ相の一相帯４１は、２．５スロット分を占有している。第一実施形態と同様に、一つのスロット２１ｃを占有するコイルサイド２２ａの直列換算導体数を基準導体数ｔ０とすると、第一コイルサイド導体数は、２．５×ｔ０で表すことができる。
【０２２０】
第一基本コイル５１の当該一相帯４１に対して、第一方向（矢印Ｘ方向）に１スロットピッチ分、移動した位置に配置されている第二基本コイル５２のＵ相の一相帯４１は、位置座標ＰＰが１、２および３の複数（３つ）のスロット２１ｃに形成されており、２．５スロット分を占有している。よって、第二コイルサイド導体数は、２．５×ｔ０で表すことができる。つまり、本実施形態では、第一コイルサイド導体数および第二コイルサイド導体数は、均等である。なお、上述したことは、他の一相帯４１についても同様に言える。
【０２２１】
図２１Ａに示すように、複数（本実施形態では、２つ）の基本コイル５０が混成されている固定子巻線２２は、複数（３つ）の相コイル２２ｃ（Ｕ相コイル２２ｃｕ、Ｖ相コイル２２ｃｖ、Ｗ相コイル２２ｃｗ）を含んでいる。複数（３つ）の相コイル２２ｃは、複数（三相の各相４個、合計１２個）の極対コイル６０を具備しており、各極対コイル６０は、同心状に巻装されている複数（４つ）の単位コイル２２ｄを備えている。なお、同図では、図示の便宜上、Ｕ相コイル２２ｃｕの一つの極対コイル６０を構成する複数（４つ）の単位コイル２２ｄが明示されている。
【０２２２】
図２１Ａおよび図２３に示すように、本実施形態においても、第一単位コイル２２ｄ１の一対のコイルサイド２２ａ，２２ａ間のコイルピッチは、７スロットピッチ（７ｓｐ）に設定されており、第二単位コイル２２ｄ２の一対のコイルサイド２２ａ，２２ａ間のコイルピッチは、５スロットピッチ（５ｓｐ）に設定されている。また、第三単位コイル２２ｄ３の一対のコイルサイド２２ａ，２２ａ間のコイルピッチは、６スロットピッチ（６ｓｐ）に設定されており、第四単位コイル２２ｄ４の一対のコイルサイド２２ａ，２２ａ間のコイルピッチは、４スロットピッチ（４ｓｐ）に設定されている。このように、各極対コイル６０を構成する複数（４つ）の単位コイル２２ｄの一対のコイルサイド２２ａ，２２ａ間のコイルピッチは、第一実施形態および第二実施形態と同じである。つまり、図２３は、後述するスロット占有率を除いて、図６および図２０と一致している。
【０２２３】
また、図２１Ａに示すように、複数（２つ）の基本コイル５０は、同一のスロット２１ｃに収容されている同相のコイルサイド２２ａの当該スロット２１ｃ内の配置が相毎（Ｕ相、Ｖ相およびＷ相毎）に集約されている。さらに、複数（本実施形態では、３つ）の相コイル２２ｃの各々は、複数（３つ）の基本コイル５０の全体において、複数（本実施形態では、８極）の可動子磁極３２の磁極対数分（本実施形態では、４つ）の極対コイル６０を備えている。よって、第一実施形態において既述したことは、本実施形態においても同様に言える。なお、本実施形態の固定子巻線２２は、固定子２０上の配置が異なる２種類の複数（２つ）の基本コイル５０を備えている。
【０２２４】
また、本実施形態の固定子巻線２２は、第一実施形態と比べて、基本コイル５０の数が異なる。そのため、スロット占有率が第一実施形態と異なる単位コイル２２ｄが存在する。具体的には、第三単位コイル２２ｄ３のスロット占有率は、７５％（＝３／４）である。また、第四単位コイル２２ｄ４のスロット占有率は、２５％（＝１／４）である。なお、第一単位コイル２２ｄ１のスロット占有率は、１００％（＝４／４）であり、第一実施形態と同じである。また、第二単位コイル２２ｄ２のスロット占有率は、５０％（＝２／４）であり、第一実施形態と同じである。
【０２２５】
＜第四実施形態＞
本実施形態は、固定子巻線２２が複数（２つ）の基本コイル５０を備える点で、第一実施形態と異なる。本実施形態では、第一実施形態と異なる点が中心に説明されている。
【０２２６】
図２４Ａに示すように、固定子巻線２２は、複数（２つ）の基本コイル５０を備えている。複数（２つ）の基本コイル５０の各々は、既述した基本コイル５０と同一構成である。また、複数（２つ）の基本コイル５０は、第一基本コイル５１と、一つの第二基本コイル５２とを備えている。本実施形態においても、一つの第二基本コイル５２は、第一基本コイル５１に対して、第一方向（矢印Ｘ方向）に所定スロットピッチ分、移動した位置に配置されている。また、一つの第二基本コイル５２は、第一基本コイル５１に対して、第一方向（矢印Ｘ方向）のうちの一の方向（第一方向第二極コイル側（矢印Ｘ１方向））に移動した位置に配置されている。これらにより、本実施形態の固定子巻線２２は、第一層Ｌ１〜第四層Ｌ４の四層に形成されている。
【０２２７】
本実施形態においても、移動単位量は、７スロットピッチに設定されている。また、所定スロットピッチは、移動単位量である７スロットピッチの１倍（７スロットピッチ（７ｓｐ））に設定されている。このように、本実施形態では、所定スロットピッチを規定するｎは、１である。また、第一数列は、移動単位量である７スロットピッチの１倍（７スロットピッチ（７ｓｐ））を含んでいる。
【０２２８】
例えば、第一基本コイル５１において、位置座標ＰＰが０、１および２の複数（３つ）のスロット２１ｃに形成されているＵ相の一相帯４１は、一つの第二基本コイル５２では、位置座標ＰＰが７、８および９の複数（３つ）のスロット２１ｃに形成されている。上述したことは、他のＵ相の一相帯４１についても同様に言える。また、Ｕ相の混成一相帯４２は、例えば、位置座標ＰＰが−１、０、１および２の複数（４つ）のスロット２１ｃに形成されている。上記の混成一相帯４２を構成する複数のコイルサイド２２ａの数（コイルサイド数ＣＮ）は、１０個である。よって、上記の混成一相帯４２のコイルサイド中心ＣＣ５１は、例えば、下記数１９から算出することができ、コイルサイド中心ＣＣ５１は、０．５になる。
（数１９）
ＣＣ５１＝（−１×１＋０×４＋１×４＋２×１）／（１＋４＋４＋１）＝０．５
【０２２９】
また、Ｕ相の混成一相帯４２は、例えば、位置座標ＰＰが７、８および９の複数（３つ）のスロット２１ｃに形成されている。上記の混成一相帯４２を構成する複数のコイルサイド２２ａの数（コイルサイド数ＣＮ）は、１０個である。上記の混成一相帯４２のコイルサイド中心ＣＣ５２は、例えば、下記数２０から算出することができ、コイルサイド中心ＣＣ５２は、８になる。
（数２０）
ＣＣ５２＝（７×３＋８×４＋９×３）／（３＋４＋３）＝８
【０２３０】
さらに、Ｕ相の混成一相帯４２は、例えば、位置座標ＰＰが１４、１５、１６および１７の複数（４つ）のスロット２１ｃに形成されている。上記の混成一相帯４２を構成する複数のコイルサイド２２ａの数（コイルサイド数ＣＮ）は、１０個である。上記の混成一相帯４２のコイルサイド中心ＣＣ５３は、例えば、下記数２１から算出することができ、コイルサイド中心ＣＣ５３は、１５．５になる。
（数２１）
ＣＣ５３＝（１４×１＋１５×４＋１６×４＋１７×１）／（１＋４＋４＋１）
＝１５．５
【０２３１】
また、Ｕ相の混成一相帯４２は、例えば、位置座標ＰＰが２２、２３および２４の複数（３つ）のスロット２１ｃに形成されている。上記の混成一相帯４２を構成する複数のコイルサイド２２ａの数（コイルサイド数ＣＮ）は、１０個である。上記の混成一相帯４２のコイルサイド中心ＣＣ５４は、例えば、下記数２２から算出することができ、コイルサイド中心ＣＣ５４は、２３になる。
（数２２）
ＣＣ５４＝（２２×３＋２３×４＋２４×３）／（３＋４＋３）＝２３
【０２３２】
上述した算出結果から、Ｕ相の混成一相帯４２のコイルサイド中心ＣＣ５１とコイルサイド中心ＣＣ５２との間の距離は、７．５（＝８−０．５）になる。また、Ｕ相の混成一相帯４２のコイルサイド中心ＣＣ５２とコイルサイド中心ＣＣ５３との間の距離は、７．５（＝１５．５−８）になる。さらに、Ｕ相の混成一相帯４２のコイルサイド中心ＣＣ５３とコイルサイド中心ＣＣ５４との間の距離は、７．５（＝２３−１５．５）になる。このように、第一方向（矢印Ｘ方向）において隣接する同相（Ｕ相）の混成一相帯４２のコイルサイド中心ＣＣ間の距離は、いずれも７．５であり、均等である。そのため、第一方向（矢印Ｘ方向）において隣接する同相（Ｕ相）の混成一相帯４２のコイルサイド中心ＣＣ間の距離は、複数（８極）の可動子磁極３２の毎極において均等になる。また、本実施形態の隣接コイルサイド比は、１（＝７．５／７．５）である。
【０２３３】
なお、図２４Ａに示す相配置は、同一のスロット２１ｃに収容されている同相の複数のコイルサイド２２ａにおいて、通電方向が異なるコイルサイド２２ａが混在している。そのため、図２４Ｂに示すように、複数のコイルサイド２２ａの通電方向を修正する必要がある。例えば、図２４Ｂに示す第二基本コイル５２において、位置座標ＰＰが７、８および９の複数（３つ）のスロット２１ｃに収容されているＵ相の複数（５つ）のコイルサイド２２ａの通電方向は、図２４Ａに示す通電方向に対して反転されている。上述したことは、第二基本コイル５２の他の一相帯４１についても同様に言える。
【０２３４】
また、図２４Ｃに示すように、本実施形態においても、同一のスロット２１ｃに収容されている複数のコイルサイド２２ａは、当該スロット２１ｃ内において、同相のコイルサイド２２ａが集約されている。例えば、図２４Ｂに示す第二基本コイル５２において、位置座標ＰＰが−１のスロット２１ｃに収容されているＵ相のコイルサイド２２ａは、図２４Ｃでは、第三層Ｌ３から第四層Ｌ４に移動されている。また、図２４Ｂに示す第一基本コイル５１において、位置座標ＰＰが２のスロット２１ｃに収容されているＵ相のコイルサイド２２ａは、図２４Ｃでは、第二層Ｌ２から第一層Ｌ１に移動されている。上述したことは、他の混成一相帯４２についても同様に言える。
【０２３５】
さらに、例えば、位置座標ＰＰが−１、０、１および２の複数（４つ）のスロット２１ｃに形成されているＵ相の混成一相帯４２のコイルサイド分布幅は、４スロット分である。位置座標ＰＰが７、８および９の複数（３つ）のスロット２１ｃに形成されているＵ相の混成一相帯４２のコイルサイド分布幅は、３スロット分である。また、位置座標ＰＰが−１、０、１および２の複数（４つ）のスロット２１ｃに形成されているＵ相の混成一相帯４２の実効コイルサイド分布幅は、４スロット分である。位置座標ＰＰが７、８および９の複数（３つ）のスロット２１ｃに形成されているＵ相の混成一相帯４２の実効コイルサイド分布幅は、４スロット分である。
【０２３６】
このように、本実施形態の実効コイルサイド分布幅（４スロット分）は、第一実施形態で既述した参考形態（固定子巻線２２が一つの基本コイル５０を備える形態）の実効コイルサイド分布幅（３．５スロット分）と比べて、増加している。そのため、本実施形態の起磁力分布は、参考形態の起磁力分布と比べて、なだらかになる。
【０２３７】
また、図２５は、本実施形態（固定子巻線２２が複数（２つ）の基本コイル５０を備える形態）のコイルサイド分布の一例を示している。図２４Ｃに示すように、例えば、位置座標ＰＰが−１のスロット２１ｃには、Ｕ相の一つのコイルサイド２２ａが収容されている。そのため、図２５に示すように、位置座標ＰＰが−１におけるＵ相のコイルサイド２２ａの数（コイルサイド数ＣＮ）は、１とする。同様に、位置座標ＰＰが０のスロット２１ｃには、Ｕ相の複数（４つ）のコイルサイド２２ａが収容されており、位置座標ＰＰが０におけるＵ相のコイルサイド２２ａの数（コイルサイド数ＣＮ）は、４とする。また、位置座標ＰＰが１のスロット２１ｃには、Ｕ相の複数（４つ）のコイルサイド２２ａが収容されており、位置座標ＰＰが１におけるＵ相のコイルサイド２２ａの数（コイルサイド数ＣＮ）は、４とする。さらに、位置座標ＰＰが２のスロット２１ｃには、Ｕ相の一つのコイルサイド２２ａが収容されており、位置座標ＰＰが２におけるＵ相のコイルサイド２２ａの数（コイルサイド数ＣＮ）は、１とする。
【０２３８】
位置座標ＰＰが７のスロット２１ｃには、Ｕ相の複数（３つ）のコイルサイド２２ａが収容されており、位置座標ＰＰが７におけるＵ相のコイルサイド２２ａの数（コイルサイド数ＣＮ）は、３とする。また、位置座標ＰＰが８のスロット２１ｃには、Ｕ相の複数（４つ）のコイルサイド２２ａが収容されており、位置座標ＰＰが８におけるＵ相のコイルサイド２２ａの数（コイルサイド数ＣＮ）は、４とする。さらに、位置座標ＰＰが９のスロット２１ｃには、Ｕ相の複数（３つ）のコイルサイド２２ａが収容されており、位置座標ＰＰが９におけるＵ相のコイルサイド２２ａの数（コイルサイド数ＣＮ）は、３とする。
【０２３９】
図２５に示す本実施形態のコイルサイド分布は、図５Ａに示す参考形態のコイルサイド分布と比べて、第一方向（矢印Ｘ方向）に広がり、なだらかになっている。また、本実施形態のコイルサイド分布は、参考形態のコイルサイド分布と比べて、正弦波に近づいている。よって、本実施形態の回転電機１０は、第一実施形態で既述した効果と同様の効果を得ることができる。
【０２４０】
また、例えば、第一基本コイル５１において、位置座標ＰＰが０、１および２の複数（３つ）のスロット２１ｃに形成されているＵ相の一相帯４１は、２．５スロット分を占有している。第一実施形態と同様に、一つのスロット２１ｃを占有するコイルサイド２２ａの直列換算導体数を基準導体数ｔ０とすると、第一コイルサイド導体数は、２．５×ｔ０で表すことができる。
【０２４１】
第一基本コイル５１の当該一相帯４１に対して、第一方向（矢印Ｘ方向）に７スロットピッチ分、移動した位置に配置されている第二基本コイル５２のＵ相の一相帯４１は、位置座標ＰＰが７、８および９の複数（３つ）のスロット２１ｃに形成されており、２．５スロット分を占有している。よって、第二コイルサイド導体数は、２．５×ｔ０で表すことができる。つまり、本実施形態では、第一コイルサイド導体数および第二コイルサイド導体数は、均等である。なお、上述したことは、他の一相帯４１についても同様に言える。
【０２４２】
図２４Ｂおよび図２４Ｃに示すように、複数（本実施形態では、２つ）の基本コイル５０が混成されている固定子巻線２２は、複数（３つ）の相コイル２２ｃ（Ｕ相コイル２２ｃｕ、Ｖ相コイル２２ｃｖ、Ｗ相コイル２２ｃｗ）を含んでいる。複数（３つ）の相コイル２２ｃは、複数（三相の各相８個、合計２４個）の極対コイル６０を具備しており、各極対コイル６０は、同心状に巻装されている複数（３つ）の単位コイル２２ｄを備えている。なお、これらの図では、図示の便宜上、一磁極対分のＵ相コイル２２ｃｕの二つの極対コイル６０を構成する複数（６つ）の単位コイル２２ｄが明示されている。
【０２４３】
図２４Ｂおよび図２４Ｃ並びに図２６に示すように、本実施形態の第一極コイル６１ｆは、一つの単位コイル２２ｄを備えており、当該単位コイル２２ｄを第一単位コイル２２ｄ１とする。第一単位コイル２２ｄ１の一対のコイルサイド２２ａ，２２ａ間のコイルピッチは、６スロットピッチ（６ｓｐ）に設定されている。第一単位コイル２２ｄ１は、同心状に巻装され、第一極コイル６１ｆが形成されている。
【０２４４】
第二極コイル６１ｓは、一対のコイルサイド２２ａ，２２ａ間のコイルピッチが異なる複数（２つ）の単位コイル２２ｄを備えており、当該複数（２つ）の単位コイル２２ｄを第二単位コイル２２ｄ２、第三単位コイル２２ｄ３とする。第二単位コイル２２ｄ２の一対のコイルサイド２２ａ，２２ａ間のコイルピッチは、７スロットピッチ（７ｓｐ）に設定されており、第三単位コイル２２ｄ３の一対のコイルサイド２２ａ，２２ａ間のコイルピッチは、５スロットピッチ（５ｓｐ）に設定されている。第二単位コイル２２ｄ２および第三単位コイル２２ｄ３は、同心状に巻装され、単位コイル間接続部６２によって直列接続されており、第二極コイル６１ｓが形成されている。
【０２４５】
このように、本実施形態においても、各極対コイル６０を構成する複数（３つ）の単位コイル２２ｄ（第一単位コイル２２ｄ１、第二単位コイル２２ｄ２および第三単位コイル２２ｄ３）は、一対のスロット２１ｃ，２１ｃに収容されている一対のコイルサイド２２ａ，２２ａ間のコイルピッチがそれぞれ異なる。また、各極対コイル６０を構成する複数（３つ）の単位コイル２２ｄ（第一単位コイル２２ｄ１、第二単位コイル２２ｄ２および第三単位コイル２２ｄ３）は、一対のコイルサイド２２ａ，２２ａ間のコイルピッチが、いずれも毎極スロット数（本実施形態では、７．５）より短く設定されている。よって、第一実施形態において既述したことは、本実施形態においても同様に言える。
【０２４６】
図２４Ｂおよび図２４Ｃに示すように、本実施形態の固定子巻線２２は、固定子２０上の配置が異なる偶数種類（本実施形態では、２種類）の複数（本実施形態では、２つ）の基本コイル５０を備えている。また、複数（本実施形態では、３つ）の相コイル２２ｃの各々は、複数（２つ）の基本コイル５０の各々において、複数（本実施形態では、８極）の可動子磁極３２の磁極対数分（本実施形態では、４つ）の極対コイル６０を備えている。具体的には、複数（３つ）の相コイル２２ｃの各々は、第一基本コイル５１において、磁極対数分（４つ）の極対コイル６０を備え、第二基本コイル５２において、磁極対数分（４つ）の極対コイル６０を備えている。
【０２４７】
複数（３つ）の相コイル２２ｃの各々が具備する複数（８つ）の極対コイル６０は、直列接続および並列接続のうちの少なくとも直列接続により電気的に接続することができる。また、複数（３つ）の相コイル２２ｃの各々は、一対のコイル引出部６０ｆ，６０ｓを介して、同相の複数（８つ）の極対コイル６０が電気的に接続されていると好適である。
【０２４８】
図２７Ａは、Ｕ相コイル２２ｃｕの各極対コイル６０の結線の一例を示している。同図は、図示の便宜上、第一基本コイル５１が備えるＵ相コイル２２ｃｕの二つの極対コイル６０と、第二基本コイル５２が備えるＵ相コイル２２ｃｕの二つの極対コイル６０とが図示されている。第一基本コイル５１が備えるＵ相コイル２２ｃｕの二つの極対コイル６０は、一の極対コイル６０の第一コイル引出部６０ｆの巻始め部６０ａがＵ相端子６ＴＵと接続されている。当該極対コイル６０の第二コイル引出部６０ｓの巻終り部６０ｂは、第一方向（矢印Ｘ方向）に隣接する一の極対コイル６０の第一コイル引出部６０ｆの巻始め部６０ａと接続されている。このようにして、二つの極対コイル６０が直列接続されている。なお、実際は、第一基本コイル５１が備えるＵ相コイル２２ｃｕの四つの極対コイル６０が直列接続されている。
【０２４９】
第二基本コイル５２が備えるＵ相コイル２２ｃｕの二つの極対コイル６０は、一の極対コイル６０の第一コイル引出部６０ｆの巻始め部６０ａが中性点６Ｎと接続されている。当該極対コイル６０の第二コイル引出部６０ｓの巻終り部６０ｂは、第一方向（矢印Ｘ方向）に隣接する一の極対コイル６０の第一コイル引出部６０ｆの巻始め部６０ａと接続されている。このようにして、二つの極対コイル６０が直列接続されている。なお、実際は、第二基本コイル５２が備えるＵ相コイル２２ｃｕの四つの極対コイル６０が直列接続されている。
【０２５０】
ここで、第一基本コイル５１において直列接続されているＵ相コイル２２ｃｕの極対コイル６０の端部のうち、Ｕ相端子６ＴＵに接続されている端部と反対側の端部（第二コイル引出部６０ｓの巻終り部６０ｂ）を第一端部６０ｅ１とする。また、第二基本コイル５２において直列接続されているＵ相コイル２２ｃｕの極対コイル６０の端部のうち、中性点６Ｎに接続されている端部と反対側の端部（第二コイル引出部６０ｓの巻終り部６０ｂ）を第二端部６０ｅ２とする。本形態では、第一端部６０ｅ１と第二端部６０ｅ２との間は、電気的に接続されている。これにより、Ｕ相コイル２２ｃｕの複数（８つ）の極対コイル６０は、すべて直列接続される。本形態では、Ｕ相コイル２２ｃｕが具備する極対コイル６０の種類は、一種類であり、極対コイル６０の種類数を最小化することができる。上述したことは、Ｖ相コイル２２ｃｖおよびＷ相コイル２２ｃｗについても同様に言える。
【０２５１】
図２７Ｂは、Ｕ相コイル２２ｃｕの各極対コイル６０の他の結線の一例を示している。同図は、図示の便宜上、第一基本コイル５１が備えるＵ相コイル２２ｃｕの一つの極対コイル６０と、第二基本コイル５２が備えるＵ相コイル２２ｃｕの一つの極対コイル６０とが図示されている。本形態では、第一基本コイル５１が備えるＵ相コイル２２ｃｕの極対コイル６０は、既述した極対コイル６０と同じであるが、第二基本コイル５２が備えるＵ相コイル２２ｃｕの極対コイル６０は、第一基本コイル５１が備えるＵ相コイル２２ｃｕの極対コイル６０に対して、巻方向が逆方向に設定されている。具体的には、第二基本コイル５２が備えるＵ相コイル２２ｃｕの極対コイル６０は、第三方向（矢印Ｚ方向）に沿って延びる仮想の直線の周りに、第一基本コイル５１が備えるＵ相コイル２２ｃｕの極対コイル６０を１８０°回転させた形態と一致する。
【０２５２】
また、第一基本コイル５１が備えるＵ相コイル２２ｃｕの極対コイル６０の第一極コイル６１ｆは、第二基本コイル５２が備えるＵ相コイル２２ｃｕの極対コイル６０の第二極コイル６１ｓと対向している。第一基本コイル５１が備えるＵ相コイル２２ｃｕの極対コイル６０の第二極コイル６１ｓは、第二基本コイル５２が備えるＵ相コイル２２ｃｕの極対コイル６０の第一極コイル６１ｆと対向している。
【０２５３】
第一基本コイル５１が備えるＵ相コイル２２ｃｕの極対コイル６０の第一コイル引出部６０ｆの巻始め部６０ａは、Ｕ相端子６ＴＵと接続されている。また、第一基本コイル５１が備えるＵ相コイル２２ｃｕの極対コイル６０の第二コイル引出部６０ｓの巻終り部６０ｂと、第二基本コイル５２が備えるＵ相コイル２２ｃｕの極対コイル６０の第一コイル引出部６０ｆの巻始め部６０ａとが接続されている。さらに、第二基本コイル５２が備えるＵ相コイル２２ｃｕの極対コイル６０の第二コイル引出部６０ｓの巻終り部６０ｂは、中性点６Ｎと接続されている。これにより、一磁極対分のＵ相コイル２２ｃｕの複数（２つ）の極対コイル６０が直列接続される。
【０２５４】
残りの三磁極対分の複数（６つ）の極対コイル６０についても、同様にして、一磁極対分の複数（２つ）の極対コイル６０がそれぞれ直列接続される。ここで、一磁極対分の直列接続される複数（２つ）の極対コイル６０を直列極対コイルとする。合計四組の直列極対コイルは、すべて直列接続することができる。また、合計四組の直列極対コイルは、すべて並列接続することもできる。さらに、合計四組の直列極対コイルのうちの二組の直列極対コイルを直列接続し、残りの二組の直列極対コイルを直列接続し、直列接続された二組の直列極対コイルと、直列接続された二組の直列極対コイルとを並列接続することもできる。本形態では、Ｕ相コイル２２ｃｕが具備する極対コイル６０の種類は、二種類であり、図２７Ａに示す形態と比べて、極対コイル６０の種類数が増加している。しかしながら、本形態では、第二基本コイル５２の数が増加した場合に、極対コイル６０間を接続する配策を均等化し易い。上述したことは、Ｖ相コイル２２ｃｖおよびＷ相コイル２２ｃｗについても同様に言える。
【０２５５】
なお、本実施形態の極対コイル６０は、第一実施形態と比べて、第一極コイル６１ｆを構成する単位コイル２２ｄの数が一つ少ない。また、本実施形態の極対コイル６０は、第二極コイル６１ｓの構成が第一実施形態と同じである。よって、本実施形態の極対コイル６０は、第一実施形態と比べて、極対コイル６０の構成としては簡素化される。従って、第一実施形態において、一対のコイル引出部６０ｆ，６０ｓの配置と単位コイル２２ｄの巻進行方向について既述したことは、本実施形態においても同様に言える。
【０２５６】
また、本実施形態では、複数（３つ）の相コイル２２ｃの各々は、第一基本コイル５１において、磁極対数分（４つ）の極対コイル６０を備え、第二基本コイル５２において、磁極対数分（４つ）の極対コイル６０を備える。よって、本実施形態では、第一実施形態で既述した回転電機の製造方法によって、基本コイル５０毎に、複数（３つ）の相コイル２２ｃを装着することができる。具体的には、複数（３つ）の相コイル２２ｃ（Ｕ相コイル２２ｃｕ、Ｖ相コイル２２ｃｖおよびＷ相コイル２２ｃｗ）は、基本コイル５０毎に、第一装着工程と、第二遅相装着工程と、第三遅相装着工程とを備える回転電機１０の製造方法によって、複数（６０個）のスロット２１ｃに装着することができる。また、複数（３つ）の相コイル２２ｃ（Ｕ相コイル２２ｃｕ、Ｖ相コイル２２ｃｖおよびＷ相コイル２２ｃｗ）は、基本コイル５０毎に、第一装着工程と、第二進相装着工程と、第三進相装着工程とを備える回転電機１０の製造方法によって、複数（６０個）のスロット２１ｃに装着することもできる。
【０２５７】
さらに、図４Ｄに示すように、第一実施形態についても、複数（３つ）の相コイル２２ｃの各々は、複数（４つ）の基本コイル５０の各々において、複数（８極）の可動子磁極３２の磁極対数分（４つ）の極対コイル６０を備えることができる。具体的には、複数（３つ）の相コイル２２ｃの各々は、第一層Ｌ１および第二層Ｌ２を形成する第一基本コイル５１において、磁極対数分（４つ）の極対コイル６０を備え、第三層Ｌ３および第四層Ｌ４を形成する第二基本コイル５２において、磁極対数分（４つ）の極対コイル６０を備えることができる。複数（３つ）の相コイル２２ｃの各々は、第五層Ｌ５および第六層Ｌ６を形成する第二基本コイル５２において、磁極対数分（４つ）の極対コイル６０を備え、第七層Ｌ７および第八層Ｌ８を形成する第二基本コイル５２において、磁極対数分（４つ）の極対コイル６０を備えることができる。
【０２５８】
なお、第三層Ｌ３および第四層Ｌ４を形成する第二基本コイル５２と、第五層Ｌ５および第六層Ｌ６を形成する第二基本コイル５２とは、固定子２０上の配置が同じである。よって、例えば、第三層Ｌ３および第四層Ｌ４を形成する第二基本コイル５２が備える各極対コイル６０の各単位コイル２２ｄの巻数を二倍にして、固定子２０上の配置が同じ単位コイル２２ｄを集約（一コイル化）しても良い。
【０２５９】
同様に、図１８Ｄに示すように、第二実施形態についても、複数（３つ）の相コイル２２ｃの各々は、複数（３つ）の基本コイル５０の各々において、複数（８極）の可動子磁極３２の磁極対数分（４つ）の極対コイル６０を備えることができる。具体的には、複数（３つ）の相コイル２２ｃの各々は、第一層Ｌ１および第二層Ｌ２を形成する第一基本コイル５１において、磁極対数分（４つ）の極対コイル６０を備え、第三層Ｌ３および第四層Ｌ４を形成する第二基本コイル５２において、磁極対数分（４つ）の極対コイル６０を備え、第五層Ｌ５および第六層Ｌ６を形成する第二基本コイル５２において、磁極対数分（４つ）の極対コイル６０を備えることができる。
【０２６０】
また、図２１Ｂに示すように、第三実施形態についても、複数（３つ）の相コイル２２ｃの各々は、複数（２つ）の基本コイル５０の各々において、複数（８極）の可動子磁極３２の磁極対数分（４つ）の極対コイル６０を備えることができる。具体的には、複数（３つ）の相コイル２２ｃの各々は、第一層Ｌ１および第二層Ｌ２を形成する第一基本コイル５１において、磁極対数分（４つ）の極対コイル６０を備え、第三層Ｌ３および第四層Ｌ４を形成する第二基本コイル５２において、磁極対数分（４つ）の極対コイル６０を備えることができる。
【０２６１】
上述したいずれの変形形態においても、各極対コイル６０の第一極コイル６１ｆは、一つの単位コイル２２ｄを備えており、当該単位コイル２２ｄ（第一単位コイル２２ｄ１）の一対のコイルサイド２２ａ，２２ａ間のコイルピッチは、６スロットピッチ（６ｓｐ）に設定されている。また、各極対コイル６０の第二極コイル６１ｓは、複数（２つ）の単位コイル２２ｄを備えており、当該複数（２つ）の単位コイル２２ｄのうちの一方（第二単位コイル２２ｄ２）の一対のコイルサイド２２ａ，２２ａ間のコイルピッチは、７スロットピッチ（７ｓｐ）に設定されている。当該複数（２つ）の単位コイル２２ｄのうちの他方（第三単位コイル２２ｄ３）の一対のコイルサイド２２ａ，２２ａ間のコイルピッチは、５スロットピッチ（５ｓｐ）に設定されている。また、上述したいずれの変形形態においても、例えば、図２７Ａまたは図２７Ｂに示す方法によって各極対コイル６０を結線し、各相コイル２２ｃを構成することができる。図２７Ｂに示す方法によって各極対コイル６０を結線する場合、合計四組の直列極対コイルは、すべて直列接続することができる。また、合計四組の直列極対コイルは、すべて並列接続することもできる。さらに、合計四組の直列極対コイルのうちの二組の直列極対コイルを直列接続し、残りの二組の直列極対コイルを直列接続し、直列接続された二組の直列極対コイルと、直列接続された二組の直列極対コイルとを並列接続することもできる。
【０２６２】
＜第五実施形態＞
本実施形態は、固定子巻線２２が複数（４つ）の基本コイル５０を備える点で、第四実施形態と異なる。本実施形態では、第四実施形態と異なる点が中心に説明されている。
【０２６３】
図２８Ａに示すように、固定子巻線２２は、複数（４つ）の基本コイル５０を備えている。複数（４つ）の基本コイル５０の各々は、既述した基本コイル５０と同一構成である。また、複数（４つ）の基本コイル５０は、第一基本コイル５１と、複数（３つ）の第二基本コイル５２とを備えている。本実施形態においても、複数（３つ）の第二基本コイル５２は、第一基本コイル５１に対して、第一方向（矢印Ｘ方向）に所定スロットピッチ分、移動した位置に配置されている。また、複数（３つ）の第二基本コイル５２の各々は、第一基本コイル５１に対して、第一方向（矢印Ｘ方向）のうちの一の方向（第一方向第二極コイル側（矢印Ｘ１方向））に移動した位置に配置されている。これらにより、本実施形態の固定子巻線２２は、第一層Ｌ１〜第八層Ｌ８の八層に形成されている。
【０２６４】
本実施形態においても、移動単位量は、７スロットピッチに設定されている。但し、複数（３つ）の第二基本コイル５２のうちの一の第二基本コイル５２（例えば、第三層Ｌ３および第四層Ｌ４を形成する第二基本コイル５２）は、所定スロットピッチが、移動単位量である７スロットピッチの１倍（７スロットピッチ（７ｓｐ））に設定されている。複数（３つ）の第二基本コイル５２のうちの他の一の第二基本コイル５２（例えば、第五層Ｌ５および第六層Ｌ６を形成する第二基本コイル５２）は、所定スロットピッチが、移動単位量である７スロットピッチの２倍（１４スロットピッチ（１４ｓｐ））に設定されている。複数（３つ）の第二基本コイル５２のうちの他の一の第二基本コイル５２（例えば、第七層Ｌ７および第八層Ｌ８を形成する第二基本コイル５２）は、所定スロットピッチが、移動単位量である７スロットピッチの３倍（２１スロットピッチ（２１ｓｐ））に設定されている。このように、本実施形態では、所定スロットピッチを規定するｎは、１、２および３である。また、第一数列は、移動単位量である７スロットピッチの１倍（７スロットピッチ（７ｓｐ））から３倍（２１スロットピッチ（２１ｓｐ））までのすべての自然数倍を含んでいる。
【０２６５】
例えば、第一基本コイル５１において、位置座標ＰＰが０、１および２の複数（３つ）のスロット２１ｃに形成されているＵ相の一相帯４１は、第三層Ｌ３および第四層Ｌ４を形成する第二基本コイル５２では、位置座標ＰＰが７、８および９の複数（３つ）のスロット２１ｃに形成されている。また、第一基本コイル５１において、位置座標ＰＰが０、１および２の複数（３つ）のスロット２１ｃに形成されているＵ相の一相帯４１は、第五層Ｌ５および第六層Ｌ６を形成する第二基本コイル５２では、位置座標ＰＰが１４、１５および１６の複数（３つ）のスロット２１ｃに形成されている。
【０２６６】
さらに、第一基本コイル５１において、位置座標ＰＰが０、１および２の複数（３つ）のスロット２１ｃに形成されているＵ相の一相帯４１は、第七層Ｌ７および第八層Ｌ８を形成する第二基本コイル５２では、位置座標ＰＰが２１、２２および２３の複数（３つ）のスロット２１ｃに形成されている。上述したことは、他のＵ相の一相帯４１についても同様に言える。
【０２６７】
また、Ｕ相の混成一相帯４２は、例えば、位置座標ＰＰが−２、−１、０、１および２の複数（５つ）のスロット２１ｃに形成されている。上記の混成一相帯４２を構成する複数のコイルサイド２２ａの数（コイルサイド数ＣＮ）は、２０個である。よって、上記の混成一相帯４２のコイルサイド中心ＣＣ６１は、例えば、下記数２３から算出することができ、コイルサイド中心ＣＣ６１は、０になる。
（数２３）
ＣＣ６１＝（−２×１＋−１×５＋０×８＋１×５＋２×１）／（１+５＋８＋５＋１）＝０
【０２６８】
また、Ｕ相の混成一相帯４２は、例えば、位置座標ＰＰが６、７、８および９の複数（４つ）のスロット２１ｃに形成されている。上記の混成一相帯４２を構成する複数のコイルサイド２２ａの数（コイルサイド数ＣＮ）は、２０個である。上記の混成一相帯４２のコイルサイド中心ＣＣ６２は、例えば、下記数２４から算出することができ、コイルサイド中心ＣＣ６２は、７．５になる。
（数２４）
ＣＣ６２＝（６×３＋７×７＋８×７＋９×３）／（３＋７＋７＋３）＝７．５
【０２６９】
さらに、Ｕ相の混成一相帯４２は、例えば、位置座標ＰＰが１３、１４、１５、１６および１７の複数（５つ）のスロット２１ｃに形成されている。上記の混成一相帯４２を構成する複数のコイルサイド２２ａの数（コイルサイド数ＣＮ）は、２０個である。上記の混成一相帯４２のコイルサイド中心ＣＣ６３は、例えば、下記数２５から算出することができ、コイルサイド中心ＣＣ６３は、１５になる。
（数２５）
ＣＣ６３＝（１３×１＋１４×５＋１５×８＋１６×５＋１７×１）／（１＋５＋８＋５＋１）＝１５
【０２７０】
また、Ｕ相の混成一相帯４２は、例えば、位置座標ＰＰが２１、２２、２３および２４の複数（４つ）のスロット２１ｃに形成されている。上記の混成一相帯４２を構成する複数のコイルサイド２２ａの数（コイルサイド数ＣＮ）は、２０個である。上記の混成一相帯４２のコイルサイド中心ＣＣ６４は、例えば、下記数２６から算出することができ、コイルサイド中心ＣＣ６４は、２２．５になる。
（数２６）
ＣＣ６４＝（２１×３＋２２×７＋２３×７＋２４×３）／（３＋７＋７＋３）
＝２２．５
【０２７１】
上述した算出結果から、Ｕ相の混成一相帯４２のコイルサイド中心ＣＣ６１とコイルサイド中心ＣＣ６２との間の距離は、７．５（＝７．５−０）になる。また、Ｕ相の混成一相帯４２のコイルサイド中心ＣＣ６２とコイルサイド中心ＣＣ６３との間の距離は、７．５（＝１５−７．５）になる。さらに、Ｕ相の混成一相帯４２のコイルサイド中心ＣＣ６３とコイルサイド中心ＣＣ６４との間の距離は、７．５（＝２２．５−１５）になる。このように、第一方向（矢印Ｘ方向）において隣接する同相（Ｕ相）の混成一相帯４２のコイルサイド中心ＣＣ間の距離は、７．５であり、均等である。なお、本実施形態の隣接コイルサイド比は、１（＝７．５／７．５）である。
【０２７２】
本実施形態では、Ｕ相の混成一相帯４２を構成する複数のコイルサイド２２ａの数（コイルサイド数ＣＮ）は、いずれも２０個であり、複数（８極）の可動子磁極３２の毎極において均等である。そのため、固定子巻線２２が通電されたときに発生する起磁力の大きさは、複数（８極）の可動子磁極３２の毎極において均等になる。さらに、起磁力分布の回転対称性が改善されている。よって、本実施形態の回転電機１０は、第一実施形態で既述した効果と同様の効果を得ることができる。
【０２７３】
なお、図２８Ａに示す相配置は、同一のスロット２１ｃに収容されている同相の複数のコイルサイド２２ａにおいて、通電方向が異なるコイルサイド２２ａが混在している。そのため、図２８Ｂに示すように、複数のコイルサイド２２ａの通電方向を修正する必要がある。例えば、図２８Ｂに示す第三層Ｌ３および第四層Ｌ４を形成する第二基本コイル５２において、位置座標ＰＰが７、８および９の複数（３つ）のスロット２１ｃに収容されているＵ相の複数（５つ）のコイルサイド２２ａの通電方向は、図２８Ａに示す通電方向に対して反転されている。
【０２７４】
また、図２８Ｂに示す第七層Ｌ７および第八層Ｌ８を形成する第二基本コイル５２において、位置座標ＰＰが２１、２２および２３の複数（３つ）のスロット２１ｃに収容されているＵ相の複数（５つ）のコイルサイド２２ａの通電方向は、図２８Ａに示す通電方向に対して反転されている。上述したことは、図２８Ｂに示す第三層Ｌ３および第四層Ｌ４を形成する第二基本コイル５２の他の一相帯４１についても同様に言える。また、同図に示す第七層Ｌ７および第八層Ｌ８を形成する第二基本コイル５２の他の一相帯４１についても同様に言える。なお、第五層Ｌ５および第六層Ｌ６を形成する第二基本コイル５２では、コイルサイド２２ａの通電方向は、正しいので、コイルサイド２２ａの通電方向を反転する必要はない。
【０２７５】
また、図２８Ｃに示すように、本実施形態においても、同一のスロット２１ｃに収容されている複数のコイルサイド２２ａは、当該スロット２１ｃ内において、同相のコイルサイド２２ａが集約されている。例えば、図２８Ｂに示す第三層Ｌ３および第四層Ｌ４を形成する第二基本コイル５２において、位置座標ＰＰが−１のスロット２１ｃに収容されているＵ相のコイルサイド２２ａは、図２８Ｃでは、第三層Ｌ３から第四層Ｌ４に移動されている。また、図２８Ｂに示す第七層Ｌ７および第八層Ｌ８を形成する第二基本コイル５２において、位置座標ＰＰが−２のスロット２１ｃに収容されているＵ相のコイルサイド２２ａは、図２８Ｃでは、第七層Ｌ７から第八層Ｌ８に移動されている。
【０２７６】
さらに、図２８Ｂに示す第五層Ｌ５および第六層Ｌ６を形成する第二基本コイル５２において、位置座標ＰＰが１のスロット２１ｃに収容されているＵ相のコイルサイド２２ａは、図２８Ｃでは、第六層Ｌ６から第五層Ｌ５に移動されている。また、図２８Ｂに示す第一基本コイル５１において、位置座標ＰＰが２のスロット２１ｃに収容されているＵ相のコイルサイド２２ａは、図２８Ｃでは、第二層Ｌ２から第一層Ｌ１に移動されている。上述したことは、他の混成一相帯４２についても同様に言える。
【０２７７】
さらに、例えば、位置座標ＰＰが−２、−１、０、１および２の複数（５つ）のスロット２１ｃに形成されているＵ相の混成一相帯４２のコイルサイド分布幅は、５スロット分である。位置座標ＰＰが６、７、８および９の複数（４つ）のスロット２１ｃに形成されているＵ相の混成一相帯４２のコイルサイド分布幅は、４スロット分である。また、位置座標ＰＰが−２、−１、０、１および２の複数（５つ）のスロット２１ｃに形成されているＵ相の混成一相帯４２の実効コイルサイド分布幅は、５スロット分である。位置座標ＰＰが６、７、８および９の複数（４つ）のスロット２１ｃに形成されているＵ相の混成一相帯４２の実効コイルサイド分布幅は、５スロット分である。
【０２７８】
このように、本実施形態の実効コイルサイド分布幅（５スロット分）は、第一実施形態で既述した参考形態（固定子巻線２２が一つの基本コイル５０を備える形態）の実効コイルサイド分布幅（３．５スロット分）と比べて、増加している。そのため、本実施形態の起磁力分布は、参考形態の起磁力分布と比べて、なだらかになる。
【０２７９】
また、図２９は、本実施形態（固定子巻線２２が複数（４つ）の基本コイル５０を備える形態）のコイルサイド分布の一例を示している。図２８Ｃに示すように、例えば、位置座標ＰＰが−２のスロット２１ｃには、Ｕ相の一つのコイルサイド２２ａが収容されている。そのため、図２９に示すように、位置座標ＰＰが−２におけるＵ相のコイルサイド２２ａの数（コイルサイド数ＣＮ）は、１とする。同様に、位置座標ＰＰが−１のスロット２１ｃには、Ｕ相の複数（５つ）のコイルサイド２２ａが収容されており、位置座標ＰＰが−１におけるＵ相のコイルサイド２２ａの数（コイルサイド数ＣＮ）は、５とする。
【０２８０】
位置座標ＰＰが０のスロット２１ｃには、Ｕ相の複数（８つ）のコイルサイド２２ａが収容されており、位置座標ＰＰが０におけるＵ相のコイルサイド２２ａの数（コイルサイド数ＣＮ）は、８とする。さらに、位置座標ＰＰが１のスロット２１ｃには、Ｕ相の複数（５つ）のコイルサイド２２ａが収容されており、位置座標ＰＰが１におけるＵ相のコイルサイド２２ａの数（コイルサイド数ＣＮ）は、５とする。また、位置座標ＰＰが２のスロット２１ｃには、Ｕ相の一つのコイルサイド２２ａが収容されており、位置座標ＰＰが２におけるＵ相のコイルサイド２２ａの数（コイルサイド数ＣＮ）は、１とする。
【０２８１】
位置座標ＰＰが６のスロット２１ｃには、Ｕ相の複数（３つ）のコイルサイド２２ａが収容されており、位置座標ＰＰが６におけるＵ相のコイルサイド２２ａの数（コイルサイド数ＣＮ）は、３とする。また、位置座標ＰＰが７のスロット２１ｃには、Ｕ相の複数（７つ）のコイルサイド２２ａが収容されており、位置座標ＰＰが７におけるＵ相のコイルサイド２２ａの数（コイルサイド数ＣＮ）は、７とする。さらに、位置座標ＰＰが８のスロット２１ｃには、Ｕ相の複数（７つ）のコイルサイド２２ａが収容されており、位置座標ＰＰが８におけるＵ相のコイルサイド２２ａの数（コイルサイド数ＣＮ）は、７とする。また、位置座標ＰＰが９のスロット２１ｃには、Ｕ相の複数（３つ）のコイルサイド２２ａが収容されており、位置座標ＰＰが９におけるＵ相のコイルサイド２２ａの数（コイルサイド数ＣＮ）は、３とする。
【０２８２】
図２９に示す本実施形態のコイルサイド分布は、図５Ａに示す参考形態のコイルサイド分布と比べて、第一方向（矢印Ｘ方向）に広がり、なだらかになっている。また、本実施形態のコイルサイド分布は、参考形態のコイルサイド分布と比べて、正弦波に近づいている。よって、本実施形態の回転電機１０は、第一実施形態で既述した効果と同様の効果を得ることができる。
【０２８３】
また、例えば、第一基本コイル５１において、位置座標ＰＰが０、１および２の複数（３つ）のスロット２１ｃに形成されているＵ相の一相帯４１は、２．５スロット分を占有している。第一実施形態と同様に、一つのスロット２１ｃを占有するコイルサイド２２ａの直列換算導体数を基準導体数ｔ０とすると、第一コイルサイド導体数は、２．５×ｔ０で表すことができる。
【０２８４】
第一基本コイル５１の当該一相帯４１に対して、第一方向（矢印Ｘ方向）に７スロットピッチ分、移動した位置に配置されている第二基本コイル５２のＵ相の一相帯４１は、位置座標ＰＰが７、８および９の複数（３つ）のスロット２１ｃに形成されており、２．５スロット分を占有している。また、第一基本コイル５１の当該一相帯４１に対して、第一方向（矢印Ｘ方向）に１４スロットピッチ分、移動した位置に配置されている第二基本コイル５２のＵ相の一相帯４１は、位置座標ＰＰが１４、１５および１６の複数（３つ）のスロット２１ｃに形成されており、２．５スロット分を占有している。
【０２８５】
さらに、第一基本コイル５１の当該一相帯４１に対して、第一方向（矢印Ｘ方向）に２１スロットピッチ分、移動した位置に配置されている第二基本コイル５２のＵ相の一相帯４１は、位置座標ＰＰが２１、２２および２３の複数（３つ）のスロット２１ｃに形成されており、２．５スロット分を占有している。よって、第二コイルサイド導体数は、いずれも２．５×ｔ０で表すことができる。つまり、本実施形態においても、第一コイルサイド導体数および第二コイルサイド導体数は、均等である。なお、上述したことは、他の一相帯４１についても同様に言える。
【０２８６】
図２８Ｂおよび図２８Ｃに示すように、複数（本実施形態では、４つ）の基本コイル５０が混成されている固定子巻線２２は、複数（３つ）の相コイル２２ｃ（Ｕ相コイル２２ｃｕ、Ｖ相コイル２２ｃｖ、Ｗ相コイル２２ｃｗ）を含んでいる。複数（３つ）の相コイル２２ｃは、複数（三相の各相１６個、合計４８個）の極対コイル６０を具備しており、各極対コイル６０は、同心状に巻装されている複数（３つ）の単位コイル２２ｄを備えている。なお、これらの図では、図示の便宜上、一磁極対分のＵ相コイル２２ｃｕの四つの極対コイル６０を構成する複数（１２個）の単位コイル２２ｄが明示されている。
【０２８７】
図２８Ｂおよび図２８Ｃ並びに図３０Ａに示すように、本実施形態の第一極コイル６１ｆは、一つの単位コイル２２ｄを備えており、当該単位コイル２２ｄ（第一単位コイル２２ｄ１）の一対のコイルサイド２２ａ，２２ａ間のコイルピッチは、６スロットピッチ（６ｓｐ）に設定されている。本実施形態の第二極コイル６１ｓは、複数（２つ）の単位コイル２２ｄを備えており、当該複数（２つ）の単位コイル２２ｄのうちの一方（第二単位コイル２２ｄ２）の一対のコイルサイド２２ａ，２２ａ間のコイルピッチは、７スロットピッチ（７ｓｐ）に設定されている。当該複数（２つ）の単位コイル２２ｄのうちの他方（第三単位コイル２２ｄ３）の一対のコイルサイド２２ａ，２２ａ間のコイルピッチは、５スロットピッチ（５ｓｐ）に設定されている。このように、各極対コイル６０を構成する複数（３つ）の単位コイル２２ｄの一対のコイルサイド２２ａ，２２ａ間のコイルピッチは、第四実施形態と同じである。つまり、図３０Ａは、図２６と一致している。
【０２８８】
また、図２８Ｂおよび図２８Ｃに示すように、本実施形態の固定子巻線２２は、固定子２０上の配置が異なる偶数種類（本実施形態では、４種類）の複数（本実施形態では、４つ）の基本コイル５０を備えている。さらに、複数（本実施形態では、３つ）の相コイル２２ｃの各々は、複数（４つ）の基本コイル５０の各々において、複数（本実施形態では、８極）の可動子磁極３２の磁極対数分（本実施形態では、４つ）の極対コイル６０を備えている。よって、第四実施形態において既述したことは、本実施形態においても同様に言える。
【０２８９】
なお、図２８Ｃに示す第三層Ｌ３および第四層Ｌ４を形成する第二基本コイル５２と、第五層Ｌ５および第六層Ｌ６を形成する第二基本コイル５２とを入れ替えると、図２８Ｄに示す変形形態の固定子巻線２２の相配置になる。図２８Ｄに示す変形形態の第一層Ｌ１〜第四層Ｌ４を形成する第一基本コイル５１および第二基本コイル５２の相配置は、図２１Ａに示す第三実施形態で既述した第一基本コイル５１および第二基本コイル５２の相配置と類似している。具体的には、第三実施形態では、第二基本コイル５２は、第一基本コイル５１に対して、第一方向（矢印Ｘ方向）のうちの一の方向（第一方向第二極コイル側（矢印Ｘ１方向））に、１スロットピッチ（１ｓｐ）分、移動した位置に配置されている。一方、図２８Ｄに示す変形形態では、第二基本コイル５２は、第一基本コイル５１に対して、第一方向（矢印Ｘ方向）のうちの他の一の方向（第一方向第一極コイル側（矢印Ｘ２方向））に、１スロットピッチ（１ｓｐ）分、移動した位置に配置されている。上述したことは、図２８Ｄに示す第五層Ｌ５〜第八層Ｌ８を形成する複数（２つ）の第二基本コイル５２の相配置についても同様に言える。
【０２９０】
よって、第三実施形態において既述した極対コイル６０と同様にして、変形形態の極対コイル６０は、図２８Ｄに示す配置にすることができる。つまり、複数（３つ）の相コイル２２ｃの各々は、第一層Ｌ１〜第四層Ｌ４を形成する複数（２つ）の基本コイル５０の全体において、複数（８極）の可動子磁極３２の磁極対数分（４つ）の極対コイル６０を備えている。また、複数（３つ）の相コイル２２ｃの各々は、第五層Ｌ５〜第八層Ｌ８を形成する複数（２つ）の基本コイル５０の全体において、複数（８極）の可動子磁極３２の磁極対数分（４つ）の極対コイル６０を備えている。これにより、本変形形態の固定子巻線２２は、複数（８つ）の基本コイル５０の各々において、複数（８極）の可動子磁極３２の磁極対数分（４つ）の極対コイル６０を備えている本実施形態と比べて、極対コイル６０の数を半減することができる。
【０２９１】
なお、図３０Ｂに示すように、本変形形態の各極対コイル６０の構成は、第三実施形態において既述した極対コイル６０の構成と同じである。また、図２８Ｄに示すように、第五層Ｌ５〜第八層Ｌ８を形成する複数（２つ）の基本コイル５０は、第一層Ｌ１〜第四層Ｌ４を形成する複数（２つ）の基本コイル５０に対して、第一方向（矢印Ｘ方向）のうちの一の方向（第一方向第二極コイル側（矢印Ｘ１方向））に、７スロットピッチ（７ｓｐ）分、移動した位置に配置されている。
【０２９２】
＜第六実施形態＞
本実施形態は、移動単位量が８スロットピッチである点で第四実施形態と異なる。本実施形態では、第四実施形態と異なる点が中心に説明されている。
【０２９３】
図３１Ａに示すように、固定子巻線２２は、複数（２つ）の基本コイル５０を備えている。複数（２つ）の基本コイル５０の各々は、既述した基本コイル５０と同一構成である。また、複数（２つ）の基本コイル５０は、第一基本コイル５１と、一つの第二基本コイル５２とを備えている。本実施形態においても、一つの第二基本コイル５２は、第一基本コイル５１に対して、第一方向（矢印Ｘ方向）に所定スロットピッチ分、移動した位置に配置されている。また、一つの第二基本コイル５２は、第一基本コイル５１に対して、第一方向（矢印Ｘ方向）のうちの一の方向（第一方向第二極コイル側（矢印Ｘ１方向））に移動した位置に配置されている。これらにより、本実施形態の固定子巻線２２は、第一層Ｌ１〜第四層Ｌ４の四層に形成されている。
【０２９４】
本実施形態では、移動単位量は、毎極スロット数（本実施形態では、７．５）より大きい直近の整数である８スロットピッチに設定されている。また、所定スロットピッチは、移動単位量である８スロットピッチの１倍（８スロットピッチ（８ｓｐ））に設定されている。このように、本実施形態では、所定スロットピッチを規定するｎは、１である。また、第一数列は、移動単位量である８スロットピッチの１倍（８スロットピッチ（８ｓｐ））を含んでいる。
【０２９５】
例えば、第一基本コイル５１において、位置座標ＰＰが０、１および２の複数（３つ）のスロット２１ｃに形成されているＵ相の一相帯４１は、一つの第二基本コイル５２では、位置座標ＰＰが８、９および１０の複数（３つ）のスロット２１ｃに形成されている。上述したことは、他のＵ相の一相帯４１についても同様に言える。また、Ｕ相の混成一相帯４２は、例えば、位置座標ＰＰが０、１および２の複数（３つ）のスロット２１ｃに形成されている。上記の混成一相帯４２を構成する複数のコイルサイド２２ａの数（コイルサイド数ＣＮ）は、１０個である。さらに、上記の混成一相帯４２のコイルサイド中心ＣＣ７１は、例えば、下記数２７から算出することができ、コイルサイド中心ＣＣ７１は、１になる。
（数２７）
ＣＣ７１＝（０×３＋１×４＋２×３）／（３＋４＋３）＝１
【０２９６】
さらに、Ｕ相の混成一相帯４２は、例えば、位置座標ＰＰが７、８、９および１０の複数（４つ）のスロット２１ｃに形成されている。上記の混成一相帯４２を構成する複数のコイルサイド２２ａの数（コイルサイド数ＣＮ）は、１０個である。さらに、上記の混成一相帯４２のコイルサイド中心ＣＣ７２は、例えば、下記数２８から算出することができ、コイルサイド中心ＣＣ７２は、８．５になる。
（数２８）
ＣＣ７２＝（７×１＋８×４＋９×４＋１０×１）／（１＋４＋４＋１）＝８．５
【０２９７】
また、Ｕ相の混成一相帯４２は、例えば、位置座標ＰＰが１５、１６および１７の複数（３つ）のスロット２１ｃに形成されている。上記の混成一相帯４２を構成する複数のコイルサイド２２ａの数（コイルサイド数ＣＮ）は、１０個である。さらに、上記の混成一相帯４２のコイルサイド中心ＣＣ７３は、例えば、下記数２９から算出することができ、コイルサイド中心ＣＣ７３は、１６になる。
（数２９）
ＣＣ７３＝（１５×３＋１６×４＋１７×３）／（３＋４＋３）＝１６
【０２９８】
さらに、Ｕ相の混成一相帯４２は、例えば、位置座標ＰＰが２２、２３、２４および２５の複数（４つ）のスロット２１ｃに形成されている。上記の混成一相帯４２を構成する複数のコイルサイド２２ａの数（コイルサイド数ＣＮ）は、１０個である。さらに、上記の混成一相帯４２のコイルサイド中心ＣＣ７４は、例えば、下記数３０から算出することができ、コイルサイド中心ＣＣ７４は、２３．５になる。
（数３０）
ＣＣ７４＝（２２×１＋２３×４＋２４×４＋２５×１）／（１＋４＋４＋１）
＝２３．５
【０２９９】
上述した算出結果から、Ｕ相の混成一相帯４２のコイルサイド中心ＣＣ７１とコイルサイド中心ＣＣ７２との間の距離は、７．５（＝８．５−１）になる。また、Ｕ相の混成一相帯４２のコイルサイド中心ＣＣ７２とコイルサイド中心ＣＣ７３との間の距離は、７．５（＝１６−８．５）になる。さらに、Ｕ相の混成一相帯４２のコイルサイド中心ＣＣ７３とコイルサイド中心ＣＣ７４との間の距離は、７．５（＝２３．５−１６）になる。このように、第一方向（矢印Ｘ方向）において隣接する同相（Ｕ相）の混成一相帯４２のコイルサイド中心ＣＣ間の距離は、７．５であり、均等である。なお、本実施形態の隣接コイルサイド比は、１（＝７．５／７．５）である。
【０３００】
本実施形態では、Ｕ相の混成一相帯４２を構成する複数のコイルサイド２２ａの数（コイルサイド数ＣＮ）は、いずれも１０個であり、複数（８極）の可動子磁極３２の毎極において均等である。そのため、固定子巻線２２が通電されたときに発生する起磁力の大きさは、複数（８極）の可動子磁極３２の毎極において均等になる。さらに、起磁力分布の回転対称性が改善されている。よって、本実施形態の回転電機１０は、第一実施形態で既述した効果と同様の効果を得ることができる。
【０３０１】
なお、図３１Ａに示す相配置は、同一のスロット２１ｃに収容されている同相の複数のコイルサイド２２ａにおいて、通電方向が異なるコイルサイド２２ａが混在している。そのため、図３１Ｂに示すように、複数のコイルサイド２２ａの通電方向を修正する必要がある。例えば、図３１Ｂに示す第三層Ｌ３および第四層Ｌ４を形成する第二基本コイル５２において、位置座標ＰＰが８、９および１０の複数（３つ）のスロット２１ｃに収容されているＵ相の複数（５つ）のコイルサイド２２ａの通電方向は、図３１Ａに示す通電方向に対して反転されている。上述したことは、図３１Ｂに示す第三層Ｌ３および第四層Ｌ４を形成する第二基本コイル５２の他の一相帯４１についても同様に言える。また、本実施形態では、同一のスロット２１ｃに収容されている複数のコイルサイド２２ａは、当該スロット２１ｃ内において、同相のコイルサイド２２ａが既に集約されている。
【０３０２】
さらに、例えば、位置座標ＰＰが０、１および２の複数（３つ）のスロット２１ｃに形成されているＵ相の混成一相帯４２のコイルサイド分布幅は、３スロット分である。位置座標ＰＰが７、８、９および１０の複数（４つ）のスロット２１ｃに形成されているＵ相の混成一相帯４２のコイルサイド分布幅は、４スロット分である。また、位置座標ＰＰが０、１および２の複数（３つ）のスロット２１ｃに形成されているＵ相の混成一相帯４２の実効コイルサイド分布幅は、４スロット分である。位置座標ＰＰが７、８、９および１０の複数（４つ）のスロット２１ｃに形成されているＵ相の混成一相帯４２の実効コイルサイド分布幅は、４スロット分である。
【０３０３】
このように、本実施形態の実効コイルサイド分布幅（４スロット分）は、第一実施形態で既述した参考形態（固定子巻線２２が一つの基本コイル５０を備える形態）の実効コイルサイド分布幅（３．５スロット分）と比べて、増加している。そのため、本実施形態の起磁力分布は、参考形態の起磁力分布と比べて、なだらかになる。
【０３０４】
図３２は、本実施形態のコイルサイド分布の一例を示している。図３１Ｂに示すように、例えば、位置座標ＰＰが０のスロット２１ｃには、Ｕ相の複数（３つ）のコイルサイド２２ａが収容されている。そのため、図３２に示すように、位置座標ＰＰが０におけるＵ相のコイルサイド２２ａの数（コイルサイド数ＣＮ）は、３とする。同様に、位置座標ＰＰが１のスロット２１ｃには、Ｕ相の複数（４つ）のコイルサイド２２ａが収容されており、位置座標ＰＰが１におけるＵ相のコイルサイド２２ａの数（コイルサイド数ＣＮ）は、４とする。また、位置座標ＰＰが２のスロット２１ｃには、Ｕ相の複数（３つ）のコイルサイド２２ａが収容されており、位置座標ＰＰが２におけるＵ相のコイルサイド２２ａの数（コイルサイド数ＣＮ）は、３とする。
【０３０５】
位置座標ＰＰが７のスロット２１ｃには、Ｕ相の一つのコイルサイド２２ａが収容されており、位置座標ＰＰが７におけるＵ相のコイルサイド２２ａの数（コイルサイド数ＣＮ）は、１とする。また、位置座標ＰＰが８のスロット２１ｃには、Ｕ相の複数（４つ）のコイルサイド２２ａが収容されており、位置座標ＰＰが８におけるＵ相のコイルサイド２２ａの数（コイルサイド数ＣＮ）は、４とする。さらに、位置座標ＰＰが９のスロット２１ｃには、Ｕ相の複数（４つ）のコイルサイド２２ａが収容されており、位置座標ＰＰが９におけるＵ相のコイルサイド２２ａの数（コイルサイド数ＣＮ）は、４とする。また、位置座標ＰＰが１０のスロット２１ｃには、Ｕ相の一つのコイルサイド２２ａが収容されており、位置座標ＰＰが１０におけるＵ相のコイルサイド２２ａの数（コイルサイド数ＣＮ）は、１とする。
【０３０６】
図３２に示す本実施形態のコイルサイド分布は、図５Ａに示す参考形態のコイルサイド分布と比べて、第一方向（矢印Ｘ方向）に広がり、なだらかになっている。また、本実施形態のコイルサイド分布は、参考形態のコイルサイド分布と比べて、正弦波に近づいている。よって、本実施形態の回転電機１０は、第一実施形態で既述した効果と同様の効果を得ることができる。
【０３０７】
また、例えば、第一基本コイル５１において、位置座標ＰＰが０、１および２の複数（３つ）のスロット２１ｃに形成されているＵ相の一相帯４１は、２．５スロット分を占有している。第一実施形態と同様に、一つのスロット２１ｃを占有するコイルサイド２２ａの直列換算導体数を基準導体数ｔ０とすると、第一コイルサイド導体数は、２．５×ｔ０で表すことができる。
【０３０８】
第一基本コイル５１の当該一相帯４１に対して、第一方向（矢印Ｘ方向）に８スロットピッチ分、移動した位置に配置されている第二基本コイル５２のＵ相の一相帯４１は、位置座標ＰＰが８、９および１０の複数（３つ）のスロット２１ｃに形成されており、２．５スロット分を占有している。よって、第二コイルサイド導体数は、２．５×ｔ０で表すことができる。つまり、本実施形態においても、第一コイルサイド導体数および第二コイルサイド導体数は、均等である。なお、上述したことは、他の一相帯４１についても同様に言える。
【０３０９】
図３３Ａに示すように、比較形態の固定子巻線２２は、複数（２つ）の基本コイル５０を備えている。複数（２つ）の基本コイル５０の各々は、既述した基本コイル５０と同一構成である。また、複数（２つ）の基本コイル５０は、第一基本コイル５１と、一つの第二基本コイル５２とを備えている。本比較形態においても、一つの第二基本コイル５２は、第一基本コイル５１に対して、第一方向（矢印Ｘ方向）に所定スロットピッチ分、移動した位置に配置されている。また、一つの第二基本コイル５２は、第一基本コイル５１に対して、第一方向（矢印Ｘ方向）のうちの一の方向（第一方向第二極コイル側（矢印Ｘ１方向））に移動した位置に配置されている。これらにより、本比較形態の固定子巻線２２は、第一層Ｌ１〜第四層Ｌ４の四層に形成されている。
【０３１０】
本比較形態では、移動単位量は、毎極スロット数（本比較形態では、７．５）の直近の整数より大きい整数である９スロットピッチに設定されている。また、所定スロットピッチは、移動単位量である９スロットピッチの１倍（９スロットピッチ（９ｓｐ））に設定されている。このように、本比較形態では、所定スロットピッチを規定するｎは、１である。また、第一数列は、移動単位量である９スロットピッチの１倍（９スロットピッチ（９ｓｐ））を含んでいる。
【０３１１】
例えば、第一基本コイル５１において、位置座標ＰＰが０、１および２の複数（３つ）のスロット２１ｃに形成されているＵ相の一相帯４１は、一つの第二基本コイル５２では、位置座標ＰＰが９、１０および１１の複数（３つ）のスロット２１ｃに形成されている。上述したことは、他のＵ相の一相帯４１についても同様に言える。また、Ｕ相の混成一相帯４２は、例えば、位置座標ＰＰが０、１、２および３の複数（４つ）のスロット２１ｃに形成されている。上記の混成一相帯４２を構成する複数のコイルサイド２２ａの数（コイルサイド数ＣＮ）は、１０個である。さらに、上記の混成一相帯４２のコイルサイド中心ＣＣ８１は、例えば、下記数３１から算出することができ、コイルサイド中心ＣＣ８１は、１．５になる。
（数３１）
ＣＣ８１＝（０×２＋１×３＋２×３＋３×２）／（２＋３＋３＋２）＝１．５
【０３１２】
さらに、Ｕ相の混成一相帯４２は、例えば、位置座標ＰＰが７、８、９、１０および１１の複数（５つ）のスロット２１ｃに形成されている。上記の混成一相帯４２を構成する複数のコイルサイド２２ａの数（コイルサイド数ＣＮ）は、１０個である。さらに、上記の混成一相帯４２のコイルサイド中心ＣＣ８２は、例えば、下記数３２から算出することができ、コイルサイド中心ＣＣ８２は、９になる。
（数３２）
ＣＣ８２＝（７×１＋８×２＋９×４＋１０×２＋１１×１）／（１＋２＋４＋２＋１）
＝９
【０３１３】
また、Ｕ相の混成一相帯４２は、例えば、位置座標ＰＰが１５、１６、１７および１８の複数（４つ）のスロット２１ｃに形成されている。上記の混成一相帯４２を構成する複数のコイルサイド２２ａの数（コイルサイド数ＣＮ）は、１０個である。さらに、上記の混成一相帯４２のコイルサイド中心ＣＣ８３は、例えば、下記数３３から算出することができ、コイルサイド中心ＣＣ８３は、１６．５になる。
（数３３）
ＣＣ８３＝（１５×２＋１６×３＋１７×３＋１８×２）／（２＋３＋３＋２）
＝１６．５
【０３１４】
さらに、Ｕ相の混成一相帯４２は、例えば、位置座標ＰＰが２２、２３、２４、２５および２６の複数（５つ）のスロット２１ｃに形成されている。上記の混成一相帯４２を構成する複数のコイルサイド２２ａの数（コイルサイド数ＣＮ）は、１０個である。さらに、上記の混成一相帯４２のコイルサイド中心ＣＣ８４は、例えば、下記数３４から算出することができ、コイルサイド中心ＣＣ８４は、２４になる。
（数３４）
ＣＣ８４＝（２２×１＋２３×２＋２４×４＋２５×２＋２６×１）／（１＋２＋４＋２＋１）＝２４
【０３１５】
上述した算出結果から、Ｕ相の混成一相帯４２のコイルサイド中心ＣＣ８１とコイルサイド中心ＣＣ８２との間の距離は、７．５（＝９−１．５）になる。また、Ｕ相の混成一相帯４２のコイルサイド中心ＣＣ８２とコイルサイド中心ＣＣ８３との間の距離は、７．５（＝１６．５−９）になる。さらに、Ｕ相の混成一相帯４２のコイルサイド中心ＣＣ８３とコイルサイド中心ＣＣ８４との間の距離は、７．５（＝２４−１６．５）になる。このように、第一方向（矢印Ｘ方向）において隣接する同相（Ｕ相）の混成一相帯４２のコイルサイド中心ＣＣ間の距離は、７．５であり、均等である。なお、本比較形態の隣接コイルサイド比は、１（＝７．５／７．５）である。
【０３１６】
本比較形態では、Ｕ相の混成一相帯４２を構成する複数のコイルサイド２２ａの数（コイルサイド数ＣＮ）は、いずれも１０個であり、複数（８極）の可動子磁極３２の毎極において均等である。そのため、固定子巻線２２が通電されたときに発生する起磁力の大きさは、複数（８極）の可動子磁極３２の毎極において均等になる。さらに、起磁力分布の回転対称性が改善されている。よって、本比較形態の回転電機１０は、第一実施形態で既述した効果と同様の効果を得ることができる。
【０３１７】
なお、図３３Ａに示す相配置は、同一のスロット２１ｃに収容されている同相の複数のコイルサイド２２ａにおいて、通電方向が異なるコイルサイド２２ａが混在している。そのため、図３３Ｂに示すように、複数のコイルサイド２２ａの通電方向を修正する必要がある。例えば、図３３Ｂに示す第三層Ｌ３および第四層Ｌ４を形成する第二基本コイル５２において、位置座標ＰＰが９、１０および１１の複数（３つ）のスロット２１ｃに収容されているＵ相の複数（５つ）のコイルサイド２２ａの通電方向は、図３３Ａに示す通電方向に対して反転されている。上述したことは、図３３Ｂに示す第三層Ｌ３および第四層Ｌ４を形成する第二基本コイル５２の他の一相帯４１についても同様に言える。
【０３１８】
さらに、例えば、位置座標ＰＰが０、１、２および３の複数（４つ）のスロット２１ｃに形成されているＵ相の混成一相帯４２のコイルサイド分布幅は、４スロット分である。位置座標ＰＰが７、８、９、１０および１１の複数（５つ）のスロット２１ｃに形成されているＵ相の混成一相帯４２のコイルサイド分布幅は、５スロット分である。また、位置座標ＰＰが０、１、２および３の複数（４つ）のスロット２１ｃに形成されているＵ相の混成一相帯４２の実効コイルサイド分布幅は、５スロット分である。位置座標ＰＰが７、８、９、１０および１１の複数（５つ）のスロット２１ｃに形成されているＵ相の混成一相帯４２の実効コイルサイド分布幅は、５スロット分である。
【０３１９】
このように、本比較形態の実効コイルサイド分布幅（５スロット分）は、第一実施形態で既述した参考形態（固定子巻線２２が一つの基本コイル５０を備える形態）の実効コイルサイド分布幅（３．５スロット分）と比べて、増加している。そのため、本比較形態の起磁力分布は、参考形態の起磁力分布と比べて、なだらかになる。
【０３２０】
図３４は、本比較形態のコイルサイド分布の一例を示している。図３３Ｂに示すように、例えば、位置座標ＰＰが０のスロット２１ｃには、Ｕ相の複数（２つ）のコイルサイド２２ａが収容されている。そのため、図３４に示すように、位置座標ＰＰが０におけるＵ相のコイルサイド２２ａの数（コイルサイド数ＣＮ）は、２とする。同様に、位置座標ＰＰが１のスロット２１ｃには、Ｕ相の複数（３つ）のコイルサイド２２ａが収容されており、位置座標ＰＰが１におけるＵ相のコイルサイド２２ａの数（コイルサイド数ＣＮ）は、３とする。また、位置座標ＰＰが２のスロット２１ｃには、Ｕ相の複数（３つ）のコイルサイド２２ａが収容されており、位置座標ＰＰが２におけるＵ相のコイルサイド２２ａの数（コイルサイド数ＣＮ）は、３とする。さらに、位置座標ＰＰが３のスロット２１ｃには、Ｕ相の複数（２つ）のコイルサイド２２ａが収容されており、位置座標ＰＰが３におけるＵ相のコイルサイド２２ａの数（コイルサイド数ＣＮ）は、２とする。
【０３２１】
位置座標ＰＰが７のスロット２１ｃには、Ｕ相の一つのコイルサイド２２ａが収容されており、位置座標ＰＰが７におけるＵ相のコイルサイド２２ａの数（コイルサイド数ＣＮ）は、１とする。また、位置座標ＰＰが８のスロット２１ｃには、Ｕ相の複数（２つ）のコイルサイド２２ａが収容されており、位置座標ＰＰが８におけるＵ相のコイルサイド２２ａの数（コイルサイド数ＣＮ）は、２とする。さらに、位置座標ＰＰが９のスロット２１ｃには、Ｕ相の複数（４つ）のコイルサイド２２ａが収容されており、位置座標ＰＰが９におけるＵ相のコイルサイド２２ａの数（コイルサイド数ＣＮ）は、４とする。また、位置座標ＰＰが１０のスロット２１ｃには、Ｕ相の複数（２つ）のコイルサイド２２ａが収容されており、位置座標ＰＰが１０におけるＵ相のコイルサイド２２ａの数（コイルサイド数ＣＮ）は、２とする。さらに、位置座標ＰＰが１１のスロット２１ｃには、Ｕ相の一つのコイルサイド２２ａが収容されており、位置座標ＰＰが１１におけるＵ相のコイルサイド２２ａの数（コイルサイド数ＣＮ）は、１とする。
【０３２２】
図３４に示す本比較形態のコイルサイド分布は、図５Ａに示す参考形態のコイルサイド分布と比べて、第一方向（矢印Ｘ方向）に広がり、なだらかになっている。また、本比較形態のコイルサイド分布は、参考形態のコイルサイド分布と比べて、正弦波に近づいている。よって、本比較形態の回転電機１０は、第一実施形態で既述した効果と同様の効果を得ることができる。
【０３２３】
しかしながら、実効コイルサイド分布幅が増加し、コイルサイド分布が第一方向（矢印Ｘ方向）に広範化されると、回転電機１０の出力トルクは、目減りする。本比較形態の実効コイルサイド分布幅（５スロット分）は、本実施形態の実効コイルサイド分布幅（４スロット分）と比べて、増加している。そのため、本比較形態の回転電機１０は、本実施形態と比べて、出力トルクが目減りする。
【０３２４】
なお、例えば、第一基本コイル５１において、位置座標ＰＰが０、１および２の複数（３つ）のスロット２１ｃに形成されているＵ相の一相帯４１は、２．５スロット分を占有している。第一実施形態と同様に、一つのスロット２１ｃを占有するコイルサイド２２ａの直列換算導体数を基準導体数ｔ０とすると、第一コイルサイド導体数は、２．５×ｔ０で表すことができる。
【０３２５】
第一基本コイル５１の当該一相帯４１に対して、第一方向（矢印Ｘ方向）に９スロットピッチ分、移動した位置に配置されている第二基本コイル５２のＵ相の一相帯４１は、位置座標ＰＰが９、１０および１１の複数（３つ）のスロット２１ｃに形成されており、２．５スロット分を占有している。よって、第二コイルサイド導体数は、２．５×ｔ０で表すことができる。つまり、本比較形態においても、第一コイルサイド導体数および第二コイルサイド導体数は、均等である。なお、上述したことは、他の一相帯４１についても同様に言える。
【０３２６】
図３５Ａに示すように、他の比較形態の固定子巻線２２は、複数（２つ）の基本コイル５０を備えている。複数（２つ）の基本コイル５０の各々は、既述した基本コイル５０と同一構成である。また、複数（２つ）の基本コイル５０は、第一基本コイル５１と、一つの第二基本コイル５２とを備えている。本比較形態においても、一つの第二基本コイル５２は、第一基本コイル５１に対して、第一方向（矢印Ｘ方向）に所定スロットピッチ分、移動した位置に配置されている。また、一つの第二基本コイル５２は、第一基本コイル５１に対して、第一方向（矢印Ｘ方向）のうちの一の方向（第一方向第二極コイル側（矢印Ｘ１方向））に移動した位置に配置されている。これらにより、本比較形態の固定子巻線２２は、第一層Ｌ１〜第四層Ｌ４の四層に形成されている。
【０３２７】
本比較形態では、移動単位量は、毎極スロット数（本比較形態では、７．５）の直近の整数より小さい整数である６スロットピッチに設定されている。また、所定スロットピッチは、移動単位量である６スロットピッチの１倍（６スロットピッチ（６ｓｐ））に設定されている。このように、本比較形態では、所定スロットピッチを規定するｎは、１である。また、第一数列は、移動単位量である６スロットピッチの１倍（６スロットピッチ（６ｓｐ））を含んでいる。
【０３２８】
例えば、第一基本コイル５１において、位置座標ＰＰが０、１および２の複数（３つ）のスロット２１ｃに形成されているＵ相の一相帯４１は、一つの第二基本コイル５２では、位置座標ＰＰが６、７および８の複数（３つ）のスロット２１ｃに形成されている。上述したことは、他のＵ相の一相帯４１についても同様に言える。また、Ｕ相の混成一相帯４２は、例えば、位置座標ＰＰが−２、−１、０、１および２の複数（５つ）のスロット２１ｃに形成されている。上記の混成一相帯４２を構成する複数のコイルサイド２２ａの数（コイルサイド数ＣＮ）は、１０個である。さらに、上記の混成一相帯４２のコイルサイド中心ＣＣ９１は、例えば、下記数３５から算出することができ、コイルサイド中心ＣＣ９１は、０になる。
（数３５）
ＣＣ９１＝（−２×１−１×２＋０×４＋１×２＋２×１）／（１＋２＋４＋２＋１）
＝０
【０３２９】
さらに、Ｕ相の混成一相帯４２は、例えば、位置座標ＰＰが６、７、８および９の複数（４つ）のスロット２１ｃに形成されている。上記の混成一相帯４２を構成する複数のコイルサイド２２ａの数（コイルサイド数ＣＮ）は、１０個である。さらに、上記の混成一相帯４２のコイルサイド中心ＣＣ９２は、例えば、下記数３６から算出することができ、コイルサイド中心ＣＣ９２は、７．５になる。
（数３６）
ＣＣ９２＝（６×２＋７×３＋８×３＋９×２）／（２＋３＋３＋２）＝７．５
【０３３０】
また、Ｕ相の混成一相帯４２は、例えば、位置座標ＰＰが１３、１４、１５、１６および１７の複数（５つ）のスロット２１ｃに形成されている。上記の混成一相帯４２を構成する複数のコイルサイド２２ａの数（コイルサイド数ＣＮ）は、１０個である。さらに、上記の混成一相帯４２のコイルサイド中心ＣＣ９３は、例えば、下記数３７から算出することができ、コイルサイド中心ＣＣ９３は、１５になる。
（数３７）
ＣＣ９３＝（１３×１＋１４×２＋１５×４＋１６×２＋１７×１）／（１＋２＋４＋２＋１）＝１５
【０３３１】
さらに、Ｕ相の混成一相帯４２は、例えば、位置座標ＰＰが２１、２２、２３および２４の複数（４つ）のスロット２１ｃに形成されている。上記の混成一相帯４２を構成する複数のコイルサイド２２ａの数（コイルサイド数ＣＮ）は、１０個である。さらに、上記の混成一相帯４２のコイルサイド中心ＣＣ９４は、例えば、下記数３８から算出することができ、コイルサイド中心ＣＣ９４は、２２．５になる。
（数３８）
ＣＣ９４＝（２１×２＋２２×３＋２３×３＋２４×２）／（２＋３＋３＋２）
＝２２．５
【０３３２】
上述した算出結果から、Ｕ相の混成一相帯４２のコイルサイド中心ＣＣ９１とコイルサイド中心ＣＣ９２との間の距離は、７．５（＝７．５−０）になる。また、Ｕ相の混成一相帯４２のコイルサイド中心ＣＣ９２とコイルサイド中心ＣＣ９３との間の距離は、７．５（＝１５−７．５）になる。さらに、Ｕ相の混成一相帯４２のコイルサイド中心ＣＣ９３とコイルサイド中心ＣＣ９４との間の距離は、７．５（＝２２．５−１５）になる。このように、第一方向（矢印Ｘ方向）において隣接する同相（Ｕ相）の混成一相帯４２のコイルサイド中心ＣＣ間の距離は、７．５であり、均等である。なお、本比較形態の隣接コイルサイド比は、１（＝７．５／７．５）である。
【０３３３】
本比較形態では、Ｕ相の混成一相帯４２を構成する複数のコイルサイド２２ａの数（コイルサイド数ＣＮ）は、いずれも１０個であり、複数（８極）の可動子磁極３２の毎極において均等である。そのため、固定子巻線２２が通電されたときに発生する起磁力の大きさは、複数（８極）の可動子磁極３２の毎極において均等になる。さらに、起磁力分布の回転対称性が改善されている。よって、本比較形態の回転電機１０は、第一実施形態で既述した効果と同様の効果を得ることができる。
【０３３４】
なお、図３５Ａに示す相配置は、同一のスロット２１ｃに収容されている同相の複数のコイルサイド２２ａにおいて、通電方向が異なるコイルサイド２２ａが混在している。そのため、図３５Ｂに示すように、複数のコイルサイド２２ａの通電方向を修正する必要がある。例えば、図３５Ｂに示す第三層Ｌ３および第四層Ｌ４を形成する第二基本コイル５２において、位置座標ＰＰが６、７および８の複数（３つ）のスロット２１ｃに収容されているＵ相の複数（５つ）のコイルサイド２２ａの通電方向は、図３５Ａに示す通電方向に対して反転されている。上述したことは、図３５Ｂに示す第三層Ｌ３および第四層Ｌ４を形成する第二基本コイル５２の他の一相帯４１についても同様に言える。
【０３３５】
また、例えば、位置座標ＰＰが−２、−１、０、１および２の複数（５つ）のスロット２１ｃに形成されているＵ相の混成一相帯４２のコイルサイド分布幅は、５スロット分である。位置座標ＰＰが６、７、８および９の複数（４つ）のスロット２１ｃに形成されているＵ相の混成一相帯４２のコイルサイド分布幅は、４スロット分である。また、位置座標ＰＰが−２、−１、０、１および２の複数（５つ）のスロット２１ｃに形成されているＵ相の混成一相帯４２の実効コイルサイド分布幅は、５スロット分である。位置座標ＰＰが６、７、８および９の複数（４つ）のスロット２１ｃに形成されているＵ相の混成一相帯４２の実効コイルサイド分布幅は、５スロット分である。
【０３３６】
このように、本比較形態の実効コイルサイド分布幅（５スロット分）は、第一実施形態で既述した参考形態（固定子巻線２２が一つの基本コイル５０を備える形態）の実効コイルサイド分布幅（３．５スロット分）と比べて、増加している。そのため、本比較形態の起磁力分布は、参考形態の起磁力分布と比べて、なだらかになる。
【０３３７】
図３６は、本比較形態のコイルサイド分布の一例を示している。図３５Ｂに示すように、例えば、位置座標ＰＰが−２のスロット２１ｃには、Ｕ相の一つのコイルサイド２２ａが収容されている。そのため、図３６に示すように、位置座標ＰＰが−２におけるＵ相のコイルサイド２２ａの数（コイルサイド数ＣＮ）は、１とする。同様に、位置座標ＰＰが−１のスロット２１ｃには、Ｕ相の複数（２つ）のコイルサイド２２ａが収容されており、位置座標ＰＰが−１におけるＵ相のコイルサイド２２ａの数（コイルサイド数ＣＮ）は、２とする。また、位置座標ＰＰが０のスロット２１ｃには、Ｕ相の複数（４つ）のコイルサイド２２ａが収容されており、位置座標ＰＰが０におけるＵ相のコイルサイド２２ａの数（コイルサイド数ＣＮ）は、４とする。さらに、位置座標ＰＰが１のスロット２１ｃには、Ｕ相の複数（２つ）のコイルサイド２２ａが収容されており、位置座標ＰＰが１におけるＵ相のコイルサイド２２ａの数（コイルサイド数ＣＮ）は、２とする。また、位置座標ＰＰが２のスロット２１ｃには、Ｕ相の一つのコイルサイド２２ａが収容されており、位置座標ＰＰが２におけるＵ相のコイルサイド２２ａの数（コイルサイド数ＣＮ）は、１とする。
【０３３８】
位置座標ＰＰが６のスロット２１ｃには、Ｕ相の複数（２つ）のコイルサイド２２ａが収容されており、位置座標ＰＰが６におけるＵ相のコイルサイド２２ａの数（コイルサイド数ＣＮ）は、２とする。また、位置座標ＰＰが７のスロット２１ｃには、Ｕ相の複数（３つ）のコイルサイド２２ａが収容されており、位置座標ＰＰが７におけるＵ相のコイルサイド２２ａの数（コイルサイド数ＣＮ）は、３とする。さらに、位置座標ＰＰが８のスロット２１ｃには、Ｕ相の複数（３つ）のコイルサイド２２ａが収容されており、位置座標ＰＰが８におけるＵ相のコイルサイド２２ａの数（コイルサイド数ＣＮ）は、３とする。また、位置座標ＰＰが９のスロット２１ｃには、Ｕ相の複数（２つ）のコイルサイド２２ａが収容されており、位置座標ＰＰが９におけるＵ相のコイルサイド２２ａの数（コイルサイド数ＣＮ）は、２とする。
【０３３９】
図３６に示す本比較形態のコイルサイド分布は、図５Ａに示す参考形態のコイルサイド分布と比べて、第一方向（矢印Ｘ方向）に広がり、なだらかになっている。また、本比較形態のコイルサイド分布は、参考形態のコイルサイド分布と比べて、正弦波に近づいている。よって、本比較形態の回転電機１０は、第一実施形態で既述した効果と同様の効果を得ることができる。
【０３４０】
既述したように、実効コイルサイド分布幅が増加し、コイルサイド分布が第一方向（矢印Ｘ方向）に広範化されると、回転電機１０の出力トルクは、目減りする。本比較形態の実効コイルサイド分布幅（５スロット分）は、本実施形態の実効コイルサイド分布幅（４スロット分）と比べて、増加している。そのため、本比較形態の回転電機１０は、本実施形態と比べて、出力トルクが目減りする。
【０３４１】
なお、例えば、第一基本コイル５１において、位置座標ＰＰが０、１および２の複数（３つ）のスロット２１ｃに形成されているＵ相の一相帯４１は、２．５スロット分を占有している。第一実施形態と同様に、一つのスロット２１ｃを占有するコイルサイド２２ａの直列換算導体数を基準導体数ｔ０とすると、第一コイルサイド導体数は、２．５×ｔ０で表すことができる。
【０３４２】
第一基本コイル５１の当該一相帯４１に対して、第一方向（矢印Ｘ方向）に６スロットピッチ分、移動した位置に配置されている第二基本コイル５２のＵ相の一相帯４１は、位置座標ＰＰが６、７および８の複数（３つ）のスロット２１ｃに形成されており、２．５スロット分を占有している。よって、第二コイルサイド導体数は、２．５×ｔ０で表すことができる。つまり、本比較形態においても、第一コイルサイド導体数および第二コイルサイド導体数は、均等である。なお、上述したことは、他の一相帯４１についても同様に言える。
【０３４３】
上述した二つの比較形態が示すように、移動単位量が毎極スロット数（この場合、７．５）の直近の整数（この場合、７または８）から増加若しくは減少すると、実効コイルサイド分布幅がさらに増加し、コイルサイド分布が第一方向（矢印Ｘ方向）にさらに広範化される。その結果、回転電機１０の出力トルクは、目減りする。そのため、移動単位量は、毎極スロット数（この場合、７．５）の直近の整数（この場合、７または８）であると好適である。
【０３４４】
また、図３４および図３６に示すように、コイルサイド分布は、相互に電気角で１８０°位相がずれた関係になっている。これは、通電の基準点を電気角で１８０°ずらせば、等価な状態が実現することを示している。すなわち、両比較形態は、移動単位量が異なるが、回転電機１０の騒音および振動の低減に関しては、同等の効果が得られる。具体的には、図３４に示す比較形態の移動単位量は、毎極スロット数（７．５）の直近の整数である８スロットピッチから１スロットピッチ異なる９スロットピッチに設定されている。図３６に示す比較形態の移動単位量は、毎極スロット数（７．５）の直近の整数である７スロットピッチから１スロットピッチ異なる６スロットピッチに設定されている。このように、移動単位量の候補として、毎極スロット数（７．５）との差が同じ二つの整数（この場合、９スロットピッチまたは６スロットピッチ）がある場合、移動単位量は、二つの整数のいずれであっても良く、回転電機１０の騒音および振動の低減に関しては、同等の効果が得られる。但し、移動単位量と毎極スロット数（７．５）との差が大きくなる程、回転電機１０の出力トルクは、目減りする。
【０３４５】
なお、本実施形態および上述した比較形態の各極対コイル６０の構成は、第四実施形態において既述した極対コイル６０の構成と同じである。また、第一実施形態、第二実施形態および第五実施形態のいずれの形態においても、移動単位量は、８スロットピッチに設定することができる。
【０３４６】
＜各実施形態の関係＞
（基本コイル５０の移動量）
図３７Ａは、第二基本コイル５２の第一方向（矢印Ｘ方向）の移動量の関係の一例を示している。同図に示す位置Ｐ１０は、第一基本コイル５１において、位置座標ＰＰが０、１および２の複数（３つ）のスロット２１ｃに形成されているＵ相の一相帯４１の第一方向（矢印Ｘ方向）の位置を代表している。位置Ｐ１１は、位置Ｐ１０から、第一方向（矢印Ｘ方向）のうちの一の方向（第一方向第二極コイル側（矢印Ｘ１方向））に７スロットピッチ（７ｓｐ）分、移動した位置を示している。位置Ｐ１２は、位置Ｐ１０から、第一方向（矢印Ｘ方向）のうちの一の方向（第一方向第二極コイル側（矢印Ｘ１方向））に１４スロットピッチ（１４ｓｐ）分、移動した位置を示している。位置Ｐ１３は、位置Ｐ１０から、第一方向（矢印Ｘ方向）のうちの一の方向（第一方向第二極コイル側（矢印Ｘ１方向））に２１スロットピッチ（２１ｓｐ）分、移動した位置を示している。
【０３４７】
位置Ｐ１１〜位置Ｐ１３は、移動単位量を７スロットピッチとするときの所定スロットピッチを示しているとも言える。位置Ｐ１１の場合、所定スロットピッチを規定するｎは、１である。位置Ｐ１２の場合、所定スロットピッチを規定するｎは、２である。位置Ｐ１３の場合、所定スロットピッチを規定するｎは、３である。
【０３４８】
既述したように、第四実施形態では、複数（２つ）の基本コイル５０は、第一基本コイル５１と、一つの第二基本コイル５２とを備えている。構成ＥＢ１は、第四実施形態の複数（２つ）の基本コイル５０の構成を模式的に示している。この場合、位置Ｐ１１は、第三層Ｌ３および第四層Ｌ４を形成する第二基本コイル５２において、位置座標ＰＰが７、８および９の複数（３つ）のスロット２１ｃに形成されているＵ相の一相帯４１の第一方向（矢印Ｘ方向）の位置を代表している。
【０３４９】
第二実施形態では、複数（３つ）の基本コイル５０は、第一基本コイル５１と、複数（２つ）の第二基本コイル５２とを備えている。構成ＥＢ２は、第二実施形態の複数（３つ）の基本コイル５０の構成を模式的に示している。この場合、位置Ｐ１１は、第三層Ｌ３および第四層Ｌ４を形成する第二基本コイル５２において、位置座標ＰＰが７、８および９の複数（３つ）のスロット２１ｃに形成されているＵ相の一相帯４１の第一方向（矢印Ｘ方向）の位置を代表している。また、位置Ｐ１２は、第五層Ｌ５および第六層Ｌ６を形成する第二基本コイル５２において、位置座標ＰＰが１４、１５および１６の複数（３つ）のスロット２１ｃに形成されているＵ相の一相帯４１の第一方向（矢印Ｘ方向）の位置を代表している。
【０３５０】
第五実施形態では、複数（４つ）の基本コイル５０は、第一基本コイル５１と、複数（３つ）の第二基本コイル５２とを備えている。構成ＥＢ３は、第五実施形態の複数（４つ）の基本コイル５０の構成を模式的に示している。この場合、位置Ｐ１１は、第三層Ｌ３および第四層Ｌ４を形成する第二基本コイル５２において、位置座標ＰＰが７、８および９の複数（３つ）のスロット２１ｃに形成されているＵ相の一相帯４１の第一方向（矢印Ｘ方向）の位置を代表している。また、位置Ｐ１２は、第五層Ｌ５および第六層Ｌ６を形成する第二基本コイル５２において、位置座標ＰＰが１４、１５および１６の複数（３つ）のスロット２１ｃに形成されているＵ相の一相帯４１の第一方向（矢印Ｘ方向）の位置を代表している。さらに、位置Ｐ１３は、第七層Ｌ７および第八層Ｌ８を形成する第二基本コイル５２において、位置座標ＰＰが２１、２２および２３の複数（３つ）のスロット２１ｃに形成されているＵ相の一相帯４１の第一方向（矢印Ｘ方向）の位置を代表している。
【０３５１】
第一実施形態では、複数（４つ）の基本コイル５０は、第一基本コイル５１と、複数（３つ）の第二基本コイル５２とを備えている。構成ＥＢ４は、第一実施形態の複数（４つ）の基本コイル５０の構成を模式的に示している。この場合、２つの位置Ｐ１１のうちの一方は、第三層Ｌ３および第四層Ｌ４を形成する第二基本コイル５２において、位置座標ＰＰが７、８および９の複数（３つ）のスロット２１ｃに形成されているＵ相の一相帯４１の第一方向（矢印Ｘ方向）の位置を代表している。また、２つの位置Ｐ１１のうちの他方は、第五層Ｌ５および第六層Ｌ６を形成する第二基本コイル５２において、位置座標ＰＰが７、８および９の複数（３つ）のスロット２１ｃに形成されているＵ相の一相帯４１の第一方向（矢印Ｘ方向）の位置を代表している。さらに、位置Ｐ１２は、第七層Ｌ７および第八層Ｌ８を形成する第二基本コイル５２において、位置座標ＰＰが１４、１５および１６の複数（３つ）のスロット２１ｃに形成されているＵ相の一相帯４１の第一方向（矢印Ｘ方向）の位置を代表している。
【０３５２】
構成ＥＢ１では、少なくとも一つの第二基本コイル５２の各々の所定スロットピッチを列挙した数列である第一数列は、移動単位量である７スロットピッチの１倍（７スロットピッチ（７ｓｐ））を含んでいる。また、構成ＥＢ２では、第一数列は、移動単位量である７スロットピッチの１倍（７スロットピッチ（７ｓｐ））から２倍（１４スロットピッチ（１４ｓｐ））までのすべての自然数倍を含んでいる。さらに、構成ＥＢ３では、第一数列は、移動単位量である７スロットピッチの１倍（７スロットピッチ（７ｓｐ））から３倍（２１スロットピッチ（２１ｓｐ））までのすべての自然数倍を含んでいる。また、構成ＥＢ４では、第一数列は、移動単位量である７スロットピッチの１倍（７スロットピッチ（７ｓｐ））から２倍（１４スロットピッチ（１４ｓｐ））までのすべての自然数倍を含んでいる。
【０３５３】
このように、構成ＥＢ１〜構成ＥＢ４のいずれにおいても、第一数列は、移動単位量である７スロットピッチの１倍（７スロットピッチ（７ｓｐ））からｎ倍（７×ｎスロットピッチ（７×ｎｓｐ））までのすべての自然数倍を含んでいる。以上のように、構成ＥＢ１〜構成ＥＢ４は、複数の基本コイル５０の組み合わせによって容易に構成でき、起磁力の毎極の均等化が実現する。
【０３５４】
図３７Ｂは、第二基本コイル５２の第一方向（矢印Ｘ方向）の移動量の関係の他の一例を示している。位置Ｐ１０および位置Ｐ１１、並びに、構成ＥＢ１は、既述したとおりである。位置Ｐ２１は、位置Ｐ１０から、第一方向（矢印Ｘ方向）のうちの一の方向（第一方向第二極コイル側（矢印Ｘ１方向））に８スロットピッチ（８ｓｐ）分、移動した位置を示している。位置Ｐ２２は、位置Ｐ１０から、第一方向（矢印Ｘ方向）のうちの一の方向（第一方向第二極コイル側（矢印Ｘ１方向））に１スロットピッチ（１ｓｐ）分、移動した位置を示している。位置Ｐ２３は、位置Ｐ１０から、第一方向（矢印Ｘ方向）のうちの一の方向（第一方向第二極コイル側（矢印Ｘ１方向））に１４スロットピッチ（１４ｓｐ）分、移動した位置を示している。
【０３５５】
既述した実施形態は、１／２系列の回転電機１０であり、固定子巻線２２の相配置は、複数（８極）の可動子磁極３２の一磁極対毎に繰り返されている。そのため、位置座標ＰＰが０の位置は、位置座標ＰＰが１５の位置と等価になる。よって、位置Ｐ１１は、位置座標ＰＰが１５の位置（等価位置）から、第一方向（矢印Ｘ方向）のうちの他の一の方向（第一方向第一極コイル側（矢印Ｘ２方向））に８スロットピッチ（８ｓｐ）分、移動した位置を示しているとも言える。位置Ｐ２１は、位置座標ＰＰが１５の位置（等価位置）から、第一方向（矢印Ｘ方向）のうちの他の一の方向（第一方向第一極コイル側（矢印Ｘ２方向））に７スロットピッチ（７ｓｐ）分、移動した位置を示しているとも言える。位置Ｐ２２は、位置座標ＰＰが１５の位置（等価位置）から、第一方向（矢印Ｘ方向）のうちの他の一の方向（第一方向第一極コイル側（矢印Ｘ２方向））に１４スロットピッチ（１４ｓｐ）分、移動した位置を示しているとも言える。位置Ｐ２３は、位置座標ＰＰが１５の位置（等価位置）から、第一方向（矢印Ｘ方向）のうちの他の一の方向（第一方向第一極コイル側（矢印Ｘ２方向））に１スロットピッチ（１ｓｐ）分、移動した位置を示しているとも言える。
【０３５６】
既述したように、第六実施形態では、複数（２つ）の基本コイル５０は、第一基本コイル５１と、一つの第二基本コイル５２とを備えている。構成ＥＢ５は、第六実施形態の複数（２つ）の基本コイル５０の構成を模式的に示している。この場合、位置Ｐ２１は、第三層Ｌ３および第四層Ｌ４を形成する第二基本コイル５２において、位置座標ＰＰが８、９および１０の複数（３つ）のスロット２１ｃに形成されているＵ相の一相帯４１の第一方向（矢印Ｘ方向）の位置を代表している。つまり、位置Ｐ２１は、移動単位量を８スロットピッチとするときの所定スロットピッチを示しており、所定スロットピッチを規定するｎは、１である。
【０３５７】
ここで、第四実施形態において、一つの第二基本コイル５２を、第一基本コイル５１に対して、第一方向（矢印Ｘ方向）のうちの他の一の方向（第一方向第一極コイル側（矢印Ｘ２方向））に移動した形態を想定する。この場合、位置Ｐ２１は、移動単位量を７スロットピッチとするときの所定スロットピッチを示しており、所定スロットピッチを規定するｎは、１である。
【０３５８】
逆に、第六実施形態において、一つの第二基本コイル５２を、第一基本コイル５１に対して、第一方向（矢印Ｘ方向）のうちの他の一の方向（第一方向第一極コイル側（矢印Ｘ２方向））に移動した形態を想定する。この場合、位置Ｐ１１は、移動単位量を８スロットピッチとするときの所定スロットピッチを示しており、所定スロットピッチを規定するｎは、１である。このように、構成ＥＢ１および構成ＥＢ５のうちの一方の構成から、構成ＥＢ１および構成ＥＢ５のうちの他方の構成を規定することができ、構成ＥＢ１および構成ＥＢ５は、実質等価である。
【０３５９】
また、第三実施形態では、複数（２つ）の基本コイル５０は、第一基本コイル５１と、一つの第二基本コイル５２とを備えている。構成ＥＢ６は、第三実施形態の複数（２つ）の基本コイル５０の構成を模式的に示している。この場合、位置Ｐ２２は、第三層Ｌ３および第四層Ｌ４を形成する第二基本コイル５２において、位置座標ＰＰが１、２および３の複数（３つ）のスロット２１ｃに形成されているＵ相の一相帯４１の第一方向（矢印Ｘ方向）の位置を代表している。つまり、位置Ｐ２２は、移動単位量を１スロットピッチとするときの所定スロットピッチを示しており、所定スロットピッチを規定するｎは、１である。
【０３６０】
ここで、第四実施形態において、所定スロットピッチが、移動単位量である７スロットピッチの２倍（１４スロットピッチ（１４ｓｐ））に設定されている形態を想定する。構成ＥＢ７は、想定した上記形態の構成を模式的に示している。この場合、位置Ｐ２３は、第三層Ｌ３および第四層Ｌ４を形成する第二基本コイル５２において、位置座標ＰＰが１４、１５および１６の複数（３つ）のスロット２１ｃに形成されているＵ相の一相帯４１の第一方向（矢印Ｘ方向）の位置を代表している。つまり、位置Ｐ２３は、移動単位量を７スロットピッチとするときの所定スロットピッチを示しており、所定スロットピッチを規定するｎは、２である。
【０３６１】
逆に、第三実施形態において、一つの第二基本コイル５２を、第一基本コイル５１に対して、第一方向（矢印Ｘ方向）のうちの他の一の方向（第一方向第一極コイル側（矢印Ｘ２方向））に移動した形態を想定する。この場合、位置Ｐ２３は、移動単位量を１スロットピッチとするときの所定スロットピッチを示しており、所定スロットピッチを規定するｎは、１である。このように、構成ＥＢ６および構成ＥＢ７のうちの一方の構成から、構成ＥＢ６および構成ＥＢ７のうちの他方の構成を規定することができ、構成ＥＢ６および構成ＥＢ７は、実質等価である。
【０３６２】
なお、１／２系列の回転電機１０では、毎極スロット数（既述した形態では、７．５）と、毎極スロット数の直近の整数（既述した形態では、７スロットピッチまたは８スロットピッチ）との差は、０．５である。すなわち、毎極スロット数の直近の整数（７スロットピッチまたは８スロットピッチ）を移動単位量とすると、当該移動単位量は、電磁気的に実質等価な位置（電気角で１８０°移動した位置）から０．５スロットピッチ分、離間する位置に、第二基本コイル５２を移動させる移動単位量に相当する。毎極スロット数の直近の整数の二倍（１４スロットピッチまたは１６スロットピッチ）を移動単位量とすると、当該移動単位量は、電磁気的に実質等価な位置（電気角で１８０°移動した位置）から１スロットピッチ分、離間する位置に、第二基本コイル５２を移動させる移動単位量に相当する。これらのことからも、構成ＥＢ６および構成ＥＢ７が実質等価であることが言える。
【０３６３】
（極対コイル６０の構成）
図６に示すように、第一実施形態では、第一極コイル６１ｆは、一対のコイルサイド２２ａ，２２ａ間のコイルピッチが異なる複数（２つ）の単位コイル２２ｄ（第一単位コイル２２ｄ１、第二単位コイル２２ｄ２）を備えている。第一単位コイル２２ｄ１の一対のコイルサイド２２ａ，２２ａ間のコイルピッチは、７スロットピッチ（７ｓｐ）に設定されており、第二単位コイル２２ｄ２の一対のコイルサイド２２ａ，２２ａ間のコイルピッチは、５スロットピッチ（５ｓｐ）に設定されている。また、第二極コイル６１ｓは、一対のコイルサイド２２ａ，２２ａ間のコイルピッチが異なる複数（２つ）の単位コイル２２ｄ（第三単位コイル２２ｄ３、第四単位コイル２２ｄ４）を備えている。第三単位コイル２２ｄ３の一対のコイルサイド２２ａ，２２ａ間のコイルピッチは、６スロットピッチ（６ｓｐ）に設定されており、第四単位コイル２２ｄ４の一対のコイルサイド２２ａ，２２ａ間のコイルピッチは、４スロットピッチ（４ｓｐ）に設定されている。なお、第一単位コイル２２ｄ１のスロット占有率は、１００％（＝８／８）であり、第二単位コイル２２ｄ２のスロット占有率は、５０％（＝４／８）である。第三単位コイル２２ｄ３のスロット占有率は、８７．５％（＝７／８）であり、第四単位コイル２２ｄ４のスロット占有率は、１２．５％（＝１／８）である。
【０３６４】
図２０に示すように、第二実施形態においても、第一極コイル６１ｆは、一対のコイルサイド２２ａ，２２ａ間のコイルピッチが異なる複数（２つ）の単位コイル２２ｄ（第一単位コイル２２ｄ１、第二単位コイル２２ｄ２）を備え、第二極コイル６１ｓは、一対のコイルサイド２２ａ，２２ａ間のコイルピッチが異なる複数（２つ）の単位コイル２２ｄ（第三単位コイル２２ｄ３、第四単位コイル２２ｄ４）を備えている。一対のコイルサイド２２ａ，２２ａ間のコイルピッチは、第一実施形態と同じである。なお、第一単位コイル２２ｄ１のスロット占有率は、１００％（＝６／６）であり、第二単位コイル２２ｄ２のスロット占有率は、５０％（＝３／６）であり、第一実施形態と同じである。しかしながら、第三単位コイル２２ｄ３のスロット占有率は、８３．３％（＝５／６）であり、第四単位コイル２２ｄ４のスロット占有率は、１６．７％（＝１／６）である。
【０３６５】
図２３に示すように、第三実施形態においても、第一極コイル６１ｆは、一対のコイルサイド２２ａ，２２ａ間のコイルピッチが異なる複数（２つ）の単位コイル２２ｄ（第一単位コイル２２ｄ１、第二単位コイル２２ｄ２）を備え、第二極コイル６１ｓは、一対のコイルサイド２２ａ，２２ａ間のコイルピッチが異なる複数（２つ）の単位コイル２２ｄ（第三単位コイル２２ｄ３、第四単位コイル２２ｄ４）を備えている。一対のコイルサイド２２ａ，２２ａ間のコイルピッチは、第一実施形態と同じである。なお、第一単位コイル２２ｄ１のスロット占有率は、１００％（＝４／４）であり、第二単位コイル２２ｄ２のスロット占有率は、５０％（＝２／４）であり、第一実施形態と同じである。しかしながら、第三単位コイル２２ｄ３のスロット占有率は、７５％（＝３／４）であり、第四単位コイル２２ｄ４のスロット占有率は、２５％（＝１／４）である。
【０３６６】
図２６に示すように、第四実施形態では、第一極コイル６１ｆは、一つの単位コイル２２ｄ（第一単位コイル２２ｄ１）を備え、第二極コイル６１ｓは、一対のコイルサイド２２ａ，２２ａ間のコイルピッチが異なる複数（２つ）の単位コイル２２ｄ（第二単位コイル２２ｄ２、第三単位コイル２２ｄ３）を備えている。第一単位コイル２２ｄ１の一対のコイルサイド２２ａ，２２ａ間のコイルピッチは、６スロットピッチ（６ｓｐ）に設定されている。第二単位コイル２２ｄ２の一対のコイルサイド２２ａ，２２ａ間のコイルピッチは、７スロットピッチ（７ｓｐ）に設定されており、第三単位コイル２２ｄ３の一対のコイルサイド２２ａ，２２ａ間のコイルピッチは、５スロットピッチ（５ｓｐ）に設定されている。なお、第一単位コイル２２ｄ１および第二単位コイル２２ｄ２のスロット占有率は、１００％（＝２／２）であり、第三単位コイル２２ｄ３のスロット占有率は、５０％（＝１／２）である。
【０３６７】
図３０Ａに示すように、第五実施形態においても、第一極コイル６１ｆは、一つの単位コイル２２ｄ（第一単位コイル２２ｄ１）を備え、第二極コイル６１ｓは、一対のコイルサイド２２ａ，２２ａ間のコイルピッチが異なる複数（２つ）の単位コイル２２ｄ（第二単位コイル２２ｄ２、第三単位コイル２２ｄ３）を備えている。一対のコイルサイド２２ａ，２２ａ間のコイルピッチは、第四実施形態と同じである。また、第一単位コイル２２ｄ１、第二単位コイル２２ｄ２および第三単位コイル２２ｄ３のスロット占有率は、第四実施形態と同じである。
【０３６８】
図３０Ｂに示すように、第五実施形態の変形形態では、第一極コイル６１ｆは、一対のコイルサイド２２ａ，２２ａ間のコイルピッチが異なる複数（２つ）の単位コイル２２ｄ（第一単位コイル２２ｄ１、第二単位コイル２２ｄ２）を備え、第二極コイル６１ｓは、一対のコイルサイド２２ａ，２２ａ間のコイルピッチが異なる複数（２つ）の単位コイル２２ｄ（第三単位コイル２２ｄ３、第四単位コイル２２ｄ４）を備えている。一対のコイルサイド２２ａ，２２ａ間のコイルピッチは、第三実施形態と同じである。また、第一単位コイル２２ｄ１、第二単位コイル２２ｄ２、第三単位コイル２２ｄ３および第四単位コイル２２ｄ４のスロット占有率は、第三実施形態と同じである。
【０３６９】
このように、図６、図２０、図２３および図３０Ｂに示す形態では、第一単位コイル２２ｄ１の一対のコイルサイド２２ａ，２２ａ間のコイルピッチは、同じであり、第二単位コイル２２ｄ２の一対のコイルサイド２２ａ，２２ａ間のコイルピッチは、同じである。また、第三単位コイル２２ｄ３の一対のコイルサイド２２ａ，２２ａ間のコイルピッチは、これらの形態間において同じであり、第四単位コイル２２ｄ４の一対のコイルサイド２２ａ，２２ａ間のコイルピッチは、これらの形態間において同じである。つまり、各単位コイル２２ｄの一対のコイルサイド２２ａ，２２ａ間のコイルピッチは、これらの形態間において同じである。また、第一単位コイル２２ｄ１のスロット占有率は、これらの形態間において同じであり、第二単位コイル２２ｄ２のスロット占有率は、これらの形態間において同じである。
【０３７０】
一方、第三単位コイル２２ｄ３と第四単位コイル２２ｄ４のスロット占有率の比（巻数比）は、図２３に示す第三実施形態（図３０Ｂに示す変形形態）では、３：１であり、図２０に示す第二実施形態では、５：１であり、図６に示す第一実施形態では、７：１である。つまり、図２３に示す第三実施形態（図３０Ｂに示す変形形態）、図２０に示す第二実施形態、図６に示す第一実施形態の順に、第三単位コイル２２ｄ３と第四単位コイル２２ｄ４のスロット占有率の比（巻数比）は、増加している。
【０３７１】
（極対コイル６０の配置）
第四実施形態の固定子巻線２２は、固定子２０上の配置が異なる偶数種類（２種類）の複数（２つ）の基本コイル５０を備えている。また、移動単位量は、毎極スロット数（７．５）より小さい直近の整数である７スロットピッチに設定されている。この場合、図２４Ｃに示すように、第一極コイル６１ｆの対象になるコイルサイド２２ａの配置は、第一極コイル６１ｆの中心に対して非対称であり、第二極コイル６１ｓの対象になるコイルサイド２２ａの配置は、第二極コイル６１ｓの中心に対して非対称である。よって、複数（３つ）の相コイル２２ｃの各々について、複数（２つ）の基本コイル５０の全体において、複数（８極）の可動子磁極３２の磁極対数分（４つ）の極対コイル６０を配置することは、困難である。このことは、固定子２０上の配置が異なる偶数種類（４種類）の複数（４つ）の基本コイル５０を備える第五実施形態の固定子巻線２２についても、同様に言える。
【０３７２】
一方、第一実施形態の固定子巻線２２は、固定子２０上の配置が異なる奇数種類（３種類）の複数（４つ）の基本コイル５０を備えている。また、移動単位量は、毎極スロット数（７．５）より小さい直近の整数である７スロットピッチに設定されている。この場合、図４Ｃに示すように、第一極コイル６１ｆの対象になるコイルサイド２２ａの配置は、第一極コイル６１ｆの中心に対して対称であり、第二極コイル６１ｓの対象になるコイルサイド２２ａの配置は、第二極コイル６１ｓの中心に対して対称である。よって、複数（３つ）の相コイル２２ｃの各々について、複数（４つ）の基本コイル５０の全体において、複数（８極）の可動子磁極３２の磁極対数分（４つ）の極対コイル６０を配置することは、容易である。このことは、固定子２０上の配置が異なる奇数種類（３種類）の複数（３つ）の基本コイル５０を備える第二実施形態の固定子巻線２２についても、同様に言える。また、このことは、移動単位量が毎極スロット数（７．５）より大きい直近の整数である８スロットピッチに設定される形態についても、同様に言える。
【０３７３】
なお、第三実施形態では、移動単位量が１スロットピッチに設定されている。図２１Ａに示すように、移動単位量が１スロットピッチの場合は、基本コイル５０の種類数に関係なく、第一極コイル６１ｆの対象になるコイルサイド２２ａの配置は、第一極コイル６１ｆの中心に対して対称になり、第二極コイル６１ｓの対象になるコイルサイド２２ａの配置は、第二極コイル６１ｓの中心に対して対称になる。よって、移動単位量が１スロットピッチである第三実施形態では、基本コイル５０の種類数に関係なく、複数（３つ）の相コイル２２ｃの各々について、複数（２つ）の基本コイル５０の全体において、複数（８極）の可動子磁極３２の磁極対数分（４つ）の極対コイル６０を配置することができる。
【０３７４】
＜その他＞
本実施形態は、上記した形態および図面に示した形態に限定されるものではなく、要旨を逸脱しない範囲内で適宜変更して実施することができる。例えば、固定子巻線２２は、５つ以上の基本コイル５０を備えることもでき、基本コイル５０の数は、限定されない。また、固定子巻線２２は、複数の第一基本コイル５１を備えることもできる。さらに、可動子３０の磁極数が２極のときには、複数の相コイル２２ｃの各々は、一つの極対コイル６０を具備する。
【０３７５】
また、分数スロット構成の回転電機１０であれば、固定子２０のスロット数および可動子３０の磁極数は、限定されない。本実施形態は、例えば、８極３６スロット構成の回転電機（可動子３０の磁極数が２極、固定子２０のスロット数が９スロットを基本構成とする回転電機）に適用することができる。この場合、毎極毎相スロット数は、１．５であり、移動単位量は、毎極スロット数（本形態では、４．５）の直近の整数（４スロットピッチ若しくは５スロットピッチ）または１スロットピッチであると好適である。図３８Ａ〜図３８Ｆに示す形態では、移動単位量は、４スロットピッチまたは１スロットピッチに設定されている。
【０３７６】
図３８Ａに示すように、第一実施形態に対応する形態では、第一極コイル６１ｆは、一つの単位コイル２２ｄ（第一単位コイル２２ｄ１）を備えており、第一単位コイル２２ｄ１の一対のコイルサイド２２ａ，２２ａ間のコイルピッチは、３スロットピッチ（３ｓｐ）に設定されている。第一単位コイル２２ｄ１は、同心状に巻装され、第一極コイル６１ｆが形成されている。また、第二極コイル６１ｓは、一対のコイルサイド２２ａ，２２ａ間のコイルピッチが異なる複数（２つ）の単位コイル２２ｄ（第二単位コイル２２ｄ２、第三単位コイル２２ｄ３）を備えている。第二単位コイル２２ｄ２の一対のコイルサイド２２ａ，２２ａ間のコイルピッチは、４スロットピッチ（４ｓｐ）に設定されており、第三単位コイル２２ｄ３の一対のコイルサイド２２ａ，２２ａ間のコイルピッチは、２スロットピッチ（２ｓｐ）に設定されている。第二単位コイル２２ｄ２および第三単位コイル２２ｄ３は、同心状に巻装され、単位コイル間接続部６２によって直列接続されており、第二極コイル６１ｓが形成されている。なお、第一単位コイル２２ｄ１のスロット占有率は、５０％（＝４／８）である。第二単位コイル２２ｄ２のスロット占有率は、８７．５％（＝７／８）であり、第三単位コイル２２ｄ３のスロット占有率は、１２．５％（＝１／８）である。
【０３７７】
図３８Ｂに示すように、第二実施形態に対応する形態においても、第一極コイル６１ｆは、一つの単位コイル２２ｄ（第一単位コイル２２ｄ１）を備え、第二極コイル６１ｓは、一対のコイルサイド２２ａ，２２ａ間のコイルピッチが異なる複数（２つ）の単位コイル２２ｄ（第二単位コイル２２ｄ２、第三単位コイル２２ｄ３）を備えている。一対のコイルサイド２２ａ，２２ａ間のコイルピッチは、図３８Ａに示す形態と同じである。また、第一単位コイル２２ｄ１のスロット占有率は、５０％（＝３／６）であり、図３８Ａに示す形態と同じである。しかしながら、第二単位コイル２２ｄ２のスロット占有率は、８３．３％（＝５／６）であり、第三単位コイル２２ｄ３のスロット占有率は、１６．７％（＝１／６）である。
【０３７８】
図３８Ｃに示すように、第三実施形態に対応する形態においても、第一極コイル６１ｆは、一つの単位コイル２２ｄ（第一単位コイル２２ｄ１）を備え、第二極コイル６１ｓは、一対のコイルサイド２２ａ，２２ａ間のコイルピッチが異なる複数（２つ）の単位コイル２２ｄ（第二単位コイル２２ｄ２、第三単位コイル２２ｄ３）を備えている。一対のコイルサイド２２ａ，２２ａ間のコイルピッチは、図３８Ａに示す形態と同じである。また、第一単位コイル２２ｄ１のスロット占有率は、５０％（＝２／４）であり、図３８Ａに示す形態と同じである。しかしながら、第二単位コイル２２ｄ２のスロット占有率は、７５％（＝３／４）であり、第三単位コイル２２ｄ３のスロット占有率は、２５％（＝１／４）である。
【０３７９】
図３８Ｄに示すように、第四実施形態に対応する形態では、第一極コイル６１ｆは、一つの単位コイル２２ｄ（第一単位コイル２２ｄ１）を備え、第二極コイル６１ｓは、一つの単位コイル２２ｄ（第二単位コイル２２ｄ２）を備えている。第一単位コイル２２ｄ１の一対のコイルサイド２２ａ，２２ａ間のコイルピッチは、４スロットピッチ（４ｓｐ）に設定されており、第二単位コイル２２ｄ２の一対のコイルサイド２２ａ，２２ａ間のコイルピッチは、３スロットピッチ（３ｓｐ）に設定されている。また、第一単位コイル２２ｄ１のスロット占有率は、１００％（＝２／２）であり、第二単位コイル２２ｄ２のスロット占有率は、５０％（＝１／２）である。
【０３８０】
図３８Ｅに示すように、第五実施形態に対応する形態においても、第一極コイル６１ｆは、一つの単位コイル２２ｄ（第一単位コイル２２ｄ１）を備え、第二極コイル６１ｓは、一つの単位コイル２２ｄ（第二単位コイル２２ｄ２）を備えている。一対のコイルサイド２２ａ，２２ａ間のコイルピッチは、図３８Ｄに示す形態と同じである。また、第一単位コイル２２ｄ１および第二単位コイル２２ｄ２のスロット占有率は、図３８Ｄに示す形態と同じである。
【０３８１】
図３８Ｆに示すように、第五実施形態の変形形態に対応する形態では、第一極コイル６１ｆは、一つの単位コイル２２ｄ（第一単位コイル２２ｄ１）を備え、第二極コイル６１ｓは、一対のコイルサイド２２ａ，２２ａ間のコイルピッチが異なる複数（２つ）の単位コイル２２ｄ（第二単位コイル２２ｄ２、第三単位コイル２２ｄ３）を備えている。一対のコイルサイド２２ａ，２２ａ間のコイルピッチは、図３８Ｃに示す形態と同じである。また、第一単位コイル２２ｄ１、第二単位コイル２２ｄ２および第三単位コイル２２ｄ３のスロット占有率は、図３８Ｃに示す形態と同じである。
【０３８２】
このように、図３８Ａ〜図３８Ｃおよび図３８Ｆに示す形態では、第一単位コイル２２ｄ１の一対のコイルサイド２２ａ，２２ａ間のコイルピッチは、同じである。また、第二単位コイル２２ｄ２の一対のコイルサイド２２ａ，２２ａ間のコイルピッチは、これらの形態間において同じであり、第三単位コイル２２ｄ３の一対のコイルサイド２２ａ，２２ａ間のコイルピッチは、これらの形態間において同じである。つまり、各単位コイル２２ｄの一対のコイルサイド２２ａ，２２ａ間のコイルピッチは、これらの形態間において同じである。また、第一単位コイル２２ｄ１のスロット占有率は、これらの形態間において同じである。
【０３８３】
一方、第二単位コイル２２ｄ２と第三単位コイル２２ｄ３のスロット占有率の比（巻数比）は、図３８Ｃに示す形態（図３８Ｆに示す形態）では、３：１であり、図３８Ｂに示す形態では、５：１であり、図３８Ａに示す形態では、７：１である。つまり、図３８Ｃに示す形態（図３８Ｆに示す形態）、図３８Ｂに示す形態、図３８Ａに示す形態の順に、第二単位コイル２２ｄ２と第三単位コイル２２ｄ３のスロット占有率の比（巻数比）は、増加している。このように、各実施形態の関係で既述したことは、毎極毎相スロット数が１．５の場合についても、同様に言える。
【０３８４】
なお、既述の実施形態では、可動子３０は、固定子２０の内方に設けられている（インナーロータ型の回転電機）。しかしながら、可動子３０は、固定子２０の外方に設けることもできる（アウターロータ型の回転電機）。また、回転電機１０は、固定子２０および可動子３０が同軸に配されるラジアル空隙型またはアキシャル空隙型の回転電機に限定されるものではない。回転電機１０は、固定子２０および可動子３０が直線上に配され、可動子３０が固定子２０に対して直線上に移動するリニア電動機またはリニア発電機に適用することもできる。さらに、回転電機１０は、分数スロット構成の種々の回転電機に用いることができ、例えば、車両の駆動用電動機、発電機、産業用または家庭用の電動機、発電機などに用いることができる。
【０３８５】
＜効果の一例＞
様相１に係る回転電機１０によれば、固定子巻線２２は、混成一相帯４２を構成する複数のコイルサイド２２ａによって発生する起磁力の大きさが複数の可動子磁極３２の毎極において均等になるように、複数の基本コイル５０が混成されている。これにより、固定子巻線２２が通電されたときに発生する起磁力の大きさ及び起磁力分布の毎極の均等性が増す。その結果、可動子３０の磁極数と比べて低次の空間変形モードの起振力が低減され、様相１に係る回転電機１０は、可動子３０の磁極数と比べて低次の空間変形モードの騒音および振動を抑制することができる。
また、様相１に係る回転電機１０によれば、複数の基本コイル５０が混成されている固定子巻線２２は、少なくとも一つの極対コイル６０を具備する複数の相コイル２２ｃを含み、各極対コイル６０は、同心状に巻装されている複数の単位コイル２２ｄを備えている。よって、様相１に係る回転電機１０は、固定子巻線２２の相配置に起因する騒音および振動を低減することができる。さらに、様相１に係る回転電機１０は、固定子巻線２２の同心巻化によって、固定子巻線２２の組み付け作業の簡素化および機械化を図ることができる。
さらに、様相１に係る回転電機１０によれば、各極対コイル６０を構成する複数の単位コイル２２ｄは、一対のスロット２１ｃ，２１ｃに収容されている一対のコイルサイド２２ａ，２２ａ間のコイルピッチがそれぞれ異なり、一対のコイルサイド２２ａ，２２ａ間のコイルピッチが、いずれも毎極スロット数より短く設定されている。よって、様相１に係る回転電機１０は、二層重巻構成の固定子巻線と比べて、固定子巻線２２の導体長を短くすることができ、固定子巻線２２に使用する導体量を少なくすることができる。
【０３８６】
様相２に係る回転電機１０によれば、様相１に係る回転電機１０において、各極対コイル６０は、第一極コイル６１ｆと第二極コイル６１ｓとを備え、第一極コイル６１ｆおよび第二極コイル６１ｓが電気的に直列接続されている。第一極コイル６１ｆは、一つの単位コイル２２ｄまたは一対のコイルサイド２２ａ，２２ａ間のコイルピッチが異なる複数の単位コイル２２ｄを備え、少なくとも一つの単位コイル２２ｄが同心状に巻装され電気的に直列接続されている。第二極コイル６１ｓは、一つの単位コイル２２ｄまたは一対のコイルサイド２２ａ，２２ａ間のコイルピッチが異なる複数の単位コイル２２ｄを備え、少なくとも一つの単位コイル２２ｄが同心状に巻装され電気的に直列接続されており、第一極コイル６１ｆが複数の可動子磁極３２のうちの一の可動子磁極３２と対向するときに当該可動子磁極３２に隣接する一の可動子磁極３２と対向する。
様相２に係る回転電機１０は、上記構成によって各極対コイル６０を構成することができ、同心巻構成の固定子巻線２２を形成することができる。
【０３８７】
様相３に係る回転電機１０によれば、様相１または様相２に係る回転電機１０において、複数の相コイル２２ｃは、中性点６Ｎを備え、各極対コイル６０は、スロット占有率最小コイルが中性点６Ｎと接続されている。但し、各極対コイル６０を構成する複数の単位コイル２２ｄのうちの一の単位コイル２２ｄであって一対のスロット２１ｃ，２１ｃに収容されている同相の一対のコイルサイド２２ａ，２２ａのスロット占有率が、当該複数の単位コイル２２ｄの中で最小の単位コイル２２ｄをスロット占有率最小コイルとする。
様相３に係る回転電機１０は、同一のスロット２１ｃに収容される相が異なる単位コイル２２ｄ間の電位差を低減することができる。よって、様相３に係る回転電機１０は、相間の絶縁部材（例えば、相間紙など）を削減または簡素化することができ、部品点数の低減、巻装の自動化が容易になる。また、様相３に係る回転電機１０は、相間の絶縁部材の削減または簡素化によって占積率が向上し、固定子鉄心２１の小型化等を図ることができる。
【０３８８】
様相４に係る回転電機１０によれば、様相２に従属する様相３に係る回転電機１０において、各極対コイル６０は、第一極コイル６１ｆにスロット占有率最大コイルを備え、第二極コイル６１ｓにスロット占有率最小コイルを備え、スロット占有率最大コイルが相端子と接続されている。但し、各極対コイル６０を構成する複数の単位コイル２２ｄのうちの一の単位コイル２２ｄであって一対のスロット２１ｃ，２１ｃに収容されている同相の一対のコイルサイド２２ａ，２２ａのスロット占有率が、当該複数の単位コイル２２ｄの中で最大の単位コイル２２ｄをスロット占有率最大コイルとする。
様相４に係る回転電機１０は、第一極コイル６１ｆにスロット占有率最大コイルを備え、第二極コイル６１ｓにスロット占有率最小コイルを備える極対コイル６０において、様相３に係る回転電機１０について既述した効果を得ることができる。
【０３８９】
様相５に係る回転電機１０によれば、様相１〜様相４のいずれか一つの様相に係る回転電機１０において、少なくとも一つの第二基本コイル５２は、第一基本コイル５１に対して、第一方向（矢印Ｘ方向）に所定スロットピッチ分、移動した位置に配置されている。
様相５に係る回転電機１０は、少なくとも一つの第二基本コイル５２が、第一基本コイル５１に対して、第一方向（矢印Ｘ方向）に所定スロットピッチ分、移動した位置に配置されているので、複数の基本コイル５０の混成が容易である。
【０３９０】
様相６に係る回転電機１０によれば、様相５に係る回転電機１０において、所定スロットピッチは、移動単位量のｎ倍（但し、ｎは１以上の自然数）で表される。但し、ＮＩスロットピッチ（但し、ＮＩは、毎極スロット数の直近の整数または１）を移動単位量とする。
様相６に係る回転電機１０は、実効コイルサイド分布幅の過大な増加（コイルサイド分布の過大な広範化）を抑制することができる。そのため、様相６に係る回転電機１０は、出力トルクの目減りを抑制することができる。特に、ＮＩが毎極スロット数の直近の整数であるとき、上述した効果は、顕著である。
【０３９１】
様相７に係る回転電機１０によれば、様相１〜様相６のいずれか一つの様相に係る回転電機１０において、複数の相コイル２２ｃの各々は、複数の基本コイル５０の各々において、複数の可動子磁極３２の磁極対数分の極対コイル６０を備える。
様相７に係る回転電機１０は、様相８および様相９に係る回転電機１０と比べて、極対コイル６０を構成する単位コイル２２ｄの種類数を低減することができ、極対コイル６０の簡素化を図ることができる。また、単位コイル２２ｄの種類数が少ないので、極対コイル６０の製作が簡便である。
【０３９２】
様相８に係る回転電機１０によれば、様相１〜様相６のいずれか一つの様相に係る回転電機１０において、固定子巻線２２は、４つの基本コイル５０を備える。４つの基本コイル５０は、同一のスロット２１ｃに収容されている同相のコイルサイド２２ａの当該スロット２１ｃ内の配置が相毎に集約されている。複数の相コイル２２ｃの各々は、４つの基本コイル５０のうちの２つの基本コイル５０の全体において、複数の可動子磁極３２の磁極対数分の極対コイル６０を備え、４つの基本コイル５０のうちの残りの２つの基本コイル５０の全体において、複数の可動子磁極３２の磁極対数分の極対コイル６０を備える。
様相８に係る回転電機１０は、固定子巻線２２が４つの基本コイル５０を備える様相７に係る回転電機１０と比べて、極対コイル６０の数を半減することができ、固定子巻線２２の簡素化を図ることができる。その結果、様相８に係る回転電機１０は、極対コイル６０間の配策の簡素化およびこれに伴う固定子巻線２２の小型化を図ることができ、固定子巻線２２の装着作業における作業性が向上する。
【０３９３】
様相９に係る回転電機１０によれば、様相１〜様相６のいずれか一つの様相に係る回転電機１０において、複数の基本コイル５０は、同一のスロット２１ｃに収容されている同相のコイルサイド２２ａの当該スロット２１ｃ内の配置が相毎に集約されている。複数の相コイル２２ｃの各々は、複数の基本コイル５０の全体において、複数の可動子磁極３２の磁極対数分の極対コイル６０を備える。
様相９に係る回転電機１０は、様相７および様相８に係る回転電機１０と比べて、極対コイル６０の数を低減することができ、固定子巻線２２の簡素化を図ることができる。その結果、様相９に係る回転電機１０は、極対コイル６０間の配策の簡素化およびこれに伴う固定子巻線２２の小型化をさらに図ることができ、固定子巻線２２の装着作業における作業性がさらに向上する。
【０３９４】
様相１０に係る回転電機１０によれば、少なくとも様相２に従属する様相９に係る回転電機１０において、各極対コイル６０は、巻始め側の第一極コイル６１ｆから巻終り側の第二極コイル６１ｓへ引き回す極コイル間接続部６３を介して連続して巻進められて、第一極コイル６１ｆを構成する少なくとも一つの単位コイル２２ｄおよび第二極コイル６１ｓを構成する少なくとも一つの単位コイル２２ｄが直列接続されている。各極対コイル６０を構成する複数の単位コイル２２ｄの巻進行方向は、いずれも第二方向固定子側（矢印Ｙ２方向）である。但し、固定子２０と可動子３０の対向方向を第二方向（矢印Ｙ方向）とし、第二方向（矢印Ｙ方向）のうちの可動子３０側から固定子２０側に向かう方向を第二方向固定子側（矢印Ｙ２方向）とする。
様相１０に係る回転電機１０は、各極対コイル６０を構成する複数の単位コイル２２ｄの巻進行方向が第二方向可動子側（矢印Ｙ１方向）の場合と比べて、極対コイル６０における配策の干渉交差を回避若しくは軽減することができ、固定子巻線２２を短小化することができる。また、様相１０に係る回転電機１０は、例えば、インサータ治具を用いて、相コイル２２ｃ単位で複数の極対コイル６０を装着することが可能であり、固定子巻線２２の装着作業における作業性が向上する。
【０３９５】
様相１１に係る回転電機１０の製造方法によれば、様相１０に係る回転電機１０を製造する回転電機１０の製造方法であって、第一装着工程と第二遅相装着工程と第三遅相装着工程とを備える。第一装着工程は、複数の相コイル２２ｃのうちの一の相コイル２２ｃを複数のスロット２１ｃに装着する工程である。第二遅相装着工程は、複数の相コイル２２ｃのうちの残りの一の相コイル２２ｃを、第一装着工程で装着された相コイル２２ｃに対して、相間最小位相差分、第一方向第二極コイル側（矢印Ｘ１方向）にずらして、複数のスロット２１ｃに装着する工程である。ここで、相間最小位相差とは、電気角３６０°を相数で除した相間の最小位相差をいう。また、残りの一の相コイル２２ｃは、第一装着工程で装着された相コイル２２ｃと比べて、相間最小位相差分、位相が遅れる相コイル２２ｃをいう。第三遅相装着工程は、複数の相コイル２２ｃがすべて複数のスロット２１ｃに装着されるまで、直近で装着した相コイル２２ｃと比べて相間最小位相差分、位相が遅れる相コイル２２ｃを、直近で装着した相コイル２２ｃに対して、相間最小位相差分、第一方向第二極コイル側（矢印Ｘ１方向）にずらして、複数のスロット２１ｃに装着する工程である。なお、第一方向（矢印Ｘ方向）のうちの第一極コイル６１ｆ側から第二極コイル６１ｓ側に向かう方向を第一方向第二極コイル側（矢印Ｘ１方向）とする。また、複数の相コイル２２ｃは、第一方向第二極コイル側（矢印Ｘ１方向）に順に位相が遅れるように相順に配設するものとする。
様相１１に係る回転電機１０の製造方法は、既に装着されている相コイル２２ｃのコイルエンド２２ｂおよび配策（一対のコイル引出部６０ｆ，６０ｓおよび極コイル間接続部６３）との干渉部位が減少し、干渉部位を迂回する迂回長を減少させることができる。よって、様相１１に係る回転電機１０の製造方法によって製造された回転電機１０は、極対コイル６０における配策の簡素化およびこれに伴う固定子巻線２２の小型化を図ることができる。
【０３９６】
＜付記項＞
（付記項１）
前記少なくとも一つの第二基本コイルの各々の前記所定スロットピッチを列挙した数列である第一数列は、前記移動単位量の１倍から前記ｎ倍までのすべての自然数倍を含む請求項６に記載の回転電機。
【０３９７】
（付記項２）
前記ＮＩは、前記毎極スロット数の直近の整数であり、
前記混成一相帯を構成する前記複数のコイルサイドの配置および当該複数のコイルサイドの前記第一方向における位置の両方を加味して算出される前記混成一相帯の中心をコイルサイド中心とするとき、
前記第一方向において隣接する前記コイルサイド中心間の距離は、前記複数の可動子磁極の毎極において均等である付記項１に記載の回転電機。
【０３９８】
（付記項３）
前記第一基本コイルの一の前記一相帯を構成する前記複数のコイルサイドの直列換算導体数を第一コイルサイド導体数とし、前記第一基本コイルの一の前記一相帯に対して前記可動子の移動方向に前記所定スロットピッチ分、移動した位置に配置されている前記少なくとも一つの第二基本コイルの各々の一の前記一相帯を構成する前記複数のコイルサイドの直列換算導体数を第二コイルサイド導体数とするとき、
前記第一コイルサイド導体数、および、少なくとも一つの前記第二コイルサイド導体数の各々は、いずれも均等である請求項５、請求項６、付記項１および付記項２のいずれか一項に記載の回転電機。
【０３９９】
（付記項４）
前記第一基本コイルの一の前記一相帯を構成する前記複数のコイルサイドの直列換算導体数を第一コイルサイド導体数とし、前記第一基本コイルの一の前記一相帯に対して前記可動子の移動方向に前記所定スロットピッチ分、移動した位置に配置されている前記少なくとも一つの第二基本コイルの各々の一の前記一相帯を構成する前記複数のコイルサイドの直列換算導体数を第二コイルサイド導体数とし、
前記第一コイルサイド導体数と、前記所定スロットピッチが小さいものから順に前記所定スロットピッチ毎に列挙された少なくとも一つの前記第二コイルサイド導体数と、からなるコイルサイド導体数を列挙した要素数がｍ個（但し、ｍは３以上の自然数）の数列を第二数列とするとき、
前記第二数列は、ｋ番目（但し、ｋはｍ／２以下の自然数）の要素の前記コイルサイド導体数と、（ｍ−ｋ＋１）番目の要素の前記コイルサイド導体数と、が同一である請求項５、請求項６、付記項１および付記項２のいずれか一項に記載の回転電機。
【０４００】
（付記項５）
前記第二数列は、１番目の要素からｊ番目（但し、ｊはｍ／２であり、ｍ／２が自然数でないときには小数点以下を切り上げた自然数）の要素にかけて、前記コイルサイド導体数が増加しており、ｊ番目の要素からｍ番目の要素にかけて、前記コイルサイド導体数が減少している付記項４に記載の回転電機。
【０４０１】
（付記項６）
前記ｍは３であり、
前記第二数列は、２番目の要素の前記コイルサイド導体数が、１番目の要素の前記コイルサイド導体数および３番目の要素の前記コイルサイド導体数と比べて、二倍に設定されている付記項５に記載の回転電機。
【符号の説明】
【０４０２】
１０：回転電機、
２０：固定子、２１：固定子鉄心、２１ｃ：スロット、
２２：固定子巻線、２２ａ：コイルサイド、２２ｂ：コイルエンド、
２２ｃ：相コイル、
２２ｃｕ：Ｕ相コイル、２２ｃｖ：Ｖ相コイル、２２ｃｗ：Ｗ相コイル、
２２ｄ：単位コイル、
３０：可動子、３１：可動子鉄心、３２：可動子磁極、
４１：一相帯、４２：混成一相帯、
５０：基本コイル、５１：第一基本コイル、５２：第二基本コイル、
６０：極対コイル、６０ａ：巻始め部、６０ｂ：巻終り部、
６１ｆ：第一極コイル、６１ｓ：第二極コイル、
６２：単位コイル間接続部、６３：極コイル間接続部、
矢印Ｘ方向：第一方向、矢印Ｘ１方向：第一方向第二極コイル側、
矢印Ｙ方向：第二方向、矢印Ｙ２方向：第二方向固定子側、
矢印Ｚ方向：第三方向。
【図１】
2019037046.tif 000003
【図２】
2019037046.tif 000004
【図３】
2019037046.tif 000005
【図４Ａ】
2019037046.tif 000006
【図４Ｂ】
2019037046.tif 000007
【図４Ｃ】
2019037046.tif 000008
【図４Ｄ】
2019037046.tif 000009
【図５Ａ】
2019037046.tif 000010
【図５Ｂ】
2019037046.tif 000011
【図６】
2019037046.tif 000012
【図７Ａ】
2019037046.tif 000013
【図７Ｂ】
2019037046.tif 000014
【図８】
2019037046.tif 000015
【図９Ａ】
2019037046.tif 000016
【図９Ｂ】
2019037046.tif 000017
【図９Ｃ】
2019037046.tif 000018
【図９Ｄ】
2019037046.tif 000019
【図９Ｅ】
2019037046.tif 000020
【図９Ｆ】
2019037046.tif 000021
【図９Ｇ】
2019037046.tif 000022
【図９Ｈ】
2019037046.tif 000023
【図１０Ａ】
2019037046.tif 000024
【図１０Ｂ】
2019037046.tif 000025
【図１０Ｃ】
2019037046.tif 000026
【図１０Ｄ】
2019037046.tif 000027
【図１１】
2019037046.tif 000028
【図１２】
2019037046.tif 000029
【図１３】
2019037046.tif 000030
【図１４】
2019037046.tif 000031
【図１５】
2019037046.tif 000032
【図１６Ａ】
2019037046.tif 000033
【図１６Ｂ】
2019037046.tif 000034
【図１６Ｃ】
2019037046.tif 000035
【図１６Ｄ】
2019037046.tif 000036
【図１７Ａ】
2019037046.tif 000037
【図１７Ｂ】
2019037046.tif 000038
【図１７Ｃ】
2019037046.tif 000039
【図１７Ｄ】
2019037046.tif 000040
【図１８Ａ】
2019037046.tif 000041
【図１８Ｂ】
2019037046.tif 000042
【図１８Ｃ】
2019037046.tif 000043
【図１８Ｄ】
2019037046.tif 000044
【図１９】
2019037046.tif 000045
【図２０】
2019037046.tif 000046
【図２１Ａ】
2019037046.tif 000047
【図２１Ｂ】
2019037046.tif 000048
【図２２】
2019037046.tif 000049
【図２３】
2019037046.tif 000050
【図２４Ａ】
2019037046.tif 000051
【図２４Ｂ】
2019037046.tif 000052
【図２４Ｃ】
2019037046.tif 000053
【図２５】
2019037046.tif 000054
【図２６】
2019037046.tif 000055
【図２７Ａ】
2019037046.tif 000056
【図２７Ｂ】
2019037046.tif 000057
【図２８Ａ】
2019037046.tif 000058
【図２８Ｂ】
2019037046.tif 000059
【図２８Ｃ】
2019037046.tif 000060
【図２８Ｄ】
2019037046.tif 000061
【図２９】
2019037046.tif 000062
【図３０Ａ】
2019037046.tif 000063
【図３０Ｂ】
2019037046.tif 000064
【図３１Ａ】
2019037046.tif 000065
【図３１Ｂ】
2019037046.tif 000066
【図３２】
2019037046.tif 000067
【図３３Ａ】
2019037046.tif 000068
【図３３Ｂ】
2019037046.tif 000069
【図３４】
2019037046.tif 000070
【図３５Ａ】
2019037046.tif 000071
【図３５Ｂ】
2019037046.tif 000072
【図３６】
2019037046.tif 000073
【図３７Ａ】
2019037046.tif 000074
【図３７Ｂ】
2019037046.tif 000075
【図３８Ａ】
2019037046.tif 000076
【図３８Ｂ】
2019037046.tif 000077
【図３８Ｃ】
2019037046.tif 000078
【図３８Ｄ】
2019037046.tif 000079
【図３８Ｅ】
2019037046.tif 000080
【図３８Ｆ】
2019037046.tif 000081